(57)【要約】【課題】従来の冷暖房クーラー装置も、テレビも、パソコンも、情報装置も、インターネットも、無線装置も、リモコン装置も、海底地震計も、木登りロボットも、水中ロボットも水中全自動撮影装置も、電池切れが、殆どの技術で、特許切れに至って、特許権の特許明示が無い商品の販売と値段吊上げの無法地帯の日本各地の市場により貧困社会が、広がるだけで有った。【解決手段】あらゆる家電製品及びロボット及び機械の全自動化と半永久連続365日24時間連続作動の新2連振子型機械式発電機と新2連振子型自動充電池と高出力水発電機と高出力モーター等の高出力新技術と高出力発電回路新技術によって、電気製品の家庭電気配線を一切不必要にする事で、資源に限度の有る火力発電と原子力資源を、永遠に使用しなくても良い時代が訪れた事を広く伝えたい限りです。【選択図】図1
2011205895.tif 000002
【特許請求の範囲】
【請求項１】
本発明の、多機能情報冷暖房無休憩発電機は、軽水素トリチウム電子入りの圧電素子磁石体粒子複数針穴空きシートパネルと軽水素トリチウム電子が多く入ったチタン酸バリウムシートパネルを、交互に貼り合わせた別名高出力圧電素子に対して、二つの高出力圧電素子磁石体に対して、高出力発電回路のプラス発電回路は、高出力圧電素子磁石体
の磁気の強い部分に銅板銅筒官配線を取り付けた構造は、プラス通常電気取り込み配線に成り、プラス磁気の一番弱い部分に取り付けた銅板銅筒官電気配線によって、プラス電気の増幅電気を圧電効果と軽水素トリチウム電子効果によって、増幅プラス電気が得る事が、可能に成り、高出力発電回路のマイナス発電回路も、別の高出力圧電素子磁石体のマイナス磁気の一番強い部分に銅板銅筒官配線を取り付けた電気配線にマイナス通常電気を流して、マイナス磁気の一番弱い部分に銅板銅筒官電気配線の増幅マイナス電気取り込み配線とした二つの高出力発電回路を、多機能情報冷暖房無休憩発電機の全てのシステム機械に内蔵積載した日本国の全額借金返済と貧困弱者国民自立危機に対応する為に考機能情報冷暖房無休憩発電機。
【請求項２】
本発明の、多機能情報冷暖房無休憩発電機は、通常の電気中の熱抵抗電気を、一度二つの圧電素子磁石体によって、磁気電気変換したプラス磁気電気とマイナス磁気電気変換した電気を、圧電素子磁気の弱いプラス磁気部分からプラス通常電気を流す事で、強いプラス磁気電気と弱いプラス磁気電気に分けて、強いプラス磁気は、熱抵抗を取り除かれた常温の熱抵抗無のプラス電気と熱溜まりのプラス磁気の弱い電気として、圧電素子磁石体の磁気効果によって、プラス電気を、熱抵抗プラス電気と熱抵抗の全く無いプラス電気に分ける事が出来て、通常のマイナス電気を、もう一つの別の圧電素子磁石体のマイナス磁気の弱い部分から通常マイナス電気を流す事で、マイナス磁気の一番強い部分には、マイナス熱抵抗電気の全く無い電気を得る事が出来て、マイナス磁気の一番弱い部分に熱抵抗電気が集まり、二つのプラス熱抵抗電気とマイナス熱抵抗電気は、世界最新技術の軽水素トリチウム電子入りの圧電素子磁石体粒子内蔵のシリコン熱瞬間吸収発電シートパネルの二つの高出力熱瞬間吸収発電パネルそれぞれにプラス熱電気とマイナス熱電気を別々に熱磁気電気の軽水素トリチウム電子の熱吸収効果とシリコン効果と圧電素子磁石体粒子の熱電気の磁気変換のスピーデイー効果によって、熱電気のプラス電気とマイナス電気を再処理出来る常温の熱抵抗電気処理可能な圧電素子4電子磁気分割装置を積載内臓した請求項1記載の日本国の全額借金返済と貧困弱者国民自立危機に対応する圧電素子4電子磁気分割装置技術を積載した多機能情報冷暖房無休憩発電機。
コメント
2011年6月16日pm21時57分寝る時間なので、ペンを置く千葉県の墫野和夫で有る。
コメント
2011年6月17日am6時23分少しだけ書く事にする千葉県の墫野和夫で有る。
【請求項３】
本発明の、多機能情報冷暖房無休憩発電機に使用する電気配線は、超電導配線と異なる電気の通り易い物質で、電気配線構造とした電気と同じ物質の軽水素トリチウム電子と
電子発生する圧電素子磁石体粒子を、混合合成した軽水素トリチウム電子入り圧電素子磁石体配線を、銅筒官等の金属筒及び燃えずらい物質で、作った筒配線の中に、軽水素トリチウム電子入りの電気の通り易い物質の電気配線物質を、内蔵した銅筒官配線を、多機能情報冷暖房無休憩発電機に積載内臓した請求項1記載の日本国の全額借金返済と貧困弱者国民自立危機に対応する高出力銅筒官配線技術を積載した多機能情報冷暖房無休憩発電機。
【請求項４】
本発明の、多機能情報冷暖房無休憩発電機の画像装置の液晶パネルに、軽水素トリチウム電子とアルゴンを混合合成した物質を、液晶画像パネルに混合合成することで、液晶の映像波の検知確認電子スピードを、速める軽水素トリチウム電子で有り、微量な電気反応する為、電気消費を少なく出来て、アルゴン物質は、液晶の明るさを、きわ目立たせる為、バックライトの光源電気量を、抑える事が可能に成り、電気消費の少ない画像パネルとして多機能情報冷暖房無休憩発電機に積載使用する請求項1記載の日本国の全額借金返済と貧困弱者国民自立危機に対応する軽水素トリチウム電子アルゴン合成の液晶画像パネル技術を積載した多機能情報冷暖房無休憩発電機。
コメント
2011年6月17日am6時55分仕事の為、ここでペンを置く千葉県の墫野和夫で有る。
コメント
2011年6月17日am7時31分雨天休の為、再び書き始める墫野和夫で有る。
【請求項５】
本発明の、多機能情報冷暖房無休憩発電機の画像装置の液晶パネルに、軽水素トリチウム電子とネオン気化混合合成物質を、液晶パネルの液晶部分の液晶に混合合成する事で
液晶の映像波の色彩の色の液晶カラー反応度を高める為に、ネオンガスを、液晶に内蔵する事で、映像波のネオン液晶画像の色彩色を、くっきりとさせる効果をもたらし、軽水素トリチウム電子は、液晶に内蔵する事で、液晶内の電量を、増やす事で、液晶電子の電子反応度を高めると同時に少ない電気量で、液晶パネルの電子変化を、少ない電気量で行える特徴の軽水素ネオン内蔵の液晶パネルを、積載内臓した請求項1記載の日本国の全額借金返済と貧困弱者国民自立危機に対応する軽水素トリチウム電子ネオン合成の液晶画像パネル技術を積載内蔵した多機能情報冷暖房無休憩発電機。
【請求項６】
本発明の、多機能情報冷暖房無休憩発電機の画像装置の液晶パネルに、軽水素トリチウム電子とアルゴンガスとネオンガスの三種類の気化物質を、液晶パネルの液晶に混合合成する事で、軽水素トリチウム電子効果によって、液晶の電子反応度のスピードを速める為と省電気消費の為に、軽水素トリチウム電子気化物質を、液晶に混合合成し液晶のカラー色彩を、くっきりと色鮮やかにする為に、ネオンガスを混合合成使用して、液晶の明るさを少ない電気量で色鮮やかに明るくする為にアルゴンガスを、液晶に混合合成
する事で、少ない電気消費で、ＮＨＫハイビジョンに近い画像の美しい液晶パネルを、弱者貧困層に低価格で提供する請求項1記載の日本国の全額借金返済と貧困弱者国民自立危機に対応する軽水素トリチウム電子アルゴンネオンの三種類の気化物資合成の液晶画像パネル技術を積載した多機能情報冷暖房無休憩発電機。
【請求項７】
本発明の、多機能情報冷暖房無休憩発電機の画像パネルの多画面放送は、テレビ画像自体の配線を、増やす事が、電気消費を高めている為、テレビ放送局の画像データーを予め電波中継基地によって、放送局電波を一つの多画面画像に集約した映像波を、各家庭に送るテレビ及びインターネット及び情報画面を、多画面放送の一つの映像波に集約したテレビインターネット情報波を、電波中継基地で複数の映像波データーを、一つの多画面放送電波に変える事で、家庭内のテレビの多画面鑑賞電気消費量を、一つの映像波のテレビ回路で、賄える為、通常の多画面放送の映像回路は、複数の電波受信回路と液晶画面に送信する回路を必要としていた為、電気消費が、多く成り懸念されて、使用去れ無く成った多画面放送の欠点で有った電気消費量を、電波中継基地によって、予め多画面放送電波に切り替える事と、家庭内テレビの多画面画像の大きさを、液晶スイッチで多画面放送の映像の大きさのリモコンスイッチ調整が出来て、多画面放送時代に先がけて、テレビリモコンを、液晶の数字位置局選択出来るテレビリモコンにする事で、デジタル放送を、現在の10局から、数百のデジタルテレビ局に変える事で、無料のデジタルテレビ局参入し易くしたテレビの映像波の集約多画面映像波の電波中継局とテレビリモコン装置を、現在の10局から、数百局の無料テレビ局が見れる用にテレビリモコン装置を、液晶の複数局の数字位置局選択方式のテレビデジタルリモコン装置に変えた請求項1記載の日本国の貧困弱者国民自立危機に対応する複数多画面放送の為の電波中継の映像修正局とテレビリモコンを、複数局の100局以上のデジタルテレビ局受信の多画面放送対応と多局放送対応のテレビリモコン装置を積載した請求項1記載の日本国の全額借金返済と貧困弱者国民自立危機に対応する多画面放送波の電波修正中継局と多画面デジタル放送に対応したテレビデジタルリモコン装置技術を積載内臓した多機能情報冷暖房無休憩発電機。
【請求項８】
本発明の、多機能情報冷暖房無休憩発電機のデジタル画像パネルは、無料の都道府県市町村区のデジタル多画面放送と国会の選挙活動費を、少なくしたり、無くしたりする事を目的とした多画面デジタル選挙活動放送や、最近の、医療の新技術によって、完治する病気の治療方法の紹介放送及び、日本国の900兆円を超える全額借金返済の活動状況を
紹介するテレビ多画面放送及び、海などの自然の魚と貝と海中植物の生育状況の実写放送の多画面放送などが、一つのテレビで見れる多機能情報冷暖房無休憩発電機のデジタル多画面放送波テレビ回路を積載内臓した請求項1記載の日本国の全額借金返済と貧困弱者国民自立危機に対応するデジタル多画面放送波回路技術を積載内臓した多機能情報冷暖房無休憩発電機。
【請求項９】
本発明の、多機能情報冷暖房無休憩発電機の、新2連振子型機械式発電機に使用積載する電気増幅装置は、電子レンジの電気の電子変換技術を応用使用した技術に成り、マグネトロン部分を、高出力マグネトロンの、軽水素トリチウム電子を大量に入れたマグネトロン構造の高出力マグネトロン装置を積載内臓した新2連振子型機械式発電機を積載した
請求項1記載の日本国の全額借金返済と貧困弱者国民自立危機に対応する高出力マグネトロン技術を積載内臓した多機能情報冷暖房無休憩発電機。
【請求項１０】
本発明の、多機能情報冷暖房無休憩発電機の画像パネルは、液晶の電気消費を少なくする為に、液晶に海外技術のサモーカメラ技術に使用するアルフアー放射線とペーター放射線と液晶の電気消費を更に少なくする新技術の軽水素トリチウム電子を混合合成した物質を、テレビ映像パネルの液晶パネル部分にアルフアー放射線と軽水素トリチウム電子を、混合合成した物質を、内蔵したタイプとペーター放射線と軽水素トリチウム電子を混合合成した物質を、液晶パネルに混合合成した合成液晶パネルは、映像波のカラー色反応が良く成り、軽水素トリチウム電子効果によって、テレビの電気消費を低く抑える事を可能にした合成液晶パネルのベーター放射線と軽水素トリチウム電子の気化合成物質を、液晶に混合合成した合成液晶パネルを積載内臓した請求項1記載の日本国の全額借金返済と貧困弱者国民自立危機に対応する軽水素ベーター放射線の混合化合気化物質を、液晶に混合加工した画像パネル技術を積載内蔵した多機能情報冷暖房無休憩発電機。
【請求項１１】
本発明の、多機能情報冷暖房無休憩発電機の画像装置のバックライトは、軽水素トリチウム電子とアルゴンガスを混合した気化物質を、発光ダイオードのダイオードに内蔵する事で、ダイオード内の電子を、外部から軽水素トリチウム電子を混合合成する事で、ダイオード内の電子量を増幅する事で、発光ダイオードの電気の電子反応量を、外部からの軽水素トリチウム電子で補う事で、発光ダイオード光源の電子量増幅技術を可能にして、アルゴンガスの蛍交換電気反応は、アルゴンガス内の電気反応電子物質の光反応の補助する為に、発光ダイオードに軽水素トリチウム電子ガスとアルゴンガスを発光ダイオードに内蔵した増幅光源発光ダイオードのバックライトを、積載内臓した請求項1記載の日本国の全額借金返済と貧困弱者国民自立危機に対応する軽水素アルゴンガスを発光ダイオード技術を内蔵積載した多機能情報冷暖房無休憩発電機。
【請求項１２】
本発明の、多機能情報冷暖房無休憩発電機の情報画面装置は、通常の無料デジタル放送を、100局以上と無料のインターネット放送を未知数放送局と、無料の未知数の都道府県市町村インターネット放送を、通常のテレビ画面で無料で見る事の出来るデジタル放送を鑑賞出来る高出力発電回路の軽水素トリチウム電子の大量に入った高出力圧電素子磁石体を使用した高出力発電回路のプラス発電回路とマイナス発電回路を積載内臓したテレビパネル自体が、家電製品及び冷暖房装置に填め込みタイプのスプリング金具ロック方式とポルトナットの補助固定方式を、積載内臓した請求項1記載の日本国の全額借金返済と貧困弱者国民自立危機に対応する高出力発電回路の低電気消費画像システムと家電製品にはめ込んで使用出来るテレビ情報多重放送技術を積載内臓した多機能情報冷暖房無休憩発電機。
【請求項１３】
本発明の、多機能情報冷暖房無休憩発電機の情報画面装置の外側部分のパネルシートは、電気製品の熱を瞬間吸収して、熱電子磁気に瞬間変換出来る軽水素トリチウム電子入り圧電素子磁石体粒子内蔵シリコン熱瞬間吸収発電パネルシートを情報画面装置の後部分に貼り付けた熱瞬間吸収磁気電気変換構造のテレビ情報パネルを積載した請求項1記載の日本国の全額借金返済と貧困弱者国民自立危機に対応する熱電子瞬間吸収の圧電素子磁気電気変換の軽水素トリチウム電子入りシリコンの熱瞬間吸収率と熱電子の磁気変換スピードを速めた新技術を積載した多機能情報冷暖房無休憩発電機。
【請求項１４】
本発明の、多機能情報冷暖房無休憩発電機の情報画面装置は、タッチ液晶画面機能とタッチ液晶スクリュー弱無線波リモコンと新自動充電池の複数の発電回路システムと高出力ダイナモと高出力電磁石と高出力銅筒官配線と高出力マグネトロンと高出力発電コンデンサーと高出力コイルと高出力熱瞬間吸収発電絶縁体端子と高出力軽水素トリチウム電子入りダイオードスイッチと高出力インバータ装置と高出力超小型モーターと劣化破断防止ワイヤ入りゼンマイ装置と高出力銅筒官コイル配線と高出力銅筒官配線等の高出力新技術の軽水素トリチウム電子入り圧電素子磁石素材を使用積載した新自動電池を積載内臓した請求項1記載の日本国の全額借金返済と貧困弱者国民自立危機に対応するタッチ画面情報画像パネルとタッチ液晶の新自動充電池内蔵のリモコン装置技術を、積載した多機能情報冷暖房無休憩発電機。
【請求項１５】
本発明の、多機能情報冷暖房無休憩発電機の情報画面装置に送る海底情報を作る水中人型ロボットは、半永久の無害無休憩連続作動の水発電機の新型を水中ロボットに積載内蔵し水発電機自体が、どんな位置でも、水平を保てる棒状曲面レールモーター自動制御構造の水発電機を積載内臓した請求項1記載の日本国の全額借金返済と貧困弱者国民自立危機に対応する水中ロボット内蔵の防水型の水発電機と水発電機が、いつでもどんな方向傾きでも、水平に成る構造のシステム水発電機技術を積載した多機能情報冷暖房無休憩発電機。
【請求項１６】
本発明の、多機能情報冷暖房無休憩発電機の情報画面装置に送る海底情報を作る水中人型ロボットは、水中の砂の中の個体物質を、砂の上からガンマー放射線観察出来る一回分のカメラ撮影に使用するペーター放射線を、液体鉛入りの液体プラスチックに混合合成したペーター放射線鉛プラスチックシートを、更に、放射線飛散防止観点から、液体鉛入りのクリスタル筒ガラスの中に、ガンマー放射線鉛入りプラスチックシートを、クリスタル筒ガラスに内蔵したレントゲンカメラ一回分に使用するガンマー放射線を、クリスタル鉛筒ガラスに内蔵した水中ロボットの砂の中の撮影用の放射線レントゲンスコープライトカメラを積載内臓した水中ロボットの請求項1記載の日本国の全額借金返済と貧困弱者国民自立危機に対応する水中ロボット内蔵のガンマー放射線飛散防止鉛入りクリスタルガラスカメラパネル技術積載の多機能情報冷暖房無休憩発電機。
【請求項１７】
本発明の、多機能情報冷暖房無休憩発電機の情報画面装置に送る海底情報を作る水中人型ロボットは、水中の動植物の体温を、全自動計測出来る水中ロボット放射線飛散防止のアルフアー放射線飛散防止サモーライトカメラパネルを積載内臓した水中ロボットの請求項1記載の日本国の全額借金返済と貧困弱者国民自立危機に対応する水中ロボット内蔵のアルフアー放射線飛散防止サモーライトカメラパネル技術を積載した多機能情報冷暖房無休憩発電機。
【請求項１８】
本発明の、多機能情報冷暖房無休憩発電機の情報画面装置に送る海底情報を作る水中人型ロボットは、水中の水分分析出来る超小型の高出力遠心分離機付きの水分全自動観測計側調査出来る超小型水分計側装置を水中ロボットに内蔵積載した請求項1記載の日本国の全額借金返済と貧困弱者国民自立危機に対応する水中ロボット内蔵の水分全自動観測計測機技術を積載した多機能情報冷暖房無休憩発電機。
【請求項１９】
本発明の、多機能情報冷暖房無休憩発電機の情報画面装置に送る海底情報を作る水中人型ロボットは、高出力モーターの完全防水型の高出力水中モーターを水の腐食から避ける手段として、電気の通る圧電素子磁石体粒子液体プラスチックで、水中モーター内を腐食防止コーテングする事で、水分の湿気によるモーター内の腐食防止を圧電素子磁石体粒子入りの電気の通るプラスチック物質のコーテングモーター内加工した高出力モーターを積載内臓した請求項1記載の日本国の全額借金返済と貧困弱者国民自立危機に対応する水中ロボットの水中高出力モーターの腐食防止技術の電気の通るプラスチックと圧電素子磁石体粒子のコーテング加工技術を積載内臓した水中モーター技術を積載した多機能情報冷暖房無休憩発電機。
コメント
2011年6月17日pm13時46分昼食を済ませ、水中モーター換気栓モータートイレなどのモーターの腐食防止対策の先技術著作権の葉書を北海道知事宛てに郵便物ポスト投函してから再び書き始める千葉県の墫野和夫で有る。
【請求項２０】
本発明の、多機能情報冷暖房無休憩発電機の情報画面装置に送る海底情報を作る水中人型ロボットは、全自動作動に絶対必要とする海底世界地図と陸地世界地図を、内蔵して衛生ＧＰＳの海底地図位置を、水中ロボットのスクリューソナー発射送受信装置によって、海上の海上段数ソナー送受信装置まで、スクリュー複数ソナー波を、水中ロボットが送受信して、海上の段数ソナーまで、複数の新2連振子型自動充電池の電源によって、複数の段数そなーによって、スクリューソナー波を、海上の段数ソナーまで、スクリューソナー波送受信したソナー波電波を、衛星電波に一度直してから、衛星の位置確認波を、水中地図積載の水中ロボットの位置確認の為の水中地図位置照合出来る海底地図積載の水中ロボット海底地図積載内臓の請求項1記載の日本国の全額借金返済と貧困弱者国民自立危機に対応する水中ロボットの海底ＧＰＳスクリューソナー地図技術を積載内臓した多機能情報冷暖房無休憩発電機。
コメント
2011年6月17日pm16時18分から再び書き始める千葉県の墫野和夫で有る。
【請求項２１】
本発明の、多機能情報冷暖房無休憩発電機の情報画新面装置に送る海底情報を作る水中人型ロボットは、外部の地上の陸地からなどの、インプット遠隔水中ロボット操作出来る衛星波及び携帯波を、一度海上の空中の定位置まで、山岳ヘリコプターの携帯波及び無線波を、複数の山岳ヘリコプターの電波中継装置によって、海上の海上段数ソナーまで携帯波及び無線波を、スクューソナー波切換えの有る海上段数ソナーの位置まで、半永久の無害無休の連続作動発電機の新2連振子型機械式発電機を積載した、電気消費の少ない高出力2連結以上モーターを積載した衛生ＧＰＳ航空地図元位置全自動帰還システムによって、山岳ヘリコプターを、上空の決められた位置の定位置の高度位置に半永久に連続飛行出来て、無線波及び携帯波及びテレビ波及びインターネット波を決められた海上まで、無線波及び携帯波及びテレビ波及びインターネット波を送受信出来る装置を積載内臓した山岳ヘリコプターを積載内臓した請求項1記載の日本国の全額借金返済と貧困弱者国民自立危機に対応する地上の無線波及び携帯波及びテレビ波及びインターネット波を海上の段数ソナーまで電波を運べる電波送受信複数ソナー波装置技術を積載した多機能情報冷暖房無休憩発電機。
コメント
2011年6月17日pm17時28分夕食を食べる墫野和夫で有る。
コメント
2011年6月17日pm17時49分夕食後再び書き始める千葉県の墫野和夫で有る。
【請求項２２】
本発明の、多機能情報冷暖房無休憩発電機の情報画面装置に送る海底情報を作る水中人型ロボットは、海上上空の上まで携帯波及び無線波を電波の山岳ヘリコプター中継をしながら、携帯波及び無線波を海上の段数ソナーまで、携帯波及び無線波を、海上ソナーの携帯電話波を、スクリューソナー波に全自動切換え装置と海上ソナーまで、山岳ヘリコプターが無線波と携帯波を、全自動送受信出来る装置をそれぞれの山岳ヘリコプターと海上段数ソナー装置が積載している為、海上段数ソナーに、携帯波及び無線波を山岳ヘリコプターが、送受信してスクリューソナー波に変える為、無線波及び携帯波を、ソナー波に切換えた後スクリュー電波官にソナー波を通してスクリューソナー波にするので有るが、海上段数ソナーは、海中の段数ソナーが、スクリューソナー波を送受信し易くする為に、同じスクリューソナー波を複数のスクュー電波官によって、海中の段数ソナーまで、送受信出来る装置を積載内臓した海上段数ソナーを積載内臓した請求項1記載の日本国の全額借金返済と貧困弱者国民自立危機に対応する海上段数ソナー技術を積載した多機能情報冷暖房無休憩発電機。
【請求項２３】
本発明の、多機能情報冷暖房無休憩発電機の情報画面装置に送る海底情報を作る水中人型ロボットの、海上段数ソナー装置は、通常のエアーゴムと異なるエアーパンク無しの
発砲スチロール入りのゴムチューブ積載内臓の十字方向に、前後スクリューの高出力2連結以上モーターの高出力インバータ制御装置モーターは、衛生ＧＰＳ海上地図の元位置まで、全自動帰還出来る海上段数ソナー装置に成る為、海中段数ソナーの定位置が、可能に成り、海上が荒れた場合は、海中の弐メートル位の位置まで、潜って、ワイヤ浮アンテナによって、上空の山岳ヘリコプターの無線波及び携帯波を、電波キャッチするだけで無く、衛星ＧＰＳの海上地図位置を、正確に伝える事の出来る装置は、新2連振子型
機械式発電機の電源によって、水中ロボットの海上段数ソナーの水中ロボットのカメラデーターを、送受信出来る装置と海上段数ソナーを、元の位置まで、全自動帰還出来る高出力2連結以上モータースクリューの電源確保する為の、高出力ダイナモと高出力発電回路と高出力電磁誘導発電装置を積載した新2連振子型機械式発電機に内蔵積載した請求項1記載の、日本国の全額借金返済と貧困弱者国民自立危機に対応する海上段数ソナーと新2連振子型機械式発電機技術を積載した多機能情報冷暖房無休憩発電機。
【請求項２４】
本発明の、多機能情報冷暖房無休憩発電機の情報画面装置に送る海底情報を作る水中人型ロボットの、段数ソナーは、複数の段数ソナーによって海底まで、無線波をスクリューソナー波に変えた複数のスクリューソナー波と衛星ＧＰＳ海上地図と衛星ＧＰＳ海底地図を、複数のスクリューソナー波によって、送受信出来る装置に成り、水中の定位置に元帰還を、全自動する為に、ＧＰＳ海底地図とＧＰＳ海上地図が必要に成り、新2連振子型機械式発電機の電源を使用して、四基の前後にスクリュー付き高出力2連結以上モーターを、全自動衛星ＧＰＳ海上地図と衛星ＧＰＳ海底地図の元位置全自動帰還システムによって、水中ロボットの正確な海底地図位置を特定出来て、水中ロボットのライトカメラ映像及び水中ロボットのインプット全自動作業を、正確に行う事の出来る段数ソナーは、海底数数十センチ近くの位置で、海上から、複数の段数ソナーを通じて、複数の段数ソナーの複数のスクリューソナー波を、全自動キャッチしてから、海底数十センチメートルの定位置で、浮いている段数ソナーは、サイド方向に360度方向に、複数のスクリューソナー波を、全自動発射の為の送受信する事が出来る段数海底ソナーに成り、これら、複数の段数ソナーと海上段数ソナーと段数海底ソナーによって、ＧＰＳ海上地図とＧＰＳ海底地図を、複数スクューソナー波によって、送受信が、可能に成り、水中でも、海底ＧＰＳ地図によって、水中ロボットが、迷う事無く全自動作業出来る段数海底ソナー地図を積載内臓した請求項1記載の、日本国の全額借金返済と貧困弱者国民自立危機に対応する段数海底ソナー技術を積載した多機能情報冷暖房無休憩発電機。
【請求項２５】
本発明の、多機能情報冷暖房無休憩発電機の情報画面装置に送る海底情報を作る水中人型ロボットの全自動インプット出来るロボットの全自動を、行う為の水中ライト発光複数カラーライトラインの海底のライトカメラ焦点位置に基ずく海底地図位置の記憶出来る海底レントゲンスコープカメラの海底の砂層の構造記憶データーと海底のライトカメラの記憶画像データーと海底の海藻植物分布の実写のカメラ記憶画像データーと海底火山のライトカメラの海底火山位置記憶の画像データーと海底位置記録カラーライト点滅
ロボっと目安杭などによって、海底を、全自動インプットで、自由に水中ロボットが、365日24時間無休憩で、全自動作動する為のデーターを多層式カードブロック装置の木材
灰入りプラスチック絶縁体シートと木材灰入りビニール絶縁体シートと圧電素子磁石体シートを、複数に多層式に重ねたロボットデーター専用の多層式カードブロックを水中ロボットに積載内臓した請求項1記載の、日本国の全額借金返済と貧困弱者国民自立危機に対応する多層式カードブロックを積載内臓した多機能情報冷暖房無休憩発電機。
【請求項２６】
本発明の、多機能情報冷暖房無休憩発電機の情報画面装置に送る海底情報を作る水中人型ロボットは、海上の陸地に上がっても、全自動走行可能な、物体の固定物体と移動物体を全自動認識確認判断出来るロボット物体データーと物体の形状を、スクリュー携帯波及びスクリュー衛星波及びスクリュー無線波によって、物体の形状を、ロボット物体形状データーのロボットコンピューター別名ロボット情報装置別名ロボットデーターストック送受信装置によって、高速スクリュー携帯波によって、物体の形状を、全自動確認認識認知出来るロボットの物体形状全自動認識確認認知システムの水中ロボットライトカメラを、積載内臓した請求項1記載の日本国の全額借金返済と貧困弱者国民自立危機に対応するロボットライトカメラの物体形状認識とロボットライトカメラ形状認識確認認知システム技術を積載した多機能情報冷暖房無休憩発電機。
【請求項２７】
本発明の、多機能情報冷暖房無休憩発電機の情報画面装置に送る海底情報を作る水中人型ロボットは、陸地では、衛星ＧＰＳ道路地図と衛生ＧＰＳ歩道地図と衛生ＧＰＳ一建てビルの部屋の間取り地図と非常階段ＧＰＳ地図と消火栓位置ＧＰＳ地図と山岳林道ＧＰＳ地図と農道ＧＰＳ地図と緊急避難位置ＧＰＳ地図と活断層ＧＰＳ地図と地震震度分布過去デターＧＰＳ地図と海底地震計ＧＰＳ地図とひび割れ一戸建て及びビル分布ＧＰＳ地図と緊急地下貯蓄飲料水位置データーＧＰＳ地図と緊急食糧位置データーＧＰＳ地図を、表裏両面多層式カード内蔵卵型空洞ＭＤ装置は、アルミニューム表裏両面ＭＤは、全自動水中人型ロボットの陸地用の衛星ＧＰＳ地図に成り、非常事態に対応する為の人型ロボットを積載内臓した請求項1記載の日本国の貧困弱者国民自立危機に対応する衛星ＧＰＳ地図と衛星ＧＰＳ歩道地図と衛星ＧＰＳ一戸建てビルの部屋の間取り地図と非常階段ＧＰＳ地図と非常階段ＧＰＳ地図と消火栓位置ＧＰＳ地図と山岳林道ＧＰＳ地図と農道ＧＰＳ地図と緊急避難位置ＧＰＳ地図と活断層ＧＰＳ地図と地震震度分布過去データーＧＰＳ地図と海底地震計ＧＰＳ地図とひび割れ一戸建て及びビル分布地図と緊急地下貯蓄飲料水位置データーＧＰＳ地図と緊急食糧位置データーＧＰＳ地図を、積載内蔵した請求項1記載の日本国の全額借金返済と貧困弱者国民自立危機に対応するロボットＧＰＳ地図によって、全自動水陸兼用の全自動走行作業出来る全自動水中ロボット技術を積載した多機能情報冷暖房無休憩発電機。
【請求項２８】
本発明の、多機能情報冷暖房無休憩発電機の情報画面装置に送る海底情報を作る水中人型ロボットは、頭の上とお尻に高出力2連結以上モータープロペラを付ける事で、空を飛ぶ事の出来る構造に成る水中ロボットにプロペラ装置の取り付け構造に成って入る水中ロボットを積載内臓した請求項1記載の日本国の全額借金返済と貧困弱者国民自立危機に対応するロボットプロペラ取り付け構造技術を積載した多機能情報冷暖房無休憩発電機。
【請求項２９】
本発明の、多機能情報冷暖房無休憩発電機の、冷暖房装置の空気取り入れ官は、ストレート官に成り、空気取り入れフイルターは、竹灰入りプラスチック超軽量網は、2重フイルターと雑草灰入りビニール網3重フイルターをボックスフイルター構造にしたフイルター装置は、加湿蒸気によって、臭い成分も、水蒸気フイルターカーテンで、臭い成分を
取り除く事の出来る多層フイルターボックスの水蒸気エアーカーテンフイルターのダブルフイルターを、積載内臓した請求項1記載の日本国の全額借金返済と貧困弱者国民自立危機に対応する超軽量トリプルフイルターボックス技術を積載した多機能情報冷暖房無休憩発電機。
【請求項３０】
本発明の、多機能情報冷暖房無休憩発電機の、冷暖房装置の空気吐き出し官は、雑草灰入りのプラスチック超軽量スクリュー官を、積載内臓した請求項1記載の日本国の全額借金返済と貧困弱者国民自立危機に対応する世界で一番軽いプラスチックパネルで有り、炭素糸より軽い雑草灰入りプラスチック糸材の超軽量の雑草灰入りプラスチックスクリュー官技術を積載した多機能情報冷暖房無休憩発電機。
コメント
2011年6月17日pm22時39分寝る時間なので、ペンを置く千葉県の墫野和夫で有る。
コメント
2011年6月18日am6時7分少しだけ、書く事にする千葉県の墫野和夫で有る。
【請求項３１】
本発明の、多機能情報冷暖房無休憩発電機の冷暖房装置の空気吐き出し口は、一本軸のアルミニューム製及び強化プラスチック製の高出力電動卍形状モーター仕切り弁を使用積載した複数の波山形の冷暖房空気吐き出し口構造に成り、高出力卍形状インバータ制御モーターは、高出力電磁石新技術と高出力銅筒官コイル配線と高出力人工合成永久磁石の別名の高出力圧電素子磁石体を、使用積載したモーターの軸及び内板金属は、アルミにーム金属及びジュラルミン金属を、使用した軽量金属使用のＤＣブラシレスモーターのデザイン違いに成る高出力電磁石と高出力圧電素子永久磁石と高出力銅筒官コイル配線をモーター構造としたモーターは、モーター力は、他のモーターより、かなり力の
弱いモーターだが、送風機には、今までの扇風機の電気消費より、電気消費の少ないモーターを、積載した請求項1記載の日本国の全額借金返済と貧困弱者国民自立危機に対応する世界で一番電気消費の少ない高出力卍形状レールモーター技術を積載した多機能情報冷暖房無休憩発電機。
【請求項３２】
本発明の、多機能情報冷暖房無休憩発電機の暖房装置のニクロム線は、ニクロム線の筒官ニクロム線構造の中にテングステン金属を入れた二重金属ニクロム線を使用する事で電気消費を、弱冠少なくした、新技術ニクロム線を使用した水タンクの水を一度ニクロム線で、暖めた温水風を使用する事で、金属の熱放出量を抑えた温水を使ったニクロム線暖房器に成り、水量メーターは、全面の見易い位置に有り、水量警告ブザー付きの暖房装置を積載内臓した請求項1記載の日本国の全額借金返済と貧困弱者国民自立危機に対応する電気消費を抑えたニクロム線新技術と温水温風を使った低電気消費の暖房器技術を積載した多機能情報冷暖房無休憩発電機。
コメント
2011年6月18日am6時53分仕事の為、ここまでとする千葉県の墫野和夫で有る。
【請求項３３】
本発明の、多機能情報冷暖房無休憩発電機のクーラーの冷却装置は、大気漏れの気化フロンガスを使用せず、フロンガスを固形窒素に混合合成した物質と液体プラスチックを混合合成した複数縦穴構造の固形窒素フロンプラスチックの複数縦穴空き固形フロンカートリッジは、リサイクル出来る固形フロンに成り、複数の竪穴構造は、窒素ガスを巡回した場合、窒素ガスを、固形フロンによって、より広い面積で、窒素ガスを冷やす必要が有る為、固形フロンは、複数穴空き形状に成り、大気放出しても、害の無い窒素ガスを使用する事に成る固形フロン冷却システムは、フロンガスを大気に放出しない固形フロン技術を積載内臓した請求項1記載の日本国の全額借金返済と貧困弱者国民自立危機に対応する固形フロンカートリッジ技術を積載した多機能情報冷暖房無休憩発電機。
【請求項３４】
本発明の、多機能情報冷暖房無休憩発電機のクーラーの冷却装置は、固形窒素とフロンガス混合物質と液体プラスチックを、混合合成した固形窒素フロンプラスチック冷却板を、冷気送風管のストレートパネル板とする事で、固形フロンの窒素ガスを、冷やしたままで、室内に放出する冷却風を安定して冷やせる固形窒素フロンプラスチックパネル
を積載内臓した請求項1記載の日本国の全額借金返済と貧困弱者国民自立危機に対応する電気消費を抑える固形窒素フロンプラスチックパネル技術を積載した多機能情報冷暖房無休憩発電機。
【請求項３５】
本発明の、多機能情報冷暖房無休憩発電機の緊急ライトは、多機能情報冷暖房無休憩発電機の上部に取り付けたＬＥＤのダイオード内の電子を、増幅する技術に成り、軽水素トリチウム電子を、発光ダイオードのダイオードに大量の軽水素トリチウム電子を、混合合成する事で、発光ダイオード内の電子量を、増幅する技術に成り、少ない電気量で
発光ダイオードのライト光を明るく出来る新技術に成り、この他、通常のアルゴンガスは、蛍光灯に使用されているガスだが、蛍光灯の大きさに入ってるガス全てが、発光ダイオードにのダイオードに入らない為、発光ダイオードのダイオードには、軽水素トリチウム電子を90パーセント以上入れてアルゴンガスを混合合成して、光の光源作用を、蛍光色にする為に、発光ダイオードに軽水素トリチウム電子とアルゴンガスを混合合成した、蛍光白色に光る複数の一列の発光ダイオードライトを、多機能情報冷暖房無休憩発電機に内蔵積載した請求項1記載の日本国の全額借金返済と貧困弱者国民自立危機に対応する電気消費を抑える軽水素トリチウム電子入りのアルゴンガス合成物質を、発光ダイオードのダイオードに混合合成した技術を積載した多機能情報冷暖房無休憩発電機。
【請求項３６】
本発明の、多機能情報冷暖房無休憩発電機の緊急ライトは、多機能情報冷暖房無休憩発電機の上部に取り付けたＬＥＤのダイオード内の電子を、増幅する技術に成り、軽水素
トリチウム電子を、発光ダイオードのダイオードに大量の軽水素トリチウム電子を、混合合成する事で、発光ダイオード内の電子量を、増幅する技術に成り、少ない電気量で
発光ダイオードのライト光を明るく出来る新技術に成り、この他、通常のネオンガスは、ネオンライト燈に使用されているガスだが、ネオン灯にも可なりのネオンガスが、入ってる為、ネオンガスのみを、発光ダイオードに入れても、発光度が余り求められない為、軽水素トリチウム電子を、90パーセントと残り10パーセントを、ネオンガスを、混合合成した発光ダイオードライトを、積載内臓した請求項1記載の日本国の全額借金返済と貧困弱者国民自立危機に対応する電気消費を、抑える軽水素トリチウム電子ガスとネオンガスを、混合合成したガスを、発光ダイオードライトのダイオードに混合合成した発光ダイオードＬＥＤライト技術を積載した多機能情報冷暖房無休憩発電機。
コメント
2011年6月19日am10時6分から、再び書き始める千葉県の墫野和夫で有る。
【請求項３７】
本発明の、多機能情報冷暖房無休憩発電機の防犯カメラは、超小型のＬＥＤライトカメラの電波屈折反射電波カーテンセンサー付きの物体及び人が、屈折型反射電波カーテンを通ると、電波遮断によって、超小型のＬＥＤライトカメラが全自動作動して、人と物体等などを、全自動撮影して、防犯センター及び携帯電話等に、緊急連絡出来る装置は
部屋の天井と床の部分の数か所に、電波反射用の鏡の後ろにプラスチックシートとビニールシートと木材灰入りゴムの三重クッションシート構造の電波反射鏡を、床と天井または、左右の壁と壁に設けた防犯対策用のライトカメラ装置を、積載内臓した請求項1記載の日本国の貧困弱者国民自立危機に対応する低価格の防犯ライトカメラシステムを
積載内臓した請求項1記載の日本国の全額借金返済と貧困弱者国民自立危機に対応する防犯ライトカメラ技術を積載した多機能情報冷暖房無休憩発電機。
【請求項３８】
本発明の、多機能情報冷暖房無休憩発電機のエアー注入型の多機能情報冷暖房無休憩発電機の高さのリモコン調整装置は、スクリュー送風管と高出力電動モーター仕切り弁と電磁石反発高さ移動装置を内蔵設置する事で、多機能情報冷暖房無休憩発電機の高さを、調整した場所にエアーゴムにエアーを、注入して、電動仕切り弁でエアー全自動密封
出来る装置を、積載した家電製品の高さのリモコンインプット全自動調整出来る装置を積載内臓した請求項1記載の日本国の全額借金返済と貧困弱者国民自立危機に対応する家電製品の高さをリモコンインプット全自動調整出来る装置技術を積載した多機能情報冷暖房無休憩発電機。
【請求項３９】
本発明の、多機能情報冷暖房無休憩発電機のリモコン装置は、高出力無線機機能の高出力銅筒官コイルと高出力熱瞬間吸収発電コンデンサーと高出力電磁石と熱瞬間吸収絶縁端子と新2連振子型自動充電池と文字インプットスイッチ機能の文字近距離無線機能のボタンと音声認識文字全自動変換最新式機能装置の圧電素子磁石体の音声認識チップ多層式ブロック装置を積載した請求項1記載の日本国の全額借金返済と貧困弱者国民自立危機に対応するリモコン高出力文字無線装置技術を積載した多機能情報冷暖房無休憩発電機。
【請求項４０】
本発明の、多機能情報冷暖房無休憩発電機の文字無線は、文字無線の最初の送信無線波に、固定無線機番号の設定受信番号の後に連絡したい文字を並べて無線送信出来る装置は、各無線機番号の設定されている番号のみが、受信して、文字連絡出来る最新式文字無線装置に成り、カメラ画像も、送れる装置に成り、無線中継装置無しでは、平坦な場所で、10キロメートル範囲の文字画像無線に成り、将来的には、スクリュー低周波無線電話の低価格スクリュー低周波無線電話普及を目的とした装置を積載した請求項1記載の
日本国の全額借金返済と貧困弱者国民自立危機に対応するスクリュー低周波無線電話リモコン装置技術を積載した多機能情報冷暖房無休憩発電機。
【請求項４１】
本発明の、多機能情報冷暖房無休憩発電機の、文字無線リモコン装置は、超小型の多層式カード型の衛星ＧＰＳ及び山岳ヘリコプターＧＰＳの無線リモコン地図を積載する事で、将来的の山岳ヘリコプターのスクリュー高速携帯波及びスクリュー高速無線波及びスクリュー高速ノーマルテレビ波及びスクリュー高速衛星波及びスクリュー高速カーナビゲイション波及びスクリュー高速ロボットデーター波及びスクリュー高速短波文字無線波及びスクリュー高速文字中波無線波の位置を、全自動計測して、本人確認を、備え付けのライトカメラによって確認認識全自動連絡出来る装置を積載内臓した請求項1記載の日本国の全額借金返済と貧困弱者国民自立危機に対応する山岳ヘリコプターＧＰＳ及び衛星ＧＰＳ地図を文字無線付き家電リモコン装置技術を積載した多機能情報冷暖房無休憩発電機。
【請求項４２】
本発明の、多機能情報冷暖房無休憩発電機の、文字無線リモコン装置は、専用の室内リモコンロボットのリモコン装置として、使用出来る機能と同じメーカーの家電製品無線
リモコンを、新2連振子型自動充電池の半永久の発電池電気によって、半永久使用出来る文字無線リモコン装置を、積載した請求項1記載の日本国の全額借金返済と貧困弱者国民自立危機に対応する多種類の家電製品のリモコン装置と無線リモコンロボットの操作を出来る文字無線リモコン装置技術を積載した多機能情報冷暖房無休憩発電機。
【請求項４３】
本発明の、多機能情報冷暖房無休憩発電機の、情報装置は、海底の水中ロボット画像と自画像の立体的に360度リモコン操作出来るテレポーテイションゲーム画像システムは、自然の風景画像に、自画像及び空想画像及び好きな人の画像及び好きな動物等の立体的に今までの過去からのテレビ画像のカメラ画像の360度動くゲーム主人公設定によって、水中海底の水中ロボットに、ゲーム設定パーツを、スクリュー携帯波及びスクリュー無線波及びスクリュー衛星波によって、水中ロボットにインプットゲーム設定を、行うと同時に、ゲームに使用する対戦物体を、水中海底画像に入れて、水中ロボットと好きな動物の自然体画と自分自画像を、水中海底画像に取り込んで自然画像ゲームを、楽しめる世界初の自画像及び動物画像及びロボット画像を、情報画像に人工的にインプットテレポーテイション画像設定する事の出来るゲーム装置を、積載内臓した請求項1記載の日本国の全額借金返済と貧困弱者国民自立危機に対応する自画像及び動物画像をテレポーテイションの画像取り込み自然画像ゲーム装置技術を積載した多機能情報冷暖房無休憩発電機。
【請求項４４】
本発明の、多機能情報冷暖房無休憩発電機の、自画像取り込みゲーム装置のテレポーテイションの画像取り込み装置を使った海底実写映像や自然山林の中に実写自画像及び動物画像を、取り込んだ人工合成写真を、パソコン及びノーマル多層式カードカメラ及び多機能切換えＬＥＤライトカメラ及びプラスチック用紙コピー機及び多層式カードビデオ機及び超小型画像複写転写印刷機及びテレビに写真ノーマルデーター画像を、画像読み取り装置全てによって画像を家電製品に取り込める装置を積載内臓した請求項1記載の
日本国の全額借金返済と弱者国民自立危機に対応する実写映像ノーマル写真データとビデオ写真データーとロボット写真データーと機械ビデオ写真データーを、家電製品に取り込む事の出来る全自動装置技術を積載した多機能情報冷暖房無休憩発電機。
【請求項４５】
本発明の、多機能情報冷暖房無休憩発電機の、水中ロボットの海底レントゲンスコープライトカメラを、使用して世界中の海の砂の中の陶器類及び金属類及びプラスチック類
木材類を、水中ロボットのライトレントゲンスコープカメラ機能を使って、世界中のまだ見つかって居ない宝物を、探す事が、可能な水中ロボットレントゲンスコープライトカメラを積載内臓した請求項1記載の日本国の全額借金返済と貧困弱者国民自立危機に対応する水中ロボットのレントゲンスコープカメラ技術を積載した多機能情報冷暖房無休憩発電機。
【請求項４６】
本発明の、多機能情報冷暖房無休憩発電機の、3重構造超高速配線は、銅筒官配線の筒の中に、新技術の軽水素トリチウム電子入り圧電素子磁石体粒子を内蔵した電気の通り易い配線を内蔵した銅筒官配線に、窒素フロンガス内蔵圧電素子磁石体粒子を被せて更に、土粘土粒子入りプラスチックゴム絶縁電気配線表皮構造の電気の通り易い軽水素トリチウム電子と圧電素子磁石体の圧電効果の物質粒子を積載内臓した請求項1記載の日本国の全額借金返済と貧困弱者国民自立危機に対応する電気の通り易い物質と冷却物質と新技術絶縁体表皮構造の電気配線を積載した多機能情報冷暖房無休憩発電機。
【請求項４７】
本発明の、多機能情報冷暖房無休憩発電機の、冷暖房スクリュー官をスイッチ高出力モーター仕切り弁切換えする暖房スクリュー官は、温水循環出来る2重構造のスクュー配管
と新技術の熱瞬間吸収発電パネル官の3重構造の温水風を使った2重金属のニクロム線筒のテングステン金属及びニクロム線筒の銅テングステン合金及びニクロム線筒の銅金属の二重金属ニクロム線を使ったお熱風装置によって、暖房する装置を積載した請求項1記載の日本国の全額借金返済と貧困弱者国民自立危機に対応する熱瞬間吸収発電スクリュー官の3重構造官を積載した多機能情報冷暖房無休憩発電機。
【請求項４８】
本発明の、多機能情報冷暖房無休憩発電機の、冷暖房スクリュー官の高出力電動モーター仕切り弁装置の風車形状は、ハート型の形状をした風車板と高出力圧電素子磁石体内臓ダイナモと超長のスクリュー官によって、熱風発電と冷風発電出来る高出力電磁誘導発電体を積載内臓した請求項1記載の日本国の全額借金返済と貧困弱者国民自立危機に対応する高出力電磁誘導発電装置を積載した多機能情報冷暖房無休憩発電機。
【請求項４９】
本発明の、多機能情報冷暖房無休憩発電機の、暖房装置のニクロム線は、酸化鉄合成テングステン内蔵のニクロム線筒官の3重金属ニクロム線を積載内臓した請求項1記載の日本国の全額借金返済と、貧困弱者国民自立危機に対応する酸化鉄合成テングステン内蔵ニクロム筒官配線を積載した多機能情報冷暖房無休憩発電機。
【請求項５０】
本発明の、多機能情報冷暖房無休憩発電機の、高出力ＤＣブラシレスレールインバータ制御モーターに使用する高出力発電回路は、複数型高出力発電回路カートリッジボックスのプラス高出力発電回路カートリッジボックスとマイナス高出力発電回路カートリッジボックスの二つの高出力発電回路ボックスに熱瞬間吸収発電シートパネルと絶縁体を被せた装置を積載した請求項1記載の日本国の全額借金返済と貧困弱者国民自立危機に対応する高出力発電回路カートリッジボックスを積載した多機能情報冷暖房無休憩発電機。
【請求項５１】
本発明の、多機能情報冷暖房無休憩発電機の、熱瞬間吸収発電パネルと画像パネルは、高出力発電回路アダプタ電気取り込みコンセント付きの半ナット形Ｗブロックロックナットと四か所回転式のゴムロック固定型の特殊ボルトナットを使用積載した請求項1記載の日本国の全額借金返済と貧困弱者国民自立危機に対応する地震対応型の取り外し特殊ボルトナットパネル装置を積載した多機能情報冷暖房無休憩発電機。
【請求項５２】
本発明の、多機能情報冷暖房無休憩発電機の、圧電素子磁気アンテナ付きの電波速度アップのスクリュー塩化プラスチック電波官を積載内臓した請求項1記載の日本国の全額借金返済と、貧困弱者国民自立危機に対応する高速電波官を積載した多機能情報冷暖房無休憩発電機。
【請求項５３】
本発明の、多機能情報冷暖房無休憩発電機の、ＬＥＤライト玉の樹脂レンズ部分は、二重レンズの間に、軽水素トリチウム電子入りシリコン発電シートを内蔵した二枚合わせの軽水素トリチウム電子入りシリコン超薄発電シートと圧電素子磁石体粒子の熱電子磁気変換超細増幅発電ライン入りのＬＥＤライト玉の発電ガラス配線を積載内臓した請求項1記載の日本国の全額借金返済と貧困弱者国民自立危機に対応する発電二枚合わせガラスＬＥＤライトを積載した多機能情報冷暖房無休憩発電機。
【請求項５４】
本発明の、多機能情報冷暖房無休憩発電機の、ＬＥＤライト玉の電気熱吸収発電反射板は、ガラス板に軽水素トリチウム電子入り圧電素子磁石体粒子シリコンコーテング又は
超薄発電シートパネルを貼ってから、超薄複数針穴形状の反射板を貼り付ける事によって、ＬＥＤライト玉の反射板熱を、軽水素トリチウム電子入り圧電素子磁気粒子超薄シート熱瞬間吸収発電パネルを積載内臓した請求項1記載の日本国の全額借金返済と貧困弱者国民自立危機に対応するＬＥＤライト玉の熱瞬間吸収発電反射板を積載した多機能
情報冷暖房無休憩発電機。
【請求項５５】
本発明の、多機能情報冷暖房無休憩発電機の、ＬＥＤライト玉に接続する電気配線は、銅筒官配線のレアーアース筒の軽水素トリチウム電子入り圧電素子磁石体粒子内蔵配線
を、ＬＥＤライト配線装置の電気の通り易い配線を積載した請求項1記載の日本国の全額借金返済と貧困弱者国民自立危機に対応するＬＥＤライト玉接続の高出力銅筒官配線
を積載した多機能情報冷暖房無休憩発電機。
【請求項５６】
本発明の、多機能情報冷暖房無休憩発電機の、ＬＥＤライトの電気配線に繋ぐ電気中の熱電気抵抗だけを取り除く圧電素子4電子磁気分割装置を積載内蔵した請求項1記載の日本国の全額借金返済と貧困弱者国民自立危機に対応する圧電素子4電子磁気分割装置を積載した多機能情報冷暖房無休憩発電機。
【請求項５７】
本発明の、多機能情報冷暖房無休憩発電機の、ライトカメラの超高速被写体認識ＣＣＤは、軽水素トリチウム電子入りのダイオードＣＣＤ新技術に成り、ＣＣＤのダイオード内の軽水素トリチウム電子が光認識スピードを速める軽水素トリチウム電子に成り、ダイオード電子量を、増幅する事で、光認識認知の光電子連絡スピードを速くする技術に成り、本来、最初のデジタルカメラは、画像認識スピードが、デジタル回線などを通る為、画像をカードデーター化するのに数秒掛っていたのを、ワンタッチスピードのデーター記録多層式カードスピードを、可能した技術を積載内臓した請求項1記載の日本国の全額借金返済と貧困弱者国民自立危機に対応する軽水素トリチウム電子入りＣＣＤ被写体パネルを積載した多機能情報冷暖房無休憩発電機。
【請求項５８】
本発明の、多機能情報冷暖房無休憩発電機の、ライトカメラの電気配線は、炭素窒素軽水素トリチウム電子入りプラスチック配線の超軽量配線を積載内臓した請求項1記載の日本国の全額借金返済と貧困弱者国民自立危機に対応する炭素窒素軽水素トリチウム電子入りプラスチック配線を積載した多機能情報冷暖房無休憩発電機。
【請求項５９】
本発明の、多機能情報冷暖房無休憩発電機の、海底地震計は、インプット無線全自動作動の水中ロボットを使用して、角度調整型ドリルネジに、新2連振子型自動充電池内蔵の
スクリューソナー波送受信装置とスクリューソナー波送受信アンテナとライトカメラと海底地震計を積載した水中ロボットアタッチメント取り付け構造を備えつけた海底地震計を内蔵した請求項1記載の日本国の全額借金返済と貧困弱者国民自立危機に対応する海底地震計を積載した多機能情報冷暖房無休憩発電機。
【請求項６０】
本発明の、多機能情報冷暖房無休憩発電機の、スピーカーは、木材灰入りプラスチックパネルと電気の通るプラスチックと軽水素トリチウム電子と圧電素子磁石体を混合合成
した電気配線に、銅粉を、電気の通る軽水素プラスチック溶液コーテングによって、世界最軽量の銅筒官コイル配線が出来て、圧電素子磁石体と軽水素トリチウム電子入りの軽水素入り圧電素子の高出力圧電素子磁石体に、複数針穴構造の超薄ステンレス磁石シート板を、高出力圧電素子磁石体に被せる様に固定した世界最軽量の永久人工合成磁石
技術によって、世界最軽量の電磁石が出来上がり、世界最軽量スピーカーに成り、多機能情報冷暖房装置の世界最軽量スピーカーと世界最小の電気消費の少ないスピーカー新技術を積載内臓した請求項1記載の日本国の全額借金返済と貧困弱者国民自立危機に対応する世界最軽量スピーカーを積載した多機能情報冷暖房無休憩発電機。
【請求項６１】
本発明の、多機能情報冷暖房無休憩発電機の、低価格設定の世界最軽量のプラスチックパネルは、雑草灰及び木材灰及び竹材灰及び燃えるゴミ灰を、液体プラスチック合成する事によって、燃えずらい丈夫なプラスチック板に成り、多機能情報冷暖房無休憩発電機等の家電製品の世界最軽量のプラスチック合成軽量パネル新技術を積載内臓した請求項1記載の日本国の全額借金返済と貧困弱者国民自立危機に対応する世界最軽量の木材灰入りプラスチックパネル新技術を積載した多機能情報冷暖房無休憩発電機。
【請求項６２】
本発明の、多機能情報冷暖房無休憩発電機の、家電製品用の電磁石反発免振装置は、永久磁石鉄球及び円柱電磁石及び圧電素子磁石体粒子入りスプリング入りビニールと高出力電磁石板部品と免振固定クロス棒などを、組み合わせて電磁石反発免振装置を作り、その上に多機能情報冷暖房無休憩発電機を乗せて地震の揺れを防ぐ免振装置を積載内臓
した請求項1記載の日本国の全額借金返済と貧困弱者国民自立危機に対応する家電免振装置を積載した多機能情報冷暖房無休憩発電機。
【発明の詳細な説明】
【技術分野】
【０００１】
本発明は、2011年3月上旬の東北宮城沖地震と福島県沖の地震によって、大津波事故の結果を、見て情報管理の行きとどいた無給油無休憩全自動連続作動の冷暖房切換え装置と
情報パネル装置を積載内臓の高出力水発電機の構造と産業上の利用に関する説明と地震に強く、地震後の安定した生活を推し進める為の技術説明。
尚、本発明は、国の全額借金返済と都道府県市町村区の借金全額返済と日本国の赤字経済脱却の黒字経済の安定確立の為の電気税カードと都道府県市町村区の赤字経済脱却と
黒字経済確率の為の、電気税カードと電池税カード付きの無給油連続作動発電機を、積載内臓した情報社会の有りかたの技術説明を、2011年3月23日著作権登録目的の、3000円より少し高めの著作権違いの特許文章公開に成る。
【背景技術】
【０００２】
従来の、冷暖房装置は、電気代が、高く成る為、二カ月で、7万円程の国民年金生活者では、電気を、使用した冷暖房装置では、電気代が、上がるばかりの為、二世帯住宅家庭
生活者等でも、一階と二階の、冷暖房空気ダクト官フイルター等が、無い為、少し安めの灯油ストーブが、支流に成り、ガスストーブは、高上がりに成り、燃料電池ストーブでも、高く成り過ぎるガス代は、厚生年金の月額15万円家庭でも、まだまだ、技術的に、低価格冷暖房装置を、提供出来て無いのも、企業とマスコミテレビの一人走りが、目立つのも現状で有る。
【０００３】
更に、現在有る情報装置は、海外特許のスーパーコンピューターの超小型タイプの、データーを収録出来る海外特許物件として、企業のデーター集積装置として、活躍している装置が、有るが、いずれにしても、不正競争裁判の対象物件として、テレビ報道された物も有る用で有る。
【０００４】
この他、テレビパネルにも、パイオニアの海外技術の超薄型テレビだとか、超薄型の壁掛け用テレビは、実際に有るが、家電製品にはめ込んで鑑賞したり、壁に掛けたり、両方の機能を、持ったテレビパネルは、無いのも現状で有り、持ち運びも可能な、テレビ画像パネルは、実際に存在していないのも、現状で有る。
その他、インプット全自動無休憩作動ロボットは、現在は、無くリモコン式の充電型ロボットが、おそらく最高技術に成り、水素タンク水素給油式のロボット技術までが、全世界の技術と言える理由として、活用目的と作業目的に乏しい為、普及しないのも、現状の様で有る。
【０００５】
そして、地中掘削機としては、推進機械とバイブレイション掘削機などが、有ったのを、記憶している。
【０００６】
更に、データー画像の24時間収録では、電池交換と長い電気配線を必要とした、人の力で撮影した映像を、送受信する世界最高技術のＮＨＫのハイビジョン技術が存在しているのも現状で有るが無人の全自動撮影の何年も、充電無しの撮影機器は存在していなかった。
【先行技術文献】
【特許文献】
【０００７】
【特許文献１】特開2003ー328925号公報の真空装置と機械式発電機を使っただけの水発電機
【０００８】
【特許文献２】特開2004ー135480号公報の自動充電池
【０００９】
【特許文献３】特願2006ー140535号公報の2連振子型機械式発電機
【００１０】
【特許文献４】特願2009ー271665号公報の多機能携帯電話
【００１１】
【特許文献５】特願2010ー82号公報の国の900兆円越えの借金全額返済の為の世界最新の公共事業対策
【００１２】
【特許文献６】特願2004ー304992号公報の圧電素子3電子磁気分割装置の電気から熱抵抗電気を減らして電気を長持ちさせて、電気製品に無理をかけない電気装置の有り方
【００１３】
【特許文献７】特願2010ー165355号公報の国の900兆円越えの借金全額返済の為の世界最新の公共事業対策装置
【００１４】
【特許文献８】特願2010ー171943号公報の多機能新技術携帯電話
【００１５】
【特許文献９】特願2011ー60294号公報の発電タッチパソコン
【００１６】
【特許文献１０】特願2011ー64060号公報の日本の弱者国民救済の地震対応型の多機能発電ハウスシステム
【００１７】
【特許文献１１】特願2011ー105307号公報の未来的電気自動車
【００１８】
【特許文献１２】実用新案登録第3145903号の省エネルギー水気化水発電機の水の気化物質の瞬間吸収物質
【００１９】
【特許文献１３】実用新案登録第3168043号の高出力発電7連結以上モーターコメント2011年4月14日pm21時23分もう少し書く事にする千葉県の墫野和夫
【発明の概要】
【発明が解決しようとする課題】
【００２０】
以上述べた従来の冷暖房装置は、地震に弱く、電気代が掛り過ぎる為、高齢者の国民年金生活者では、電気式の冷暖房装置は、電気料金が掛り過ぎ、日本国の厚生省でも、全ての弱者国民に対して、低料金の電気代を提供出来なかった事実で有り、2011年3月上旬の東北太平洋側マグニチュード9の地震で、発電所の破壊により、2011年の4月からの計画停電等の事実によって、災害時と災害後の電気の安定供給の出来ない日本国内の電気会社技術と大学発電技術では、国民生活を、安定出来ない事実が明白に成り、弱者国民が、尚更、税金に苦しめられる事が、事実に成ったマグニチュード9の地震と津波災害で有った。
【００２１】
本発明は、このような従来の構成が有していた電気消費問題を解決するもので有り、無害無給油の無休憩連続作動発電機の複数の発明構成を、広く日本国の自立と都道府県市町村区の自立の為の電池税と電気税を説明する事と地震連絡装置と津波全自動連絡装置等の自然の現状を主体とした超高速インターネット送受信を実現すると同時に弱者国民一人一人の自立を目的とするもので有る。
コメント
2011年4月14日pm21時53分寝る事にする千葉県の墫野和夫で有る。
コメント
2011年4月15日am5時55分から少しだけ、書く事にする千葉県の墫野和夫で有る。
【課題を解決するための手段】
【００２２】
そして、本発明は、上記目的を達成する為に、本田技研工業自動車の水素吸入式の燃料電池発電機とトヨタ自動車の固形水素の水素タンクの水素吸入式の酸素との燃料電池発電機と東京ガスの水素と酸素の瞬間吸収発電物質とガス内の水素と外気酸素の化学反応発電の燃料電池発電機と海外の自動車の水素タンクの水素と外気酸素の化学反応発電装置は、水素タンクまたは、液体ガスタンクの液体ガスが、無ければ、発電出来なく成る為、水発電技術の、真空装置技術と携帯電話等の循環発電型の軽水素酸素水の電熱線を使用した水発電機と遠心分離機を積載した発電後の水を、水素と酸素に変えて連続循環発電出来る超小型高出力遠心分離機と超小型高出力電動モーター仕切り弁と水位センサーを内蔵した、超小型高出力遠心分離機などを積載する水を、瞬間に水素と酸素の気化物質に変える装置によって、燃料電池の水循環式の水発電機を、可能にした技術に成り
硝酸は、水に入れると水が沸騰するが、一回限りしか使用出来ない為、不向きな水循環型の発電物質に成り、液体マグネシウムに水銀を、混合合成した水銀液体マグネシウムの場合は、太陽の出ている間だけの、ソーラーパネル付きの熱吸収の水素と酸素の発電物質などが、考えられるが、水を、瞬時に連続気化する技術には、程遠い技術に成る。
また、第2の課題解決手段として、水発電機に使用する水を、瞬間に水素と酸素に変える技術の高出力真空装置技術とテングステン金属内蔵ニクロム線技術と高出力遠心分離機
技術によって、水を水素と酸素に変える技術に使用する電気量を、減らす為に水物質自体を、軽水素酸素水物質の通常の水素物質の中の水素と酸素の物質の水素物質の水素物質中の重水水素プルトニュームを、水素中から、取り除く事で、軽水素トリチウム電子と酸素だけの水物質にする事で、真空装置を使って軽水素と酸素に分ける使用電気量を少なくしている技術に成る。
此の場合、軽水素トリチウム電子と酸素の割合が、軽水素トリチウム電子量が、必然的に多く成るのも、重水素の質量分だけ、軽水素トリチウム電子を、追加する為、軽水素トリチウム電子量は、かなり多く成る事に成る。
コメント
2011年4月15日am6時45分仕事の時間の為、ペンを置く千葉県の墫野和夫で有る。
コメント
2011年4月15日金曜日pm18時8分寝る時間まで少し書く事にする千葉県の墫野和夫。
【００２３】
また、第3の課題解決手段として、通常の真空装置では、電気消費が多いのが欠点とベルト切れが欠点と電動モーター仕切り弁が内蔵設置の真空装置が、2001年4月では、存在して無かった先著作権技術に成り、真空装置自体が、特許切れに成り、特許権切れの著作権だけが、存在してる状態で有ったのも事実で有った。
従って、真空装置のベルトの代わりに、鋼鉄枠歯車に、木材灰入りプラスチックを、流し込んで固めた軽量歯車は、半永久使用出来る為、ベルト切れの心配とベルト交換の心配をしなくて済むのが利点で有り、鋼鉄枠にアルミニューム金属を流し込んだ軽量歯車及び鋼鉄枠にグラスファイバー溶液を、流し込んで固めた歯車に成り、歯車軸が、十字の矢付き歯車軸構造に成り、ポルトナット固定式構造に成り、複数の軽量歯車を、連結する事で、自動車のファンベルトまたは、タイミングベルトなどが、一切必要としない為、ベルト交換の分だけ、自動車の製造なども安く設定が可能に成り、ベルトに至っては、ワイヤ入りベルトの技術によって、ベルト交換を二倍以上長持ちさせると同時に、自動車等のベルト切れ事故を、無くす事の出来るワイヤ入りベルトなどを、使用積載した真空装置にする事で、半永久無給油無休憩連続作動発電機の燃料電池循環式の水発電機技術を、可能にした技術の一つに成る。
【００２４】
そして、第3の課題解決手段の続きとして、真空装置のモーターの電気消費を、抑える技術として、高出力モーター複数新技術の構造説明として、通常コイル官を、銅筒官状に
したコイル配線に、日本国の慶応大学特許権発明の超電導配線物質のケイ素とヨウ素を、銅筒官に入れると超電導配線に成るが、日本国の慶応大学の超電導配線より、まだ電気の流れを早くする事の出来る技術として、圧電素子磁石体粒子に軽水素トリチウム電子を、混合合成する気化物質の電子集合体の軽水素を、圧電素子磁石体に混合合成する
世界初の新技術によって、圧電素子磁石体の電子発生物質を更に電気の通りを良くする為に、世界マスコミ及び日本企業及び日本の大学が、使わなかった軽水素トリチウム電子を、混合合成する事で、日本国の慶応大学の超電導配線の電気スピードを、遥かに超える電気スピードを、可能にする圧電素子磁石体に軽水素トリチウム電子だけを、混合
合成する技術に成る。
しかし、この場合、誰もが軽水素トリチウム電子の代わりに、水素を入れる技術は、重水素プルトニュームが、電気の流れを止める為、軽水素より電気スピードが落ちる事に
成る。
不正競争防止法の、著作権技術介入の盗作介入の不正技術説明
従って、銅筒官コイル配線の軽水素トリチウム電子以外の物質の気化物質として、どんなブラウン管テレビでも、映りが、現在のテレビと同じ映りを可能にした2002年9月の技術の圧電素子回路チップ技術と圧電素子充電池素子回路チップ技術と圧電素子ネオン回路チップ技術と圧電素子アルゴン回路チップ技術の著作権先技術が有る中の銅筒官コイルの圧電素子磁石体粒子にネオンガスを入れる技術とアルゴンガスを、入れる技術に成り、2001年9月末では、ネオンガス及びアルゴンガスは、そのまま使用されるだけで、固形物質に気化物質を混合合成する技術は、世界に有ったのか今だ不明で有り、特許庁などは、自分で調べなさいの一点張りで有るが、確かにアルゴンガスなどの蛍工ガスは、電気と電子を良く通すのは、ブラウン管でも公知の技術だが、圧電素子磁石体に電気の通り易いアルゴンガスを入れた場合、少なくても、日本国の慶応大学の世界最高技術の
超電導配線のヨウ素ケイ素混合配線より、圧電素子磁石体粒子のアルゴンガス入りコイル配線と圧電素子磁石体粒子のネオンガス入りコイル配線の方が、残念な事に、固形物質より、気化物質の方が電気の流れが良い物質が多く成る。
従って、固形物質は、世界の企業と大学が、競って超電導配線物資を探していた事に成る。
処が、固形物質が、液体物質のマグネシウムは、電気の流れは、良いが、燃えやすい欠点を抱えている為、固形窒素と液体マグネシウムを混合合成する事で、燃えずらい電気の通り易い物質が出来上がり、銅筒官コイル配線に固形窒素液体マグネシウムを内蔵したコイル配線の方が、日本国の慶応大学のケイ素とヨウ素の混合合成の超電導配線より
電気の流れが良く成ると考えられる。
従って、上記説明した、日本国の慶応大学の超電導配線より、電気スピードの速く成る銅筒官コイル配線に入れる混合合成の電気配線の一部を説明しましたが、銅筒官に電気の通り易い物質を、入れた電気配線は、不正競争に成り、レアーアース等の電気の通り易い金属を、銅筒官に入れたコイル配線でも、著作権先技術介入の不正競争防止法違反に成る。
従って、電子スピードと同じスピードのコイル配線と電気配線を、用意出来た事に成る。
【００２５】
そして、第3の課題解決手段の続きとして、真空装置に使用する高出力モーターのコイル板説明として、鉄枠に圧電素子磁石体粒子を入れて複数針穴構造のステンレス超薄板を
被せた構造のコイル板は、通常鉄の変わりに、圧電素子磁石体を、変わりに入れる事で、モーターコイル板を軽くする技術に成り、2001年7月までのマスコミ業界と日本の大学
の技術公開公表と日本企業全てのテレビマスコミ公開技術には、コイル板を軽くする事で、モーターの電気消費を抑える技術としてのテレビマスコミ発表と新聞マスコミ発表が、一切無かったのも事実で有る。
最近、テレビマスコミが、列車に、本田技研の特許権のＤＣブラシレスモーターを積載した列車は、列車の事業利益と特許権使用料金を、本田技研自動車工業に支払う列車会社の利益の度合が、うかがえるが、ＤＣブラシレスモーターの永久磁石の回転体部分は、永久磁石体枠に、レアーアース金属を内蔵したり、永久磁石の網の目枠に、レアーアース金属を、流し込んだモーターコイル板技術に成るが、モーターコイルの軽量化技術の不正競争に成る。
従って、不正競争に成る別の軽量モーター枠の説明を始める。
モーター内枠は、鉄または、磁気体に成るのが、条件に成り、軽量にするとどんなモーターも、電気消費を少なくする事が出来る。
その為、鉄枠の中に網の目鉄にアルミニュームと鉄の混合合成合金を入れた軽量金属を、鉄枠の中に入れたモーターコイル板の重量が、レアーアースを入れた鉄枠のモーター
内コイル板より、軽くなれば、レアーアース入りのモーター内コイル板より、軽い分だけ、電気消費を少なく出来る事に成る。
本発明の、モーター内コイルは、レアーアースより、軽い圧電素子磁石体粒子入りの鉄枠に圧電素子磁石体滑落防止の為の、超薄複数穴空きステンレス板を圧電素子磁石体に被せたコイル板は、この時点で、レアーアース金属使用と同等の軽量技術になるが、先著作権技術が、著作権の先著作権の優先順位に成り、後作品は不正競争作品に成る。
しかしながら、レアーアース金属だけでは、高出力モーターの電気消費より、少なく出来ない技術とは、圧電素子磁石体が、通常の圧電素子磁石体と異なる圧電素子磁石体とは、通常の圧電素子磁石体に軽水素トリチウム電子を多く入れた圧電素子磁石と複数針穴構造のチタン酸パリームシートに軽水素トリチウム電子を大量に入れたチタン酸バリウムシートを、交互に貼り合わせる事で、圧電素子磁石体の圧電効果による電子発生量を、増やす世界初の技術に成り、2001年8月の著作権先技術によって、圧電素子磁石体は
水素と異なる軽水素トリチウム電子の電子だけの集合体を、圧電素子磁石体粒子にたっぷり入れて内蔵する事で、圧電素子磁石体の電子発生量を、最大にする事が出来る為、
ここで、鉄枠に高出力圧電素子磁石体を内蔵して、複数針穴構造の超薄ステンレス板を、高出力圧電素子磁石体に被せる事で、軽量の電子発生量の多いコイル板が出来る事に成り、高出力銅筒官コイルを、高出力圧電素子磁石体に巻く事によって、世界最高の電気スピードコイルは、高出力圧電素子磁石体内の、軽水素トリチウム電子入りの電磁石
の電磁石力を上げる事を、世界初で可能にした技術だと言える。
従って、高出力モーターは、レアーアースを使っただけの、モーターより、電気消費を少なく出来る事に成り、ちなみに、特許権とは、特許権期間内は、特許権料金を請求出来るだけで有り、特許権期間が、無くなれば、特許権切れの著作権に成り、特許権料金は、発生しないが、勝手に作れない著作権料金が発生し、不正競争防止法によって、似た作品などの、盗作作品は、横領罪に成るのが事実に成る。
ちなみに、レアーアースを、発見した人が、特許提出しても、モーターコイル板の先技術証明が無い限り、残念ながら、不正競争の対象に成る。
昔から、不正競争の有名なのが、中々特許権に成らなかったのが、テレビ特許に成り、理由に映写機が、海外技術の為、不正競争の対象に長年日の目を見なかったのも事実で有り、ブラウン管テレビの特許切れ後、液晶技術に変わるが、実際は、テレビ技術の特許権使用料は、ブラウ官より、安く成るはずだったが、最初は、高価の金額で、利益を日本企業が得た事実は、不当に料金を上げた事に成る。
特許権が、日本の特許庁に公開に成って無い限り、不当の料金を、請求した事に成るのも、二回目のテレビ技術に成り、ＮＨＫのハイビジョン技術に続いて、三番目のテレビに成る為、安く成るばかりか、テレビパネル自体が、シャープの特許技術成らば、世界の全社が、特許権料金と事業を存続する契約のリメットの料金の上乗せに成る為、本当は、液晶テレビ自体が、シャープ以外作って販売する事自体が、事業者にとって大問題に成り、ソニー及び三菱及び日立及びナショナルは、シャープの会社の一部の子会社の説明で有り、名前を変えたシャープテレビに成り、新聞会社とテレビ放送が、事実説明しない場合は、不正競争以外何者でもない事実が、平成の時代では、平静を装って、平然と行われているのが、特許切れ説明に成り、特許権使用料金は、シャープは、作って無い分請求している為、国税に対して、全世界の販売利益だけでも、テレビ公開の何十倍〜何百倍の利益を上げて入る事に成るが、裏金の為か、マスコミ新聞とマスコミテレビは、真実を語らないのも事実な不思議な平成の特許権問題で有る。
従って、高出力モーターに対しても、不正競争の防止を考えなければ成らない。
コメント
2011年4月15日pm21時18分寝る時間なのでペンを置く墫野和夫で有る。
コメント
2011年4月15日am5時58分仕事の時間まで少し書く事にする千葉県の墫野和夫で有る。
【００２６】
そして、第3の課題解決手段の続きとして、電熱線の電気消費を、抑える為の装置説明を始める。
従って、通常の電熱線は、ニクロム線を使ってる為、電気が非常に使う装置に成る為、燃料電池の循環式に対して、電源確保と急速充電が必要に成り、電気代を少なくする技術として、ニクロム線を、筒状にしたニクロム線の空洞の中にテングステン金属を、入れる事で、電気消費を、テングステン金属分とニクロム線分にする事で、電気消費を抑えている事に成る。
この他、高出力発電回路をプラス配線にプラス高出力発電回路を取り付け、更に、マイナス配線に、マイナス高出力発電回路を取り付けた装置になり、高出力発電回路構造は
圧電素子磁石体の圧電効果の電子発生現象に対して、電子発生量を、最高量に出来る高出力発電回路に成り、高出力発電回路の。発電回路の高出力圧電素子磁石体は、軽水素
トリチウム電子の多く入った圧電素子磁石体パネルとチタン酸バリウムシートに軽水素トリチウム電子を、大量に内蔵した複数針穴形状の軽水素トリチウム電子入りのチタン酸バリウムシートと軽水素トリチウム電子入りの圧電素子磁石体シートを、交互に貼り合わせた高出力圧電素子磁石体は、圧電効果として、鉄心打撃では、通常の圧電素子磁石体より、電子発生量が多く成る圧電素子磁石体を、高出力圧電素子磁石体と命名して、高出力圧電素子磁石体の磁気の強い部分のプラス磁気に、電気打撃のプラス電気打撃
取り込み配線を、取り付けて、プラス磁気の一番弱い部分に、プラス増幅磁気電気取り込み配線を、取り付けた装置が、プラス高出力発電回路に成る。
更に、マイナス高出力発電回路は、別の高出力圧電素子磁石体のマイナス磁気の一番強い部分に通常高圧マイナス電気取り込み配線を取り付け、マイナス磁気の一番弱い部分に、増幅マイナス電気取り込み配線を取り付けた装置が、高出力発電回路のプラス高出力発電回路とマイナス高出力発電回路に成り、通常電気のプラス電気をプラス高出力発電回路にプラス電気を通した場合、高出力圧電素子磁石体の圧電効果によって、プラス通常電気は、圧電素子磁石体内のプラス軽水素トリチウム電子の圧電効果によって、プラス増幅電気を、得る事が出来て、マイナス高出力発電回路の場合は、通常の高圧マイナス電気を、マイナス高出力発電回路のマイナス磁気の一番強い部分から、マイナス通常高圧電気を、通す事で、マイナス高出力発電回路内のマイナス軽水素トリチウム電子効果によって、高出力マイナス発電回路の磁気の弱い部分から、増幅マイナス電気を得る事が出来る。
従って、高出力発電回路を取り付けたテングステン内蔵のニクロム線は、通常のニクロム線より、電気消費が、少なく成り、燃料電池の循環発電型の電熱線タイプの使用が可能に成る。
コメント
2011年4月16日am6時57分仕事の為、ここまでとする千葉県の墫野和夫で有る。
コメント
2011年4月16日pm19時7分寝るまで、少し書く事にする千葉県の墫野和夫で有る。
【００２７】
そして、第3の課題解決手段の続きとして、超小型高出力遠心分離機装置で、水を水素と酸素に超小型遠心分離機によって、水素と酸素に分ける事が、出来る装置に成り、超小型高出力遠心分離機には、高出力電動モーター仕切り弁が、設置されている為、高出力遠心分離機を、回転させる事によって、水を水素と酸素に分ける装置に成り、水位センサー反応で、高出力電動モーター仕切り弁を、開らいて、水素と酸素の液体マグネシウムの瞬間吸収発電させる装置に成るが、超小型遠心分離機を、連続回転させるには、電気消費を、抑える為に、通常モーターの電気消費より、更に電気消費を抑えたモーターとして、高出力モーターの銅筒官コイル配線技術と高出力圧電素子磁石体パネル技術を
使った超軽量の磁気アップの高速回転モーターの低電気消費モーターと高出力発電回路を積載する事によって、低電気消費モーターを、可能にしている。
【００２８】
そして、第4の課題解決手段として、燃料電池発電機の総合発電量を、アップする為に、高出力超小型水中ポンプの水力を使って、発電をするに当たって、水力不足に成る為、
水力を、補足する為に、ストレート官からスクリュー官に変える事で、高出力水中ポンプの水力を上げるのを可能にして、超小型水車板と高出力ダイナモの回転力で、通常ダイナモ以上の発電量を、得る事が出来るのも、水発電機の特徴で有る。
コメント
2011年4月16日pm20時25分眠くなったのでペンを置く千葉県の墫野和夫で有る。
コメント
2011年4月17日am9時26分から、休日の為書き始める千葉県の墫野和夫で有る。
コメント
2011年4月20日am6時14分少しだけ書く事にする千葉県の墫野和夫で有る。
【００２９】
そして、第4の課題解決手段として、燃料電池循環発電機の別名の水発電機の超小型水中ポンプは、高出力水中ポンプのモーター電気消費を、最低にする為に、高出力圧電素子
磁石体パネルの軽水素トリチウム電子入りの圧電素子磁石体シートパネルと軽水素トリチウム電子入りのチタン酸入りバリウムシートパネルの複数針穴シートパネルを、交互に貼り合わせた軽水素トリチウム電子の多く入った圧電素子磁石体を、高出力圧電素子磁石体に成り、電子レンジのマグネトロン利用等の、多彩な利用用途が有る。
そして、銅筒官コイルを、高出力圧電素子磁石体に巻いたのが、高出力電磁石に成り、高出力電磁石と高出力圧電素子磁石体を使ったのが、高出力ＤＣブラシレスレールインバータ制御モーターを、燃料電池循環式発電機の水中ポンプに使用したのが高出力モーターに成り、省電気消費モーターを、目的とした装置に成る。
従って、高出力モーターのコイル配線の超軽量化は、軽量で電気の通り易い物質が、選ばれる為、圧電素子磁石体の用に電子発生物質に軽水素トリチウム電子を混合合成した圧電素子磁石体粒子物質にする事で、電子集合体電気配線にする事で、電気の流れを電子の流れと一緒にした電気配線の為、世界最速の電気スピードを誇る電気配線に成り、銅金属より、軽量の為、内コイルに使用しても、電気消費が少なく成る。
この他、金属として、レアーアースなどの、軽量金属は、電気の流れが、良い為、合金のコイル配線と銅筒官の中に入れる金属には、コイル作動状態には成るが、レアーアース金属が、磁性体金属で無い為、コイル板には、超薄型ステンレスの複数針穴形状金属のシートパネルと超薄型のレアーアース金属シートパネルを、交互に貼り合わせた重ね合わせの超軽量金属は、磁性体金属に成り、モーターのコイル板に成り、アルミニューム金属及びチタン金属は、網アルミニュームシートにして、軽水素トリチウム電子入り
圧電素子磁石体粒子を入れたり、軽水素トリチウム電子と軽量物質のプラスチック炭素などを、混合合成した溶液を網アルミニュームシート及び網チタン金属シート等に軽水素トリチウム電子入りのプラスチック炭素溶液で、シートパネルと複数針穴形状のステンレス板を、交互に重ねる事で、レアーアース軽量金属のモーターコイル金属とは、異なった軽量金属使用のモーターコイル板は、幾らでも組み合わせを、変えれば可能に成る。
問題点説明
従って、モーター内コイルは、磁性体で、無ければ、モーターの回転力と回転スピードを、上げ続ける事が、不可能に成る為、鉄磁性体の代わりに、軽水素トリチウム電子を
入れるだけ、内蔵した圧電素子磁石体の、高出力圧電素子磁石体構造を選択して、超薄型の複数針穴形状のステンレス板形状は、高出力圧電素子磁石体内の圧電素子磁気力が
大量の軽水素トリチウム電子によって、磁性力アップを図り、複数針穴形状の超薄型ステンレス板を、高出力の電磁石に瞬時に変える工夫が、複数針穴形状のステンレス板形状に成り、超薄型ステンレス板は、直ぐに磁気力の高い金属板にする為の対策が、モーターコイル板に施した複数の技術説明に成る。
コメント
2011年4月20日am6時56分仕事の時間の為、ここでペンを置く千葉県の墫野和夫で有る。
コメント
2011年4月23日pm17時54分少しだけ、書く事にする千葉県の墫野和夫で有る。
【００３０】
そして、第5の課題解決手段として、燃料電池循環発電機の別名の水発電機の水中ポンプ室から真空装置室へ水または、軽水素酸素水を送る水管説明に成り、通常のストレート
官から、スクリュー官に変える事で、水スピードを、水中ポンプの出力を変えないで、水スピードを上げる技術が可能に成り、超小型水車板内蔵の、超小型ダイナモ発電と電磁誘導回転の連続発電も、可能にした燃料電池循環式発電の別名の、水発電機の水を発電物質とする水物質特有の発電方法に成る。
【００３１】
そして、第6の課題解決手段として、燃料電池循環発電機の別名の水発電機の放出する無駄にしている熱を、瞬間に磁気電気に変える技術として、燃料電池循環発電機の別名の
水発電機室内の全体の内パネルを、熱瞬間吸収発電パネル構造にする為、シリコンソーラーパネルに、圧電素子磁石体粒子と軽水素トリチウム電子を、混合合成した高出力ソーラーパネルに、電気取り込み配線を取りつけたパネルとスクリュー水管とスクリューエアー官説明に成り、通常のシリコンパネルに、軽水素トリチウム電子を、内蔵する事でシリコンソーラーパネルの熱吸収度を、高めて、熱電子を、多くする新技術に成り、このままでは、電子熱なので、電気変換しずらい為、シリコンに予め圧電素子磁石体粒子を混合合成する事で、大量の熱電子を、瞬間に圧電素子磁気変換する事が可能に成り、燃料電池循環発電機の別名の水発電機の発電時に発生する電気熱と発電残水がもたらす熱水エネルギーを、瞬時に磁気電子に変えて電気変換出来る新技術が確立した為、燃料電池循環発電機の別名水発電機の総合発電量をアップ出来た要因に成り、この時点で
通常の水素タンクの水素吸入式の総合発電量より、発電量が水発電機つまり、燃料電池循環型の方が総合発電量が多く成る。
即ち、スクリュー水管を、熱瞬間吸収発電スクリュー官にする事で総合発電量を燃料電池の別名の水発電機新技術は、熱エネルギーの瞬間吸収の磁気電気変換技術を、圧電素子磁石体粒子とシリコンと液晶とダイオードシリコンなどの、熱と光吸収の発電物質を、圧電素子磁石体粒子と軽水素トリチウム電子を、組み合わせる事で、熱瞬間吸収発電を、可能にした技術に成る。
【００３２】
そして、第7の課題解決手段として、スクリュー水管に超小型水車板を内蔵した高出力ダイナモの新技術説明は、通常のダイナモの中央部分を、刳り貫いた場所に、軽水素トリチウム電子入りの高出力圧電素子磁石体を内蔵して、超薄型ステンレス板カバーを、ポルトナット止めした構造に成る。
従って、高出力圧電素子磁石体の重複説明として、軽水素トリチウム電子入りの圧電素子磁石体シートパネルと軽水素トリチウム電子入りの複数針穴構造のチタン酸バリウムシートパネルを交互に貼り合わせた圧電素子磁石体を、高出力圧電素子と命名しており、高出力マグネトロン技術によって、電気の電子変換の電気消費量を、減らす事を可能にした世界初の新技術に成り、特許性の濃い新技術に成り、電磁石の合成人工磁石板の利用などによって、高出力モーターの電気消費を、世界最小に抑えた新技術に成る。
【００３３】
そして、第8の課題解決手段として、高出力電磁誘導回転発電装置は、通常の電磁誘導発電装置では、発電電気不足に成る為、電磁誘導の電磁石は、高出力圧電素子磁石体と銅筒官コイルを、使用積載する事で、通常の電磁誘導発電技術の総合発電量より、電磁誘導発電量が、増える理由として、電磁石内の電子量とコイル内の電子量が、通常の電磁石より、遥かに多い事が発電量増幅の理由に成る。
【００３４】
そして、第9の課題解決手段として、高出力電動仕切り弁と高出力電磁弁別名の高出力発電電磁弁を、燃料電池循環式発電機または別名の水発電機には、絶対に必要な装置に成り、高出力電動仕切り弁は、通常の水道の手動仕切り弁軸に、高出力モーター軸を取り付けて、一体化にした装置を、高出力電動仕切り弁と言う。
更に、高出力電磁誘導弁は、通常の電磁弁の電磁石を、高出力圧電素子磁石体と銅筒官コイルを、内蔵した電磁弁装置に成り、高出力電磁石新技術と銅筒官コイルの新技術が
墫野和夫の知的所有財産の為、高出力電磁弁技術が墫野和夫に成り、電磁弁の先に、高出力圧電素子磁石体に、鋼鉄複数針穴空きの高出力圧電素子磁石体構造にする事で、圧電素子の軽水素トリチウム電子打撃発電を、可能にした新技術に成り、微量ながら発電する事に成る。
従って、真空装置の空気官の出入り口に取り付けたり、遠心分離機の部材の出入り口に取り付ける事によって、全自動の燃料電池循環発電機の機能の全自動化を可能にしている新技術に成る。
【００３５】
そして、第10の課題解決手段として、水位センサーは、丸浮使用の、各電波遮断と各電波受信遮断全自動連絡装置と光ライン遮断光ライン遮断の全自動連絡装置と発光ライン遮断技術と発光ラインの発光光度の遮断全自動連絡装置と振動波連絡遮断認識装置の水音を受信する水中マイク受信全自動スイッチ連絡と水素イオン濃度感知連絡遮断認識装置等による軽水素トリチウム電子量の濃度感知の全自動連絡スイッチ手段による水中ポンプ室内の、水位認識確認の全自動電気スイッチシステムの説明に成り、通常のトイレ等に使用している水位感知スイッチの改良型または、別構造の水位を全自動確認して、水位位置を、電気信号スイッチ連絡出来るシステムの著作権上の一部の説明に成り、この他、循環放射線電気スイッチまたは、可視光線遮断電気スイッチまたは、循環ニュートリノ光線遮断電気スイッチまたは、スクリュー酸素圧遮断電気スイッチまたは、他の循環物質流動官の物質停止認識電気連絡スイッチなど等の、水中ポンプ室内の水位状態を、連絡出来る装置に成り、カメラの水中ポンプ室内に浮かぶ装置のカメラ焦点距離位置の電気信号全自動連絡スイッチなども、同一水位センサーの著作権上の知的所有財産説明に成る。
【００３６】
そして、第11の課題解決手段として、温度センサーは、水銀温度計センサーの光ライン遮断スイッチ型の装置の他に、軽水素トリチウム電子入りの圧電素子磁石体粒子内蔵のシリコン熱瞬間吸収発電パネルの発電量を、温度計算した熱瞬間吸収発電パネル温度センサー装置の他、液体マグネシウムと圧電素子磁石体と水銀シリコンを固形化して、複数針穴の高出力熱瞬間吸収発電シートで、固めた熱水素と熱酸素の吸収発電量で、温度計測する温度センサーに成り、この他、通常のノーマル温度センサーとデジタル温度センサーなどが、技術として公開に成っている。
従って、温度センサーの特許切れ著作権使用料金は、低価格に成り、市販の温度センサーを買って取り付けた場合は、不正競争防止法では、発明者本人は、大丈夫に成り、温度センサーの特許切れ著作権料は、市販の温度センサー側が支払う事に成る。
【００３７】
そして、第12の課題解決手段として、燃料電池の本田技研自動車工業の液体マグネシウムとトヨタ自動車の燃料電池の固形水素技術の欠点は、水素と酸素の瞬間吸収の化学反応発電は、水素と酸素の瞬間吸収発電物質の無い時代より、数段に水素と酸素の化学反応発電量を、多くした技術が、世界的に有名な燃料電池の水素と酸素の瞬間吸収発電物質に成り、この他に、炭素と水銀と軽水素トリチウム電子と発光ダイオード物質とシリコンを、混合合成下した水素と酸素の瞬間熱吸収発電物質の水素熱と酸素熱を、吸収しながら、酸素と水素の化学反応発電を可能にした多気物合成の軽水素と酸素の瞬間吸収発電物質とも言うが、燃料電池発電方法と発電方式に、水素の変わりに、軽水素を使う
のも、特徴の一つで、有るが、軽水素熱と酸素熱の瞬間吸収発電物質に成る為、複数の球体発電物質が、使用されているのも、特徴で有り、網目ブロックの発電物質形状も、特徴の一つに成るが、水素と酸素の科学反応物質材としは、液体マグネシウムと固形水素技術に対して、劣る理由に、酸素電子熱と軽水素電子熱の瞬間吸収発電物質に成り、
水素と酸素の瞬間吸収用の発電物質としては、作られて無いのも事実で有る。
従って、液体マグネシウムの本田技術と固形水素の豊田技術の水素と酸素の瞬間吸収総合発電量を、上げる技術として、本田技研の液体マグネシウム技術に対して、圧電素子磁石体粒子を、混合合成した圧電素子液体マグネシウムシートパネル技術は、雲母粒子とチタン酸バリウムに液体マグネシウムを、混合合成した複数針穴形状のシートパネル
枡内に、液体マグネシウムを、入れた構造の別名の急速発電液体マグネシウムボックス発電体の他、トヨタ自動車製の固形水素に、圧電素子磁石体粒子を、混合合成した瞬間
水素酸素発電物質の急速磁気電気変換物質の圧電素子磁石体の磁気構造を、応用した世界初の新技術に成り、この他、軽水素トリチウム電子と圧電素子磁石体粒子内蔵のシリコン熱瞬間発電複数針穴空きシートまたは複数穴空きシートを、水素と酸素の瞬間吸収発電物質の底部分に取り付ける事で、水素と酸素の発電熱を、瞬間に吸収して発電出来るシートパネルの開発によって、今まで以上の燃料電池の水素と酸素の瞬間吸収発電量の発電電気量を増やす技術を可能にした技術に成り、通常の燃料電池発電技術より、圧電素子磁石体粒子を、水素と酸素の瞬間吸収発電物質の液体マグネシウムと固形水素の中に入れる技術だけで、世界最高技術の燃料電池発電技術の総合発電量技術を、超える
画期的な、世界最新技術説明に成る。
この他、液体マグネシウム及びトヨタ製の固形水素を乗せる複数穴空きの絶縁のアルミニュームパネルは、熱瞬間吸収発電パネルの複数針穴形状のパネルを、複数穴空きのアルミニュームパネルを上下に挟み込むんで囲む事で、水の熱発電物質の落下を可能にしている熱瞬間吸収発電板構造の説明に成る。
更に、漏電防止の観点から、アルミニュームパネルまたは、亜鉛パネルまたは、アルミニューム合金パネルが、考えられるが、自動車等は、多層式金属パネルによって、絶縁と外気熱遮断が、真空構造によって、電気と熱遮断構造に成って入る。
【００３８】
そして、第13の課題解決手段として、燃料電池循環発電装置の振動防止装置として、電磁石反発コロ免振装置の振動防止技術が、世界初の振動及び地震を、物体を、電気使用によって浮かす技術によって、振動を殆んど無くす技術に成功した世界初の装置に成り、現在騒がれている原子力発電所の原子力発電免振装置とマンション免振技術と一戸建て免振技術と自動車室内免振技術と車庫免振技術と倉庫免振技術と鉄道駅免振技術と地下マンション免振技術と電信柱免振技術と水道官免振技術とガス官免振技術と石油タンク免振技術とガスタンク免振技術と化学薬品免振技術と商業機械免振技術と化学機械免振技術とエレベータ免振技術とエスカレーター免振技術と化学薬品棚免振技術と陶器棚免振技術と電気製品免振技術などに、使用積載するゴム免振技術とスプリング免振技術と異なる形状の振動を、殆んど無くす電磁石反発コロ免振技術を応用した高額商品を、地震または、振動から保護する為の装置に成る。
従って、二枚の電磁石の反発による上下の揺れ防止と左右の振動吸収材として、圧電素子磁石体粒子入りのビニールまたは、磁気鉄粒子入りのビニールパネルなどが、サイドの左右の揺れ吸収材に成り、ゴム免振及びスプリング免振構造とは、異なる他が使用して無い構造説明に成る。
【００３９】
そして、第14の課題解決手段として、燃料電池循環発電装置の電源説明として、2001年度作品の機械式発電機の改良型の高出力発電回路と高出力装置の銅筒官コイル装置と銅筒官配線装置と高出力圧電素子マグネトロン装置と高出力電磁石装置と圧電素子4電子磁気分割装置の電気中の熱電気抵抗電気を取り除く装置と軽水素ニッケルバッテリーの特許性の有る新技術を、複数積載した機械式発電機と新2連振子型機械式発電機と高出力発電回路内蔵の循環発電型バッテリーと木材粒子及び竹粒子及びスイトコン粒子軽水素水内蔵発酵発電蓄電池と高出力発電回路付きの軽水素マグネシウム蓄電池と圧電素子4電子磁気分割装置を、それぞれ積載内臓した充電池及びバッテリー及び蓄電池に成り、部品交換の2年〜3年それ以上の期間内に、半永久に連続発電出来る発電機関を、循環燃料電池発電機以外に発明の用意が、出来た為、無害無給油無休憩連続作動発電機の循環燃料電池発電機が、可能に成り、東京電力の福島県原子力発電所地震津波事故の様な、大災害の絶対無い燃料電池を、超えた発電機を、提供出来るまで、新技術を、用意した事実に成り、福島県原子力発電所及び火力発電所の資源枯渇の未来的事実に日本国の国会議員と全国の大学と企業全体が、墫野和夫の世界最新技術を、理解していただき、電気税カードと電池税カードによって、日本国の国の自立と都道府県市町村区の自立と企業の世界規模の益々な、縮小企業へ、大企業から、中小企業へ完全なる移行と縮小によって
弱者国民一人一人の自立社会制度によって、低税金社会の確立と弱者国民一人一人の財団による日本国の国庫資金保護と都道府県市町村資金保護を、目的とした弱者国民一人
一人の財団設立によって、日本国民一人一人の著作権の長年の無視の国の特許制度と著作権制度を、平等な人権に基ずく平等な特許制度と平等な著作権制度を、目的とした国の未来社会の提言目標として、書いて広く国民に知られる事によって、福島県原子力発電所事故の心配が無い新しい資源循環型の発電システムによって、自然保護と世界の自然保護を、目標とした燃料電池循環発電機の別名の水発電機の多種の新技術を、数拾の新技術を、組み合わせて作り上げられる燃料電池循環発電機の別名の水発電機の総合発電量の無害無給油の水資源循環型の発電システムによって、より多くの世界中の人達の、電気税カードと電池税カード社会自立を、国連に提言する事で、原子力発電の作らない世界社会の自立を、提言して行きたい発明者本人の考え方で有る。
別途急速蓄電池説明と別名の急速蓄電ブロックの説明
通常の充電池は、電気化学充電方式に基ずく、プラスとマイナス電極棒構造の装置を、充電池または、電池または、バッテリーの名称で呼ばれている。
従って、急速蓄電ブロックは、圧電素子4電子磁気分割装置の急速充電装置の電気中の電気熱を取り除く装置と高出力発電回路によって、急速蓄電ブロック内の電気量を、一定に電気圧電気量スイッチセンサーによって、全自動管理して、急速蓄電ブロック構造は、本田技研の燃料電池の液体マグネシウムとトヨタ自動車の固形水素を、それぞれ積載内臓した、プラス固形窒素内蔵液体マグネシウムブロックとマイナス固形窒素内蔵液体マグネシウムブロックを、厚手の固形窒素合成木材灰入りプラスチック溶液加工の絶縁体によって、プラス電気熱とマイナス電気熱を、別々にする構造にして、ヘリューム内蔵固形窒素チップまたは、フロン内蔵固形窒素チップを、入れる事によって、電気充電熱爆発を、防ぐ構造にして有り、急速蓄電ブロックは、プラス急速蓄電ブロックとマイナス急速蓄電ブロック構造に成り、外部熱遮断膜構造として、固形窒素入り発砲スチロールシートとステンレス板シートの多重重ねシートパネル内に、急速蓄電ブロックの固形窒素内蔵液体マグネシウムタイプと固形窒素内蔵の豊田自動車製の固形水素使用積載の急速蓄電ブロックに成り、急速充電熱防止構造として、液体マグネシウムに微量フロンガス内蔵のチタン酸バリウム圧電素子磁石体粒子網に液体マグネシウム溶液を絡ませる急速蓄電ブロック構造に成り、半永久に無交換として使用出来る電気蓄電出来る急速蓄電ブロックに成り、電気蓄電連絡棒装置は、銅筒官に固形窒素と微量のフロンガスを入れた電気配線が有り、完全にプラス電気とマイナス電気は区別され、電気蓄電熱融合も避けた構造に成った急速蓄電ブロック構造に成る。
従って、急速蓄電ブロックは、充電池と異なり、交換不要に成り、半永久に使用出来るのが特徴の一つに成る。
コメント
2011年4月23日pm23時01分寝る事にする千葉県の墫野和夫で有る。
コメント
2011年4月24日am9時36分日曜日なので少し書く事にする千葉県の墫野和夫で有る。
【００４０】
そして、第15の課題解決手段として、燃料電池循環発電機は、東京ガスなどのガスの中の水素と外気酸素を、科学反応させて発電出来る水素と酸素の瞬間吸収物質を使った燃料電池は、存在するが、燃料電池の発電時に発生する発電熱エネルギーは、暖房用または湯沸かし用には、使用していないのが現状で有る為、無駄に成る、燃料電池循環式の
別名の水発電機の、発電熱を、水位センサー付き及び水位センサーブザー及び水位センサー携帯電話連絡装置によって、水タンクの水が無い事を、水位センサーの無線波連絡出来る機能を、持った燃料電池循環発電機に成り、燃料電池循環型発電機外部全体を、水で埋める事で、燃料電池循環式の圧電素子粒子内蔵液体マグネシウムの高出力発電体が発電時に発生する熱エネルギーを、吸収する役目を果たしてる為、風呂の循環湯沸かしホース配管などを、接続する事で、24時間風呂も、可能に成る湯沸かしシステムに成り、東京ガスとは、異なった湯沸かし装置に成り、沸騰水の場合は、電気ニクロム線の二度沸かしシステムで沸騰水を作る事が可能に成り、ニクロム線は、ニクロム線筒内に
テングステン金属を内蔵した二重金属ニクロム線を使用しているのも、特徴の一つで有り、電気消費を、少なくする考えからの二重金属ニクロム線に成り、電気消費は、燃料電池循環発電機の発電熱を使用する為、電気消費はかなり、抑える事が可能に成る。
更に、暖房のエアー官は、スクリュー官と高出力電動モーター仕切り弁を、複数使用する為、洗浄システムは、温水を入れてスクリューファンで汚れを、全自動で落とす為、為、洗浄後の温水は、洗浄水タンクに保管されるシステムになり、洗浄後は、カラーランプと無線波で、専用のリモコンまたは、携帯電話に全自動連絡する事が、出来る装置に成り、家電リモコン装置も、送受信無線波システムが可能なリモコン装置に成る。
【００４１】
そして、第16の課題解決手段として、燃料電池循環発電機の、冷房装置は、国の進めているフロンガス大気放出対策を、行った固形フロンボックスアダプタは、固形窒素と炭素物質に、フロンガスを混合合成した複数穴空き立方体に、固形窒素フロンガス入りのビニールを、固形窒素と炭素物質にフロンガスを混合合成した複数穴空き立方体に、固形窒素フロンガス入りビニールを、被せる事で、フロンガスの大気放出を、防いでおり、冷却ガスには、固形窒素ガスを使用する事で、フロンガスの使用を、取りやめにする
事によって、自然界に害の無い窒素ガスと固形フロンガスの組合せによって、自然界破壊を、防いだシステムに成り、2002年の10月の固形フロンの著作権技術の先技術の知的所有財産権主張を、行うべき冷却装置に成り、値段の高いヘリュームは、固形窒素と炭素合成球に内蔵して、劣化防止のビニールプラスチックで包み込んだ冷却物質の球体を
冷却タンクに詰め込んで、窒素ガスを循環させる冷却装置なども、固形フロン同様に冷却物質のリサイクルの再利用によって、フロンガスの大気放出の他、ヘリュームガスの大気放出を、避ける技術説明に成っている。
従って、冷却システムの熱は、湯沸かしの温水に利用したり、湯熱瞬間吸収発電システムによって、発電可能に成る世界最新式の冷暖房の湯沸かし器付きの燃料電池循環発電機に成る。
従って、空気取り入れ電動モーター仕切り弁装置は、外部高出力波形形状調整型の電動モーター仕切り弁のデザイン形状の異なった電動モーター仕切り弁に成り、高出力電磁弁も、波形形状型の高出力電磁弁と高出力圧電素子体発電型の高出力電磁弁も存在する。
従って、冷暖房送風装置の電気消費を、世界最小にする為、高出力卍形状レールＤＣブラシレスモーターを、使用する事によって、世界最小の電気消費フアンモーターの使用によって、冷暖房送風の電気消費を抑えている。
この他、スクリュー官送風と高出力ダイナモまたは、高出力電磁誘導発電装置は、固形窒素入りプラスチック板の風車板を、スクリュー官の速度を増した送風によって、送風管の電磁誘導風車発電システムに成り、熱瞬間吸収発電パネル官の軽水素トリチウム電子入り圧電素子磁石体粒子内蔵のシリコンパネル発電官によって、瞬間の熱吸収発電と
送風管の送風発電も、可能にしている高出力電磁石新技術と高出力圧電素子新技術と銅筒官コイル配線別名の高出力銅筒官コイル配線技術の組み合わせによって、電気消費を
軽水素トリチウム電子の増幅電子技術とシリコンと圧電素子磁石体の熱瞬間吸収磁気電気変換技術と軽水素トリチウム電子と圧電素子磁石体の組合せの増幅電子変換装置によって、今まで、不可能で有った、熱を、超最小の発電装置にする技術によって、熱を無駄なく電気に変える事で、省電気消費の冷暖房装置を、可能にしている世界初の冷暖房装置の説明に成り、他社に絶対に無い冷暖房装置によって、今回の、福島県原子力発電事故と北陸太平洋側マグニチュード9の地震津波の被害後の、化石燃料を使用しない冷暖房装置と家庭の電気配線を使わない冷暖房装置によって、一日も、速い復興と地震と災害に強い電気製品の提供を目的として、電気税カードと電池税カードの国の法律と都道府県市町村の法律を改正して、資源のリサイクル化と原子力発電所事故と火力発電所事故停電と資源枯渇事故防止の為の、冷暖房装置付きの燃料電池循環発電機の別名の水発電機の公開の場での、国と都道府県市町村区が、進める安全で資源の枯渇しない、水発電機の促進と一日も早い国の全額借金返済と都道府県市町村区の全額借金返済を願う者の冷暖房装置付きの燃料電池循環発電機の別名の水発電機の説明に成る。
【００４２】
そして、第17の課題解決手段として、冷暖房システム付きの燃料電池循環発電機の別名の水発電機のテレビの映像パネルを、冷暖房装置の前の部分にはめ込んで使用するはめ込み型の、画像パネル家電製品は、電気を直接に、燃料電池循環発電機から得る事の出来る高出力発電回路付きのテレビ画像パネルに成る。
従って、メリットとして、例えば、高出力発電回路付きのテレビ画像パネルだけを、交換して、燃料電池循環発電機の別名水発電機の使用が、半永久に使用可能に成り、高出力発電回路付きテレビ画像パネルは、回路ブロックのはめ込み型のテレビ画像装置に成る為、テレビの修理代が、簡単で誰でも修理が出来て、修理費が、一回に付きの15000円以上の30000万円の修理代請求の現在の企業の修理体系の有りかた説明に成り、多少の水濡れでも、再利用が可能な、回路ブロックのはめ込み型テレビ画像装置に成る。
他社技術の特許切れの、二画面切換えは、送信されて来るテレビ画像を、最初から、8画面送受信テレビ映像波装置にする為に、テレビ局の送信回路を、変えなければ成らないが、受信する側の、テレビ回路の本数を、減らす事が出来る為、家庭での複数画面のテレビ鑑賞の電気消費を、大幅に減らす事の出来る複数画面の送受信切換えシステムの簡単な説明に成り、家庭での電気消費を、少なくする為、テレビ局ネットワークを、作って、一度に8画面または、16画面または、32画面または、64画面または、128画面のテレビ局の放送電波にして、家庭で、一画面〜二画面〜四画面〜六画面〜八画面にテレビリモコンで画像選択する多種画像電波にする事で、家庭での二画面以上の電気消費を、行う事を、可能にしたテレビ画像の二画面以上画像を、電気消費を、今までの複数回路二画面方式から、テレビ局の送信局の時点で、複数画面の送信を、予め行う為の、128画面
テレビ波の圧縮テレビ波送信技術に成り、テレビ局ネットワークの複数画面テレビ放送システムが、完了した場合は、通常のテレビのアンテナ受信装置に、別のリモコン式の
テレビ画像切換えリモコン装置を取り付ける事で、多画像テレビ放送を、楽しむ事が出来る世界最新式の多画像テレビ放送観賞システムの説明に成る。
取り合えず、北海道知事に、著作権先技術の低電気消費で多画像テレビを、観賞出来るシステム説明を、ハガキに書いて2011年4月24日昼頃近くのセブンイレブンのポスト投函して来た為、今後、先技術の著作権争いを、含めて、日本国内の企業及びテレビ局との著作権闘争と第2のデジタル放送波の有りかたの改革案に成り、今後このシステムを、制した個人または、企業が、特製テレビの販売権の主導権を、握る為、海外進出用のテレビ販売にも、注目が、寄せられる事に成る新しいテレビネットワーク時代の幕わけに成るテレビ局送受信システムとテレビシステムの他社と異なったテレビの送受信システムの内容の説明に成る。
そして、
【００４３】
そして、第18の課題解決手段として、冷暖房システム付きの燃料電池循環発電機の別名の水発電機のテレビ画像システムに対して、全自動の無休憩送受信付きのライト水中カメラ映像とライト海中カメラ映像と山林の全自動無休憩の、ライト集音マイク付きのカメラによって、自然の実写映像を、24時間放送連続の365日連続の半永久の自然画像放送を、家庭のテレビで、複数画面または、二画面等の複数画面など、一つ画面で、24時間連続の自然界の生の放送を、楽しむ事の出来るテレビ局ネットワークのテレビ波送信は
予め、自然界画像波を、受信して、テレビ局の多チャンネル放送と組み合わせて、多画像テレビ電波として、テレビ局送信するシステムに成り、家庭のテレビでは、自然界の実写の生の画像を、24時間無休憩で、連続して楽しむ事が、出来る放送に成り、水中ライトカメラの多カメラ画像と全自動水中ロボットのインプット全自動作動ロボットによって、水中の生の撮影を、可能にした技術に成る。
水中ライトカメラの説明
従って、水中のライトカメラは、半永久連続発電作動出来る新2連振子型自動充電池と新2連振子型機械式発電機の積載によって、水中で交換無しの、連続発電の電気エネルギー確保に成り、水中の複数ソナー波を、キャッチ出来る海底ＧＰＳつまり、海底地図に基ずく水中段数ソナー装置は、新2連振子型自動充電池の連続発電した電気エネルギーを
使用して、360度全自動で、海上の海上浮遊ソナーによって、水中段数ソナーの位置を、全自動にカラーライトライン位置と水中段数ソナーの位置を、海底地図位置確認によって、全自動把握する事で、水中ロボットの位置と水中段数ソナーの位置と海上浮遊ソナーの位置を、ＧＰＳ衛星波の送受信の海上の位置確認によって、水中ロボットの位置確認と認識把握が出来るシステムに成り、山岳ヘリコプターの新2連振子型機械式発電機の半永久の発電した電気供給によって、空中での海上上空での、低位置での水中のソナー波を、海上浮遊ソナー装置によって、複数ソナー波(スクリュー複数ソナー波)を、通常の衛星波または、スクリュー無線波に変えた水中ソナー波を、複数の山岳ヘリコプターの電波中継によって、地上のテレビ局まで、海底の水中情報を、24時間無休憩で、金属探知カメラとレントゲンスコープカメラとサモーカメラとライト高出力ＬＥＤライトカメラによって、撮影された画像を、365日24時間無休憩で、連続撮影を、可能にしている海底水中カメラの撮影画像を、連続で送る送受信システムとスクリューソナーによって
海底の高速電波の送受信が、可能に成った装置説明に成り、水中ロボット及び段数ソナー及び海上浮遊ソナーのスクリューソナー波は、一度に同じ映像と音声を、複数送受信する事で、海底ロボット位置と水中段数ソナーの位置を、的確にスクリューソナー波キャッチする為の複数ソナー波送受信装置の有りかた説明に成る。
コメント
2011年4月24日pm13時13分昼食休憩とする千葉県の墫野和夫で有る。
コメント
2011年4月24日pm13時37分から再び書き始める千葉県の墫野和夫で有る。
【００４４】
そして、第18の課題解決手段の続きとして、冷暖房システム付きの燃料電池循環発電機の別名の水発電機の、テレビ画像に送られる水中映像と海中映像の説明に成る。
従って、海上ソナーは、4つの超小型スクリュー高出力2連結以上モーターを、8っ個の水平位置に四個のダブルスクリューモーターを積載内臓したライトカメラ付きの、海上ＧＰＳ付きの海上位置の全自動の元位置帰還システムを、備えた発砲スチロール入りゴムの浮遊補助装置と上下の浮き沈みを、調整する水中超小型高出力2連結以上モーターを、上下に四か所設置した海上浮遊装置に成り、新2連振子型自動充電池(別名自動電池)を、積載内臓した衛星波を、スクリュー複数ソナー波に変える装置と複数スクリューソナー波を、衛星波及びスクリュー無線波に変える送受信装置に成り、海上高度計を、備えた津波の高さの全自動観測連絡装置付きの海上浮遊ソナー装置に成る。
従って、全自動位置元の位置帰還装置は、海上地図積載の、海上ＧＰＳの海上浮遊ソナーの元位置と現在位置を、全自動で電波位置セッテング位置認識を、全自動で行って、8
個のスクリュー水中スクリューを、電気送電全自動海上ＧＰＳ位置調整によって、海上浮遊ソナー(海上ソナー)を、安定した海上の位置に固定する事が、可能に成り、水中の段数ソナーと水中ロボットの映像を、24時間体制で、監視水中海中映像を、送受信出来る事に成る。
海上が、大しけの場合は、金属性の超細アンテナを、海上に出して、海上ソナー自体が、水中1メーター〜2メーター付近まで、全自動作動で潜り、金属製の超細アンテナを、海上に出して、海上の大しけの波対策を、全自動で行うシステムも、備わっており、海上浮遊ソナーを、二台以上にする事で、海底の水中映像を、大しけの場合でも、地上に
映像音声データーを、送る事の出来る海上浮遊ソナーの説明に成る。
段数ソナーの説明
従って、段数ソナーは、海底数万メートルの海底の水中海中映像を、全自動で、送受信出来る装置に成り、段数ソナーは、新2連振子型自動充電池の連続して高出力ダイナモ発電と高出力発電回路発電と高出力電磁誘導発電した電気エネルギーによって、水平方向に8個の高出力スクリューモーターと上下に8個の高出力スクリューモーターを使用した装置に成り、数多くの水中高出力スクリューモーターの重量が、増える為、有る程度の水中位置安定の為の発泡スチロール板内蔵のプラスチック網パネル板を、使用積載する事で、段数ソナーの水中浮遊力安定を行っている。
また、高出力スクリュー2連結以上モーターカバーは、金属網カバーに、木材灰入りプラスチックパネルを内蔵したモーターカバーによって、水中のモーター軽量化対策と木材灰入りプラスチック段数ソナー本体部材によって、軽量化の段数ソナー技術としている。
この他、段数ソナーを、数百メートル毎に、海底までに、段数式に複数スクリューソナー波を、送受信連続作動させる事で、地球上の海底の最深部の365日の24時間の無休憩の
連続ライトカメラ撮影映像を、地上まで、複数の段数ソナーと海上浮遊ソナーによって、水中海中映像の24時間無休憩の連続ライトカメラ撮影が、可能に成り、今まで見た事の無い体験した事の無い海底及び水中映像を、24時間無休憩で、送受信連絡出来る事により、家庭でも、365日24時間体制で、海中及び海底のライトカメラ映像を、家庭テレビで見る事が可能に成る水中ロボット技術と段数ソナー技術と海上浮遊ソナー技術に成り、水中ロボットは、どんな位置でも、水平方向が、保たれる燃料電池循環発電機の別名水発電機積載の水中ロボットと高出力スクリュー水中2連結以上モーターを、積載内臓した装置に成り、スクリューソナー波の送受信装置と海底地図の海底地図ＧＰＳ機能積載の水中ロボットに成り、多層式カードの木材灰入りプラスチック絶縁体使用の多層式カードのロボット全自動データー回路などを、積載内臓した水中高出力ＬＥＤライト使用積載の水中サモーカメラと水中レントゲンスコープカメラと水中望遠鏡カメラと水中マイクと水中鉱物貯蔵の高出力電動モーター仕切り弁納入室を、積載内臓した水中ロボットによって、海底開発のトップ実績と海底映像の365日24時間無休憩提供を、行う事を可能にした水中ロボットシステムに成る。
この他、海底地図位置の正確な計測の為に、複数の海底ＧＰスクリューソナー波の送受信装置を、海底の安定した場所に、燃料電池循環発電機積載の海底ＧＰＳと海底水中ロボットコンピューター等の設置によって、今後の、未来の海底作業と海底情報を、365日24時間無休憩で、実写映像の送受信を、可能にする事が可能に成る。
【００４５】
そして、第19の課題解決手段の説明として、海底地震計を、段数ソナーと海上浮遊ソナー山岳ヘリコプターの複数のスクリュー無線波送受信装置または、衛星スクリュー波によって、海底の深くの地震計データーを、365日の24時間無休憩で、自動充電池内蔵のスクリューソナー波送受信装置内蔵のライトカメラ付き海底地震計の説明に成り、設置は
全自動補助リモコンインプットの水中ロボットを、使用して海底地震計を、設置する事が出来る世界初の、コード無し海底ライトカメラ付き地震計に成る。海底地震計の位置確認は、海底地図の位置確認と海底地震計内蔵のカラーライトラインの放射発光カラー光にて、地震計の位置確認を行う事に成る。
【００４６】
そして、第20の課題解決手段の説明として、冷暖房システム付きの防犯ライトの高出力ＬＥＤ増幅ライトは、軽水素トリチウム電子入りのＬＥＤダイオードライトを、室内のライトの玉切れ時の、緊急ライト光を、内蔵した冷暖房付きの燃料電池循環発電機の別名の水発電機の緊急用の複数の軽水素トリチウム電子入りのＬＥＤダイオード増幅ライトを、内蔵設置して、防犯用の放射能線内蔵パネル使用積載のサモーカメラと通常カメラ切換え型の防犯用対策のライトカメラに成り、映像は、全自動で、専属携帯電話の防犯映像に全自動で、録画録音出来るシステムに成り、アンテナは、圧電素子磁気粒子内蔵アンテナを、使用積載した燃料電池循環発電機の別名の水発電機に成る。
コメント
2011年4月24日pm15時27分少し休憩をする千葉県の墫野和夫で有る。
【００４７】
そして、第21の課題解決手段の説明として、山林の365日24時間の無休憩撮影装置の説明として、インプット全自動木登りデーター送受信ロボットは、レントゲンスコープカメラの一回のレントゲン使用のガンマー線を、プラスチック溶液に混合合成させて、クリスタルガラス筒パネル内に、一回分のガンマー線プラスチック透明溶液を、高圧縮クリスタルガラス筒内に放射線のガンマープラスチック溶液を内蔵する事で、微量のガンマー線をクリスタルガラス内に内蔵した放射線カメラは、高出力電動モーター仕切り弁によって、外気に超微量放射線の影響を、与えない構造に成っており、一回分のサモーカメラに使用するアルフアー線内蔵のプラスチック溶液内蔵の放射線防止クリスタルガラスによって、アルフアー放射線を、内蔵したアルフアー線飛散防止カメラパネルとペーター放射線内蔵のクリスタルガラス筒放射線飛散防止カメラパネルによって、サモーカメラに使用する一回分の放射線を、一回分の放射線飛散防止内蔵パネルによって、半永久に使用可能な安全なサモーカメラに成り、ＬＥＤ軽水素トリチウム電子内蔵ダイオード発光ライトの望遠カメラによって、山林の動植物を、24時間体制で、全自動撮影のスクリュー無線波とスクリュー携帯波とスクリュー衛星波によって、テレビ局に山林画像データーを、送受信する装置に成り、電源は高出力の新2連振子型自動充電池の連続無休憩発電の電気エネルギーを使用して作動する4本の手足は、高出力モーターカメラによって、手足の木々の固定を計る為の、カメラ焦点位置のロボットアタッチメント設置位置全自動確認装置に成り、スクリュー無線波型の全自動ロボット作動認識認知確認判断
連絡システムブロックデーター装置の多層式圧電素子磁石体粒子カードは、ＧＰＳ位置確認装置と山林の映像データーを、仮にストックする事の出来る多層式圧電素子磁石体
粒子カードシステムと回路ブロックなどが、内蔵されたインプット全自動木登りデーター送受信ロボットによって山林の365日の24時間無休憩連続撮影映像を、テレビ局まで、送受信を、可能にした装置に成る。
この他、ヘリコプターのプロペラを、木登りデーター送受信出来るロボットに積載内臓したタイプの全自動撮影ロボットも有る。
【００４８】
そして、第22の課題解決手段の説明として、燃料電池循環発電機の別名の水発電機の3重構造超高速配線は、銅筒官配線と異なった部材を使用した土粘土粒子入りのプラスチックゴム電気配線表皮装置と銅筒官電気配線と、軽水素トリチウム電子入り圧電素子磁石体配線と窒素ガス内蔵圧電素子磁石体配線の三重構造超高速配線の特徴は、電気配線の
熱溜まりを、防ぐ為に固形窒素を、入れているが、フロンガスまたは、ヘリュームガスを、圧電素子磁石体のチタン酸バリューム溶液に内蔵した電気配線も、熱溜まりを防いだ電気配線に成り、超電導配線の冷却配線の冷却物質量には、程遠いヘリームガスが、必要に成る為、電気熱溜まりを防ぐ為の冷却装置に成る。
コメント
2011年4月24日pm17時24分布団干しの取り入れと夕食後、再び書き始める千葉県の墫野和夫で有る。
【００４９】
そして、第23の課題解決手段として、冷暖房装置の熱瞬間吸収発電パネル型スクリュー官装置の風車板発電装置は、熱瞬間吸収発電パネル官は、軽水素トリチウム電子入りの圧電素子磁石体粒子内蔵のシリコン官に、木材灰入りプラスチック絶縁体カバーを取り付けた熱瞬間吸収発電二重パネル官に成り、ハート型風車は、高出力ダイナモの通常ダイナモの中央部分を、刳り貫いた場所に、軽水素トリチウム電子入りの高出力圧電素子磁石体を内蔵して、超薄板ステンレス板カバーを、ポルトナット止めしたダイナモ装置が、高出力ダイナモと命名され、通常ダイナモの電気打撃で、軽水素トリチウム電子入りの高出力圧電素子磁石体の電気打撃の電子発生現象が起こって、増幅ダイナモ発電技術説明に成り、軽水素トリチウム電子入りの圧電素子磁石体を、通常ダイナモの変わりに使用する為、必然的に、軽量化された高出力ダイナモに成り、送風力に障害に成った
場合は、高出力電磁誘導発電装置は、通常の電磁誘導発電装置より、発電力の上がる高出力電磁石は、高出力圧電素子磁石体の軽水素トリチウム電子入りの圧電素子磁石体シートパネルと軽水素トリチウム電子入りの、複数針穴形状のチタン酸バリウムシートを、交互に貼り合わせた軽水素トリチウム電子がたっぷり多く入った圧電素子磁石体を、高出力圧電素子磁石体に成り、複数針穴形状の超薄型のステンレス磁石板で、高出力圧電素子磁石体を、包み込んだ高出力人工合成永久磁石に、銅筒官コイル配線を巻いた高出力電磁石に鋼鉄永久磁石の磁気打撃発電する装置全体を、高出力電磁誘導発電装置に成り、通常の電磁石から、軽水素トリチウム電子が、大量に入った圧電素子磁石体の電子発生量が、増える理由として、圧電素子磁石体内の軽水素トリチウム電子の圧電効果による発電現象の為、電磁誘導発電装置によって、スクリュー送風管の送風発電を、可能にしている新技術に成る。
従って、電気供給配線それぞれには、高出力発電回路の、プラス配線には、プラス高出力発電回路とマイナス配線には、マイナス高出力発電回路が、取り付く形状に成った装置で有り、圧電素子4電子磁気分割装置によって、電気抵抗を、取り除いている装置に成る。
【００５０】
そして、第24の課題解決手段として、冷暖房装置の室内暖房装置用の送風スクリュー風〜ストレート風変換装置は、新2連振子型機械式発電機発電電力によって、送電して、酸化鉄合成のセラミック球体内蔵のテングステン内蔵二重金属ニクロム線は、ニクロム線の筒線内に、テングステン金属を入れた二重金属のニクロム線に電気を通して、熱風を作るシステムに成り、電熱線の電気消費を抑える為に、水タンクに電気を通して、加湿する事によって、部屋の温度を上げた場合、電気消費を、抑える事が出来る装置に成り
加湿用及び空気清浄用に温水シャワーカーテンを使った送風装置によって、空気の清浄を、行いながら暖房する電気ストーブは、スクリュー熱瞬間吸収発電体内蔵送風増幅装置によって、高出力電磁誘導発電装置によって、電気消費を、少なくした電気ストーブの冷暖房装置に成る。
【００５１】
そして、第25の課題解決手段として、冷暖房装置の高出力エアー仕切り弁は、波形形状空気調整型スクリュー官仕切り弁は、高出力ＤＣブラシレスレールインバータ制御モーターは、複数型高出力発電回路カートリッジボックスは、電気配線モーターアダプタ装置と複数束配線装置によって、数の多い配線を処理する為の装置に成る。
そして、第26の課題解決手段として、画像パネルと熱瞬間吸収発電パネル等を、止めるナットは、半ナット型ダブルブロックロックナットの先にゴム物質が取り付けられて下り、4箇所回転式ポルトゴムは、ポルトゴムの先が、押されて潰れる事で、ポルトの緩み防止を計算したポルトナット構造に成り、半ナット型ダブルブロックナット形状は、ピン止め方式で、ポルトの緩みを、無くしている構造に成る。
更に、高出力発電回路アダプタ電気取り込み口コンセントと高出力発電回路アダプタ電気送電コンセントから成る電気取り込み口と送電口説明に成る。
【００５２】
そして、第27の課題解決手段として、燃料電池循環発電機の別名の水発電機のインターネット送受信装置の高速電波スクリュー官装置は、無線波及び衛星波及びテレビ波及びインターネット波及び携帯波などの電波スピードを上げる為の高速電波スクリュー官は、電波送受信装置で、発生した電波を、スクリュー絶縁体官を通ったスクリュー電波が圧電素子磁気アンテナを通して、送信出来るスクリュー電波官に成り、電圧を、上げる為、電気消費が、通常より多く成る為、リチウム充電池及び水素ニッケル充電池の電気消費が、多く成る為、高速電波を使用した持ち運びパソコンなどは、不向きに成り、新2連振子型自動充電池などの、連続発電する電源が無い限り、高速電波使用の形態電話及び無線装置及びカーナビゲイションインターネット等の高速電波は、電気消費が、多く成る為、電源確保出来る機器だけが、高速電波使用に成るが、今後、電波障害を、含めた山岳ヘリコプターなどの、個別のスクリュー波の安全な山岳ヘリコプターの高速電波中継基地に基ずく高速送受信電波システムの活用が期待出来る。
【００５３】
そして、第28の課題解決手段として、燃料電池循環発電機の別名の水発電機に積載する冷暖房装置の電気回路と画像装置の電気回路に使用積載する高出力発電回路は、高出力圧電素子磁石体に、軽水素トリチウム電子を、最大に内蔵した装置が、高出力圧電素子に成り、通常の圧電素子磁石体構造とは、少し違う構造に成り、軽水素トリチウム電子入りの圧電素子磁石体シートパネルと軽水素トリチウム電子入りの複数針穴形状のチタン酸バリウムシートを交互に貼り合わせる技術が、軽水素トリチウム電子を多く圧電素子磁石体に入れる技術に成り、通常の圧電素子磁石体構造とは、少し異成った構造に成るのが、もう理解いただけたかと考えます。
従って、高出力ＬＥＤライト玉技術は、通常の樹脂レンズを、発電プラスチックガラスレンズは、軽水素トリチウム電子とガラス粒子とシリコンプラスチック溶液を、固めた軽水素トリチウム電子入りのシリコンガラスに成り、硝子の周囲には、軽水素トリチウム電子入りの圧電素子磁石体プラスチックカバーによって、電気熱を瞬間に電気変換する装置に成り、ＬＥＤチップのダイオードに軽水素トリチウム電子を、入れるだけ内蔵する事で、ＬＥＤ発光ダイオード玉の、発光度を増す事に成る世界最新技術に成り、軽水素入りの炭素シリコンソーラーパネル等によって、軽水素を、電気を通る物質に入れて電気を通すとわずかながら、増幅する現象の一番わかり易い技術として、軽水素トリチウム電子入りの炭素シリコンソーラーパネルの先技術優先権主張に伴った発光ＬＥＤライト玉の増幅装置に成り、テレビ回路のアルゴンチップとネオンチップは、2002年10月の著作権先技術に成り、今後、著作権先技術原本の公開などをして、発光ダイオードライト玉の、アメリカ合衆国の特許庁の日本企業の発光ダイオードライト玉の特許提出に伴うアメリカ合衆国の審査請求書の公開とアメリカ合衆国では、認められる先技術証明の著作権技術の年月日証明は、知的所有財産の先技術証明は、アメリカ合衆国では、認められ、日本では、特許切れ商品は、誰でも作れると説明するのが、特許庁と経済産業省になるが、アメリカ合衆国では、特許期間中は、特許料金に成り、特許権使用契約が、必要に成り、特許切れ後は、特許切れの著作権が、発生して、特許切れの著作権契約を、行わない限り、著作権の不正競争防止法違反に成り、場合によっては、高額な著作権料発生の場合も有り得るのが、人の財産を勝手に奪う行為の詐欺罪と横領罪が、適用される事が、多い理由として、日本国内の賠償請求裁判は、賠償額に応じて、賠償請求裁判費用を、多く払わなければ、裁判は出来ない為、横領罪と詐欺罪で、告訴するのが、一番費用が、安く済み、速い裁判が、行う事の出来る為、通常は、告訴に成るのが
アメリカ合衆国の特許書きには、必ずアイデアを、含む著作権が、絶対必要視され、著作権の発生の証明の年月日証明は、絶対に必要視されるのは、途中で裁判中止に成らない用にする為の対策は、日本の特許法の金の有る者が、特許提出を、受理され、特許提出文章のみが、特許権の優先権日としているのが、日本の特許法に成り、先著作権技術が、公開に成っていて、特許提出日より、明らかに先の発明した事実の著作権文章が有っても、特許庁職権では、金支払優先主義の特許提出によって、弱者国民の知的所有財産の著作権の先技術説明文章の著作権物の無視が、行われているのが、特許法の商品の特許番号明記義務を、無くす事によって、弱者に無駄に成る特許番号調査費の無駄金を払わせる事が、お金の流通を良くする説明として、企業効果の経済効果説明としているのも、マスコミの特許番号の未公開に成り、弱者に無駄金を使わすのが、経済効果の人権無視に対する説明を、法務大臣に公開上のマスコミ公開説明が必要視される現在の特許法の現況に成る。
コメント
2011年4月24日pm21時19分寝る時間なので、ペンを置く千葉県の墫野和夫で有る。
コメント
2011年4月25日am6時00分仕事の時間まで、少し書き始める千葉県の墫野和夫で有る。
【００５４】
そして、第29の課題解決手段として、燃料電池循環発電機の別名の水発電機に積載する冷暖房装置に積載する超高速認識ＣＣＤ装置は、通常のダイオード光認識パネル装置に対してダイオードパネル内に、軽水素トリチウム電子を、多く入れる技術によって、ダイオードの光電子変換スピードが、速く成る為、デジタル波カメラとノーマル波カメラとスクリュー波カメラの光電子データーの電気送信及び電子送信が速く成り、軽水素トリチウム電子入りプラスチック配線は、固形窒素と軽水素トリチウム電子とプラスチックを合成した回路配線の他、窒素ガスと圧電素子磁石体と電気の通るプラチックを、混合合成した回路配線及び炭素窒素軽水素入りプラスチック配線などによって、光電子を
超軽量回路物質によって、光情報を、連絡する回路配線説明に成り、酸化漏電防止剤として、炭素窒素絶縁プラスチックコーテング及び木材灰窒素合成プラスチックコーテングによって、レアーアース回路及びアルミニューム鉛合成回路及び鉛錫合金回路及び鉛回路などの代わりの回路配線に成る。
コメント
2011年4月25日am6時42分この辺でぺんを置く千葉県の墫野和夫で有る。
コメント
2011年4月25日pm19時40分寝るまで、少し書く事にする千葉県の墫野和夫で有る。
【００５５】
そして、第30の課題解決手段として、燃料電池循環発電機の別名の水発電機に積載する画像パネル装置の、テレビ波インターネットは、高速スクリューテレビ波インターネットに成り、電気スピードの速い電気で作り上げたテレビ波を、絶縁スクリュー官に高速電波を通して、更に電波スピードを、上げた高速電波に成り、高出力装置の銅筒官配線と銅筒官コイル配線と高出力電磁石と銅筒官コイル配線を使用た高出力コンデンサーなどを使用積載内臓した高出力送受信装置に成り、海底地震計データーは、海底地震計データー受信中継送受信して全自動で、放送局の地震データー速報装置では、地震度数の全自動地震情報文字公開システムに成る。
従って、海底地震計は、水中ロボットのアタッチメントを使って、岩盤では、ドリルアタッチメントで、岩盤に穴を空けた後、スクリューソナー波送受信装置構造の海底地震計は、新2連振子型自動充電池の半永久発電型の充電池の電源を使用して、ライトカメラの周囲の状況映像と音声を、地震が発生していない時は、海底の映像を、圧電素子磁石体を使ったスクリューソナー波送受信アンテナから、複数個の段数ソナーと海上浮遊ソナーと山岳ヘリコプターのソナー波から、スクリュー無線波及びスクリュー衛星波及び
スクリュー携帯波によって、複数の山岳ヘリコプターの送受信装置を、経て、地上の地震データー集計装置に地震データーを送る事が出来る装置に成る。
【００５６】
そして、第31の課題解決手段として、燃料電池循環発電機の別名の水発電機に積載する画像パネル装置の、水中ロボットの水中ライトカメラの画像は、海上スクリューソナー送受信装置は、8個の高出力2連結以上モータースクリュー装置とライトカメラと波の高さを、全自動測定する複数の人工衛星の電波送受信距離の全自動測定出来るシステムと複数の山岳ヘリコプターと海上スクリューソナー送受信装置との電波送受信距離を全自動で計測して、波の高さを、分刻みで計測出来る新2連振子型機械式発電機を積載した海上高度計とガンマー放射線飛散防止パネル内蔵のレントゲンスコープライトカメラとベーター放射線飛散防止パネル内蔵のサモーライトカメラの総重量を、軽くする為に、発泡スチロールを入れたゴムチューブによって、海上スクリューソナー送受信装置を浮かせている事に成る。
コメント
2011年4月25日pm21時53分寝る事にする千葉県の墫野和夫で有る。
コメント
2011年4月26日am6時00分少し書く事にする千葉県の墫野和夫で有る。
従って、衛星ＧＰＳ位置確認海上位置認識装置は、8個の高出力2連結以上モーターの海上ＧＰＳ位置を、全自動確認して、元位置に全自動帰還して、海中の段数ソナーと海底地震計の複数スクリューソナー波を、キャッチして、スクリュー衛星波及びスクリュー無線波及びスクリュー携帯波に変えて、複数の山岳ヘリコプターによって、地震データー波と海中データー波を、地上まで、海上上空を、中継しながら地震データーと海中データーを、地上まで、送る事の出来る装置に成る。
その他、カラーライトライン装置は、海上の海上スクリューソナー送受信装置の位置を、確認したり、船の目視の海上位置目印装置の役割をしたり、レントゲンスコープカメラとサモーライトカメラは、遭難者等の捜索に使用出来る装置に成る。
コメント
2011年4月26日am6時26分ここで、ペンを置く千葉県の墫野和夫で有る。
コメント
2011年4月26日pm18時19分夕食を終え風呂上がりの為、寝るまで書く事にする千葉県の墫野和夫で有る。
従って、発泡スチロール入りゴムチューブは、エアーチューブのエアー抜け防止対策の為に考えた海上浮遊装置に成り、水中ロボットは、複数の山岳ヘリコプターの電波中継を経て、海上スクリューソナー送受信装置に、スクリュー携帯波またはスクリュー無線波を海上スクリューソナー装置に電波を、送り携帯波等を、スクリューソナー波の複数
スクリューソナー波にして、段数ソナーを経て、水中ロボットへインプットデーターを、送る事の出来る装置に成る。
【００５７】
そして、第32の課題解決手段として、燃料電池循環発電機の別名の水発電機に積載する画像パネル装置に、送られて来る水中ロボットの、映像と音声と海底地震計データーと
海水成分デターと赤潮データーと放射線量データーとサメデターとクラゲデーターとプランクトンデーターと船データーと人データーなどを、段数スクリューソナー波装置に
積載している放射線飛散防止パネル内蔵のライトサモーカメラとライトカメラと放射線飛散防止パネル内蔵のライトスコープレントゲンカメラ等によって、海中の情報を、365日24時間休み無くデーターを、送信続ける事が可能に成る。
海上スクリューソナー送受信装置からの複数スクリューソナー波を受信して、水中ロボットにインプットデーターなどを送る事も出来る。
そして、8個の高出力段数ソナー2連結以上モータースクリュー装置を使って、海中の元位置を、海上スクリューソナー送受信装置のＧＰＳ海底地図の元位置を、全自動確認認識作動する事が出来る装置に成る。
【００５８】
そして、第33の課題解決手段として、燃料電池循環発電池の別名の水発電機に積載する画像パネル装置に、海底のデーターを送信する為の、人型水中ロボットは、半永久の365日24時間無休憩で、発電し続ける事の出来る燃料電池循環発電機の別名の水発電機を、水中ロボットの上半身に内蔵して、水発電機が、360度動いても水平位置を保つ事の出来る水発電機に、水平位置全自動確認装置が取りついている水発電機構造に成る。
コメント
2011年4月26日pm20時34分眠くなったので、ぺんを置く千葉県の墫野和夫で有る。
コメント
2011年6月11日次成る第34の課題解決手段の説明に取り掛かる千葉県の墫野和夫で有る。
【００５９】
そして、第34の課題解決手段として、水中ロボットの全自動作動システムのデーター貯蔵の多層カードは、木材灰りプラスチック絶縁体または、超薄アルミニュームシート絶縁体を、使用した圧電素子磁気シートを、交互に貼り合わせた水中ロボットの磁気カードシステムに成り、ロボット全自動作動データーの、ロボット地図データーとロボット全自動作動制御データーとロボット各センサー認識データーとロボット全自動音声認識データーとロボット全自動物体形状認識データーとロボット全自動物体構造認識データーとロボット各国語全自動音声認識データーとロボット物体全自動物体速度認識認知データーとロボット放射線量全自動計測装置などの、各全自動システムのデーターを、貯蓄しているロボットデーターボックスに成り、固形窒素シートと真空構造によって、データーを保護されているロボットシステムで有る。
コメント
2011年6月12日am9時から再び書き始める千葉県の墫野和夫で有る。
【００６０】
そして、第35の課題解決手段として、水中ロボットのサモーカメラは、アルフアー放射線を、液体プラスチックに混合合成したアルフアー放射線シートを、更にプラスチックシートで放射線飛散防止を計ったアルフアー放射線シートを、クリスタル筒ガラスの中に内蔵した二重の放射線飛散防止シートを、クリスタル硝子筒パネルにアルフアー放射線を、内蔵した放射線飛散防止の三重クリスタルガラスパネルとペーター放射線の飛散防止クリスタルガラスパネルとガンマー放射線の鉛クリスタルガラス筒パネル放射線飛散防止パネルそれぞれを、全自動モーター移動で、放射線飛散防止パネルの三種類の放射線飛散防止パネルカメラのパネル切換えが、モーターによって、全自動切換えが可能に出来るロボット放射線カメラ装置に成り、放射線タンクも、必要としない過去に例の無い放射線を使ったカメラシステムのロボットカメラシステムに成る。
従って、水中音測定と水中温度測定と水中水分分析を、全自動で行って、水中スクリューソナー波を、スクリュー無線波とスクリュー携帯波とスクリュー衛星波を、通じて各
家庭の多機能情報冷暖房無休憩発電機の液晶パネルにデーターを映し出す事に成る。
【００６１】
そして、第36の課題解決手段として、河川湖撮影装置は、山岳ヘリコプターの河川湖撮影装置のデーター電波中継の送受信装置を積載した山岳ヘリコプターに成り、電源に新
2連振子型自動充電池を、積載内臓した水中回遊作動撮影の超小型水中ロボットは、水車型高出力モータースクリュー装置の電気消費の少ない高出力ＤＣブラシレスレールモーターと水中を、ゆっくり回遊出来る超軽量の木材灰入りプラスチックの水車板構造によって、高出力ＤＣブラシレスレールモーターは、ＤＣブラシレスモーターの電気消費を更に、電気消費を、少なくする為に、超軽量レアーアース金属より、軽い圧電素子磁石パネルと複数穴空き構造のステンレス磁石板で囲んだ圧電素子磁石板の電子量を、増幅
する為に、軽水素トリチウム電子を、内蔵した圧電素子磁石板とコイル配線を、軽量にした銅筒官にレアーアースを入れた配線より、電気の通りを、良くした圧電素子磁石板
に軽水素トリチウム電子を、内蔵した銅筒官コイル配線を、超軽量モーター構造とした電気の流れを、世界で一番通常電気の流れを、軽水素トリチウム電子と圧電素子磁石体粒子を使って電気の流れを良くした高出力モーターのコイル板を、モーター構造にした新技術高出力モーターは、電気消費の少ないモーターに成り、推進用高出力モータースクリューと浮上用高出力モータースクリュー構造に成っており、河川湖撮影装置を軽くする為、発砲スチロール内蔵ゴムが、河川湖撮影装置に内蔵されている為、水中でも、丸っきり沈まない構造に成っている。
更に、水中ライトは、軽水素トリチウム電子入りの発光ダイオードライトによって、少ない電気消費で、ダイオードライトの光度の明るさを更に、少ない電気消費で、水中ライトの明るさを明るくする事が出来て、サモーカメラと放射線飛散防止のガンマー放射線内蔵の鉛入りのクリスタルガラス筒パネルに、ガンマー放射線の一回分のカメラ撮影分の放射線を、鉛入り液体プラスチックにガンマー線を内蔵した放射線飛散防止クリスタルガラスパネルによって、水中のレントゲンカメラによって、水中の砂の中と土の中の固形物質の形状確認が出来る装置に成る。
この他、水上に出るアンテナは、超細のワイヤアンテナの先に、浮遊超軽量アンテナとして、発砲スチロール全体に軽水素トリチウム電子入り圧電素子磁石体粒子コーテング
した浮輪式アンテナなどによって、河川湖撮影装置のカメラ撮影装置とスクリュー無線波送受信装置とスクリュー衛星波送受信装置とスクリュー携帯波送受信装置によって、各家庭の多機能情報冷暖房無休憩発電機の映像パネルに河川情報を、写し出す事が、可能に成る出来る装置に成る。
そして、後方サイド水中カメラ等によって、24時間体制で、水中撮影を可能にしている。
【００６２】
そして、第37の課題解決手段として、多機能情報冷暖房無休憩発電機の底に取り付ける異成った電磁石反発免振装置は、永久磁石体の円球磁石体は、半割構造の鋼鉄磁石部分を、刳り貫いた場所に軽水素トリチウム電子入りの圧電素子磁石体を内蔵して、半円球同志を、ナット構造で固定した円球上下に円球脱落防止の突起を、円球の上下に取り付ける事で、円球自体の固定位置を保てる構造にした円球コロ電磁石反発免振技術に成り、上下の電磁石反発電磁石鉄板は、銅筒官コイル配線を巻く部分だけが、電磁石板の形状が少し窪んで下がってへっんで入る為、コイルを巻いても、コロ円球に引っかからない構造に成っていて、コロ円球の突起部分の取り付け部分が、電磁石板と平らな為、銅筒官コイル配線は、破損しない構造に成っている。
この他、コイルを、電磁石板に内蔵する電磁石板にする手段の解決策が有る。
更に、免振電磁石板固定棒によって、免振装置は、固定されて、地震計の連絡装置によって、免振装置に電気が入って、免振装置が、作動するシステムに成って入る。 
そして、コロ電磁石反発免振装置に、多機能情報冷暖房無休憩発電機の乗る部分の場所は、枡状の電磁石板構造になり、電磁波防止金属の超薄アルミニュームシートパネルと
ビニールシートによって、電磁波を、通さない構造に成って入る。
【００６３】
そして、第38の課題解決手段として、多機能情報冷暖房無休憩発電機の底に取り付ける異成った電磁石反発免振装置は、第37の課題解決手段の免振構造と異なり、コノ字型の電磁石板を咬み合わせる構造に対して、振動で接合する部分を、圧電素子磁石粒子入り樹脂内蔵ビニール装置によって、左右の振動を、避けた構造にして、コノ字型の電磁石板部分は、高出力銅筒官コイルが、内蔵された軽水素トリチウム電子入り圧電素子磁石体粒子を、コノ字型電磁石板の鋼鉄網磁石体に、軽水素トリチウム電子入り圧電素子磁石体のコーティング接着させた後に、超薄板の複数針穴形状のステンレス磁石板を被せて軽水素トリチウム電子入りの圧電素子磁石体の滑落防止処理を、行った後に、高出力銅筒官コイルを巻いた電磁石板構造に成り、部分的に圧電素子磁石体粒子入りビニール板などで、コノ字型の電磁石反発板の固定安定化を、計る構造に成っており、免振電磁石板固定棒装置によって、コノ字型の電磁石反発免振の左右の安定した揺れの軽減装置に成り、コノ字型電磁石反発免振装置の平板の上部分は、枡状に成っており、木材灰入りゴムシートなどで、電磁波防止対策が、高じられている。
【００６４】
そして、第39の課題解決手段として、多機能情報冷暖房無休憩発電機の異なった電磁石反発免振装置は、免振振れ止め鋼鉄棒板と免振サイド振れ止めスプリング板構造に成り
このままの状態では、免振棒一本だけでは、傾く為、圧電素子磁石体粒子入り樹脂シリコン球内蔵ビニール枡パネルによって、免振棒の傾きを反復調整出来る装置を内蔵する事と免振振れ止め鋼鉄棒板装置によって、異なった電磁石反発免振装置を、少ない揺れにする装置にする事で、異成った電磁石反発免振装置として、弱冠免振杭を、電磁石反発杭装置によって、電磁石底板との間の隙間を、わずかに作り出す事で、免振装置の劣化を、避けた異なった電磁石反発免振装置に成り、他社では、真似の出来ない免振構造に成る。
【００６５】
そして、第40の課題解決手段として、多機能情報冷暖房無休憩発電機の異成った電磁石反発免振装置は、高出力電磁石板と軽水素トリチウム電子入り樹脂シリコン球圧電素子
磁石内蔵ビニール磁気圧弁の中間に絶縁の圧電素子磁石体粒子内蔵スプリングビニールが取り付けられ、プラススクリュー水とマイナススクュー水によって、電磁石反発免振の補助的免振構造の浮力装置にした電磁石反発の異成った免振装置に成り、スクリュー水で、冷やす事によって、夏の冷房の補助も出来る免振装置に成り、他の免振装置会社では、絶対に真似の出来ない構造に成る。
【００６６】
そして、第41の課題解決手段として、多機能情報冷暖房無休憩発電機の多機能情報パネルに映し出す自然界の森林の24時間の365日連続撮影出来る装置として、新2連振子型自動充電池の電源によって、カニ型の木登り全自動インプットロボットの超小型高出力モーターの電源とガンマー放射線内蔵の放射線飛散防止の鉛クリスタルガラス放射線飛散
防止パネルのレントゲンスコープカメラの森林の地中の固形物質形状をカメラ撮影出来る放射線飛散防止ガンマー放射線内蔵パネルを、積載したロホ゛ットカメラで有り、アルフアー放射線を液体プラスチックに内蔵したアルフアー放射線内蔵パネルを、鉛入りクリスタルガラスにアルフアー放射線内蔵のプラスチックシートを、内蔵させた放射線飛散
防止パネルを、積載内臓したサモーカメラとペーター放射線内蔵の液体鉛プラスチックシートを、鉛入りクリスタル筒ガラスに内蔵させたアルフアー放射線飛散防止シートパネルによって、温度カメラのサモーカメラの放射線飛散防止カメラの放射線パネルに成り、一回のカメラ撮影用のペーター放射線が、内蔵されている新技術のペーター放射線
内蔵のクリスタル筒ガラスパネル積載の多機能カメラに成り、カメラパネルを、モーターで切換える事で、赤外線パネルカメラ及び紫外線パネルカメラとアルフアー放射線内蔵パネルカメラとペーター放射線内蔵パネルカメラとガンマー放射線内蔵パネルカメラに成り、超小型高出力モーターによって、カメラパネルのボタン切換え音声認識切換え
及び電気信号切換え式によって、森林の多彩のライトカメラ撮影が可能に成り、家庭の多機能情報冷暖房無休憩発電機の映像パネルに映し出す事に成る。
更に、スクリュー携帯波とスクリュー衛星波とスクリュー無線波の送受信装置によって、森林データーを、山岳ヘリコプターの電波中継送受信装置によって、家庭まで森林映像データーを、送ったり、家庭から、インプット全自動木登りデーター送受信ロボットを、移動させて森林観察が出来る。
この他、スクリュー無線波型全自動ロボット作動認識認知確認判断連絡システムブロックシステム装置は、多層式圧電素子磁石体カード内蔵したデーター収納庫で有る。
そして、物体距離認識用のライトラインカメラが、ロボットの手足に内蔵されている為、物体を、全自動カメラ認識して、ロボットモーターアームで、物体を掴むシステムに
成り、サイド高出力ＬＥＤライトによって、夜でも明るい撮影を可能にしている。
【００６７】
そして、第42の課題解決手段として、多機能情報冷暖房無休憩発電機の地滑り予知事前連絡装置は、地滑りし易い場所に予めグラスファイバー製またはプラスチック製の杭状の中に、弱電熱入り圧電素子磁気粒子入り液体マグネシウム水分気化物質吸収装置を取り付けた複数穴空き形状の水分量全自動感知認識連絡棒装置によって、新2連振子型自動充電池の電気によって、吸収された水分を、常温蒸気に変えた気化物質の酸素気化常温蒸気と水素気化常温蒸気を、液体マグネシウムが、瞬間吸収して発電した電気量から、地中内の水分量を、全自動計算を、超小型全自動計算機によって、水分量計算後、地滑りの危険度を、家庭内の多機能冷暖房無休憩発電機の映像パネルに、地滑り地帯の地中
内の水分量を、逸早く家庭内の映像パネルに地滑りデーターを送る事の可能な地滑り予知事前連絡装置に成る。
【００６８】
そして、第43の課題解決手段として、多機能情報冷暖房無休憩発電機の画像パネルに。マンホール内増水連絡装置によって、増水連絡出来る装置に成り、マンホールの蓋にアンテナ線またはアンテナを取り付けた装置に成り、マンホール内の対面に、スクリュー弱電波送信装置と対面側に、スクリュー弱電波受信連絡装置によって、マンホール内の水位上昇によって、スクリュー弱電波またはスクリュー弱無線波の水位上昇によって、電波が、途切れる事を、全自動感知して、家庭内の多機能情報冷暖房無休憩発電機のパネル画像に、マンホール内の水位状態を、ライトカメラ映像連絡出来る増水と浸水の事前連絡を、可能にしたマンホール内の増水連絡装置に成り、河川の増水感知システムに
成り、この他、海の増水感知連絡システムの応用に成り、丸浮型のカラーライン遮断連絡装置によって、水量の増幅連絡水位センサーとした物が有り、水位センサーとして、丸浮の浮が浮く事で、機械スイッチが入って全自動連絡出来る装置等が有る。
いずれにしても、ライトカメラの映像を、同時に家庭内に、送る事が出来るシステムが、今後、支流に成りそうで有る。
【００６９】
そして、第44の課題解決手段として、多機能情報冷暖房無休憩発電機の自然画像情報を、中継送受信出来る水中情報連絡全自動飛行装置は、別名は、山岳ヘリコプターの命名
の装置は、衛星ＧＰＳスクリュー携帯波送受信圧電素子磁気粒子入りアンテナを、内蔵積載したスクリュー携帯波送受信装置と水中ライトカメラ水の透明度計測装置と水銀温度計内蔵発砲スチロール内蔵シリコンゴム水温連絡装置を、内蔵した山岳ヘリコプターに成り、電源は、高出力Ｗ自動充電池は、新2連振子型自動充電池を、二台取り付けた構造の自動充電池を、高出力Ｗ自動充電池に成り、水分計側計と水中レントゲンスコープカメラを、積載した水中情報連絡全自動飛行装置に成り、水分計側計は、水分金属計側計と水分成分計側計は、炭素物質及び化学物質の全自動計測に成る。
更に、高速飛行する為に、高出力2連結以上モーターと浮上用プロペラと推進用プロペラと左右の移動に、バランスサイドプロペラを、積載内臓する事で、俊敏で、微妙な位置移動を可能にしたバランスサイドプロペラで有り、通常は、サイドプロペラを作動させない装置使用に成る。
この装置は、飛ばして、定位置に飛行させる場合は、リモコンインプット操作で、決められた飛行の高さまで、山岳ヘリコプターの水中情報連絡全自動飛行装置を、飛ばして定位置飛行を可能にしている。
従って、スクリュー携帯波は、携帯波をスクリュー電波官に携帯波を通す事で、スクリュー携帯波を可能にして入る。
【００７０】
そして、第45の課題解決手段として、多機能情報冷暖房無休憩発電機の自然画像情報装置を、空中計測情報全自動無期限連絡装置は、新2連振子型機械式発電機の電源を利用した複数スクリュー波の携帯波と衛星波と無線波のスクリュー波の送受信切換え装置と空中位置連絡用カラーライトライン装置は、空中の定位置飛行物体の空中計測情報全自動
無期限連絡装置は、高出力2連結以上モーター積載の空中定位置飛行装置にする事で、上昇する為のプロペラと高速の低燃費電気使用費の高出力2連結以上モーターの銅筒官コイル配線と軽水素トリチウム電子入り圧電素子磁石体内蔵の複数針穴構造のステンレス板を内蔵した高出力モーターによって、電気消費を少なくしている世界最新の技術に成り、空中定位置固定用全自動位置帰還用複数プロペラは、十字方向に、超小型高出力プロペラモーターが積載内臓に成って入る飛行装置に成る。
この他、全自動空中定位置電波複数位置計測計によって、衛星ＧＰＳの役割を果たす事が可能に成る。
そして、外気取り入れフアーン口と外気吐き出し口によって、空気中の放射能外気計測装置によって、365日24時間体制で空気中の放射線を計測して、家庭の多機能情報冷暖房無休憩発電機の、画像のパネルに現在の指定する地域の決められた高度計の位置の空気中の放射線量を、家庭の映像パネルの情報データー確認パネルで、放射線数値を、計測出来る装置に成る。
更に、複数ライト切換え型の多機種カメラは、サモーカメラのアルフアー放射線飛散防止パネル内蔵カメラとサモーカメラのペーター放射線飛散防止パネル内蔵カメラとレントゲンスコープカメラのガンマー放射線飛散防止鉛クリスタルガラスパネル内蔵カメラと赤外線プラスチックシート内蔵クリスタルガラスパネル内蔵カメラと紫外線プラスチックシートパネル内蔵クリスタルガラスパネル内蔵カメラと通常カメラが、一度に全自動または、無線インプット全自動カメラ切換え装置によって、それぞれの望遠映像などを、家庭の多機能情報冷暖房無休憩発電機の画像パネルに人工衛星と異なる撮影方法によって、上空データーカメラ映像データーを、見る事が、出来る上空定位置の空中計測情報全自動無期限連絡装置によって、人工衛星でしか見る事の出来ないカメラ映像以外の映像を、見る事が出来る装置に成る。
【００７１】
そして、第46の課題解決手段として、多機能情報冷暖房無休憩発電機の情報画面に、全自動地盤隆起計測装置は、日本中の活断層に、全自動地盤隆起計測装置のＧＰＳ高度計内蔵の新2連振子型自動充電池内蔵の衛星ＧＰＳ内蔵のグラス圧電素子アンテナは、圧電素子磁気と液体プラスチックガラスを、混合合成したガラスアンテナと透明酸化鉄内蔵
硝子アンテナ使用積載によって、アンテナの超軽量化に成り、この応用に、ビルガラスの透明酸化鉄内蔵ガラスは、弱冠紫外線などを、反射する効果も有るアンテナガラスに成り、発電ガラスの軽水素トリチウム電子入りシリコン圧電素子磁石体粒子ライン入り発電硝子は、別名アンテナ発電ガラスとも言える。
この他、トリプル人工衛星位置計測計は、山岳ヘリコプターの三台以上の電波位置計測の上でのＧＰＳ位置計測に成る為、位置計測の正確差は、二台以上の衛星ＧＰＳによる
位置計測に匹敵する正確な位置が計測出来る超小型の高度計とＧＰＳ多層カード位置計測計と夜に光るライトの遠隔操作スイッチ方式のグラスファイバー樹脂防腐加工した全自動地盤隆起計測装置に成り、金属矢の表面は、グラスファイバー加工によって、防腐処理された全自動地盤隆起計測装置に成る。
【００７２】
そして、第47の課題解決手段として、多機能情報冷暖房無休憩発電機の情報画面パネルに指定された全自動地熱温度計と地熱湿度計の二つ装置を、杭上の複数針穴形状の塩化グラスファイバー又は、塩化ビニール製の中に、温度計と湿度計を内蔵した装置に成り、地表の温度計測と地表から10センチの温度計測と地表20センチの温度計測と地表30センチの温度計測と地表40センチの温度計測と地表50センチの温度計測出来る複数の温度計と発砲スチロールで保護した温度計によって、地層の湿度と温度を、全自動送受信システムの新2連振子型自動充電池システムによって、今まで、人手の手間を掛けて計側して来た地層の温度と湿度データーを、家庭内で、指定された地表と地層の温度と湿度を
いつでも、データー観測出来るシステムが、山岳ヘリコプターなどを、使ったスクリュー携帯波及びスクリュー無線波及びスクリュー衛星波によって、地層の温度と湿度を全自動観測と計側出来るシステムに成る。
従って、衛星ＧＰＳ送受信圧電素子磁石体粒子芯入り金属アンテナは、金属杭の中心部分を刳り貫いた場所に、圧電素子磁石体粒子を、内蔵させた金属杭アンテナに成り、グラスファイバー杭の圧電素子磁石体粒子入りアンテナなどの別の種類のアンテナも有る。
その他、スクリュー衛星波及びスクリュー無線波及びスクリュー携帯波送受信装置は、電波切換え装置の遠隔操作可能な装置積載の全自動地熱温度水分計側装置によって、高出力発電回路内蔵の新2連振子型自動充電池を、簡単に高出力自動充電池とも言いまたは高出力自動電池とも言う。
【００７３】
そして、第48の課題解決手段として、多機能情報冷暖房無休憩発電機は、室内設置型にすると場所を取る為、二階の非常出口にも成る天上の土台固定型の地下収納型家具は、電磁石レールモーターホイスト型の地下家具収納タイプに成って入る為、冷蔵庫などの家電製品の普段使用しない家具を、地下収納する為、布団部屋と衣類家具などを、地下収納家具にする事で、部屋のスペースを充分に取る事が、出来て、子供用学習机なども、地下格納庫に収納出来たり、夏場の暑い時期だけ、地下格納別途で、眠る事で、クーラー無しの生活も、出来る発想に成り、装置自体には、ライトカメラは、高出力発光ダイオードライトカメラは、軽水素トリチウム電子入りのネオン入りダイオードによって低電気消費の発光ダイオードライト生活を送る事が、可能に成る。
この他、半永久保存固形窒素粒子内蔵グラスファイバー板を使った棚構造によって、棚のモーター移動も、可能にしている構造に成る。
更に、高出力棒状ＤＣブラシレスレールインバータ制御モーターによって、地下収納型家具の移動可能な装置に成り、各部屋と部屋の連絡は、コード無線とアンテナ超近距離無線によって、可能に成っている装置は、スクリュー無線波と新2連振子型自動充電池積載の高出力銅筒官コイルと充電池素子内臓銅筒官コイル配線によって作られた発電コンデンサーと圧電素子磁石体粒子内蔵アンテナと木材灰入り陶器軽量絶縁体と軽水素トリチウム電子入りダイオードスイッチと高出力インバータ装置と高出力電磁石などを、組み合わせた超小型高出力無線機等の使用積載によって、地下収納型家具を、著作権のデザイン形状とした多機能情報冷暖房無休憩発電機の設置の有りかた説明に成る。
コメント
2011年6月12日pm22時30分時間なのでペンを置く千葉県の墫野和夫で有る。
コメント
2011年6月13日am7時10分現場雨の為、休みの為、朝から書く事にする千葉県の墫野和夫で有る。
コメント
2011年6月13日pm19時9分から再び仕事と夕食後、再び書き始める。
【００７４】
そして、第49の課題解決手段として、多機能情報冷暖房無休憩発電機の情報装置の画面画像のデーターとして、地中観測装置止め伸縮抗針モーター装置は、金属スクリューネジによって、地中2メートル〜3メートルの深さの地中に細い掘削穴をあけて、地中レントゲンカメラは、ガンマー放射線の一回分のカメラ撮影分のガンマー放射線を、液体鉛
入りのプラスチック溶液に混合合成したガンマー線内蔵シートを、更に、鉛液体プラスチックシートで、放射線飛散防止対策をした後、筒型のクリスタルパネルの中に、ガンマー放射線内蔵プラスチックシートを、筒状の鉛クリスタルガラスに内蔵したガンマー線飛散防止対策をしたクリスタルガラス筒パネルによって、地中の内部の固形物質などを、全自動で計測出来る地中レントゲンカメラシステムに成る。
コメント
2011年6月15日pm20時33分から、少し書く事にする千葉県の墫野和夫で有る。
この他、スクリューネジ地中推進機は、音波振動トーン上下移動しながらスクリュー移動する装置で有り、人型ロボットの設置も、可能だが、アルミニューム亜鉛合金などの軽量金属スクリューによって、人の手でも、設置可能な装置に成って入る。
更に、全自動地中探査装置は、高出力2連振子型自動充電池及び高出力2連振子型機械式発電機の電源を使用して、高出力2連結以上モーターを作動して、地中を掘削推進する
装置に成り、音波震度トーンは、堀穴を固めながら掘り進む装置に成り、地中カメラ映像を、地中連絡電波コードアンテナによって、山岳ヘリコプター電波中継装置を、経て
家庭の多機能情報冷暖房無休憩発電機の画像を、地中連絡電波コードのデーターを、画像に映し出して見る事が出来る。
コメント
2011年6月19日pm21時16分から、もう少しだけ書く事にする千葉県の墫野和夫。
【００７５】
そして、第50の課題解決手段として、多機能情報冷暖房無休憩発電機のコイル配線を銅筒官コイル配線以上軽くする為、軽水素トリチウム電子入りの圧電素子磁石体の電気配線を、崩れずらくする為、電気の通るプラスチック溶液と窒素ガスで固めた電気の通り易い配線に、銅粉粒子を電気の通るプラスチック溶液と窒素ガスで、銅粉コーテングする事で、世界最軽量の銅筒官コイル配線が出来上がり、高出力モーターの電気消費を更に少なくして、高出力モーター回転スピードを、上げる事が、可能に成り、レアーアース金属を使ったコイル板の高出力モーター以上の電気消費より、電気消費を少なく出来て、モーター回転速度を上げる事を可能にする事の出来る世界最新技術に成る。
コメント
2011年6月19日pm22時21分寝る時間なのでペンを置く千葉県の墫野和夫で有る。
コメント
2011年6月22日pm19時49分寝る時間まで、書く事にする千葉県の墫野和夫
【００７６】
そして、第50の課題解決手段として、多機能情報冷暖房無休憩発電機の情報装置の液晶テレビ画像装置の最近では、有機ＥＬ画像パネル画像は、ハイビジョンと同じ位の画像の鮮明度に成ったが、電気消費が多い為、店頭から消えるテレビに成った商品で有った。
しかしながら、液晶テレビの新技術として、ノーマル液晶テレビとデジタル液晶テレビが、同じ映像の鮮明度に成る理由に、映像をカメラを使って、映像波に変える時点で、テレビなどの映像が奇麗に映せるかは、既にこの時点で、テレビの映像の鮮明度が決まり、カメラの映像鮮明度が、悪ければ、デジタルテレビも、ノーマルテレビも映りが悪くなる為、新技術として、2002年著作権新技術考案作品の映像回路に取り付ける装置の、アルゴン圧電素子磁石体映像回路チップ装置とネオン圧電素子磁石体映像回路チップ
は、画像の電波ノイズを取り除いたり、圧電素子磁石体は、磁波ノイズと映像回路波の電気抵抗を取り除く技術素子としての圧電素子磁石体に成り、映像乱れを、整流化する
映像波に取りつける圧電素子磁石体成り、超微粒の電波の映像波ノイズ取り除き装置に、アルゴンガス素子に成り、圧電素子磁石体のチタン酸バリウムアルゴンに成り、この他、窒素入り及びフロン窒素ガス入りの圧電素子アルゴン映像回路チップ等は、電気熱を上げない対策の回路チップ素子に成り、最新式の回路チップとして、軽水素トリチウム電子入り圧電素子磁石体粒子内蔵アルゴン映像回路チップに成り、映像波のノイズ取り除き装置機能と映像波の電気消費を、下げる効果に成り、一番簡単な映像回路チップ
として、圧電素子磁石体映像回路チップ及び軽水素トリチウム電子窒素映像回路チップ及び軽水素トリチウム電子入り炭素映像回路チップ及びアルゴン固形窒素映像回路チップ及びネオン固形窒素映像回路チップ等は、簡単で合成の手間が掛らない映像回路チップに成るが、多種物質混合合成の映像回路チップは、回路スヘ゜ースを、最軽量化と最少回路に出来るメリットが有り、音声回路に流用可能なのは、圧電素子磁石体粒子の入ってる映像回路チップ素子は、全て音声回路チップとして、使用積載可能に成る。
コメント
2011年6月23日pm20時26分少しだけ書く事にする千葉県の墫野和夫で有る。
【００７７】
そして、第50の課題解決手段として、多機能情報冷暖房無休憩発電機の集積回路は、圧電素子磁石体と回路配線を、圧電素子4電子磁気分割装置として、通常の集積回路及び高速集積回路と呼ばれる装置より、データーの集積スピードと何よりも、電気消費を少なくする事が、出来る為、携帯電話の集積回路及びテレビの集積回路及びゲーム機の集積
回路及び、スーパーコンピーューターの集積回路及び情報装置の集積回路及び飛行機システムの集積回路及び船システムの集積回路及び全自動ロボットの集積回路及び全自動建設機械の集積回路及び全自動商業機械の集積回路及び自動車のカーナビゲイションの集積回路及び医療機械の集積回路及び海底走行機の集積回路及び情報装置の集積回路と宇宙機械の集積回路及び人工衛星の集積回路及び宇宙ステイションの集積回路及び海底ＧＰＳ機械の集積回路及び全自動翻訳機の集積回路及び最新の文字画像無線機の集積回路及び魚群探知機の集積回路及び原子炉制御装置の集積回路及び細胞活性化装置の集積回路及び最新の動画テレポーテイションゲームの集積回路及び電波中継装置の集積回路及び全自動機械組み立てロボットの集積回路及び全自動列車走行システムの集積回路及びリニアーモーターカー制御システムの集積回路及び電力全自動発電送電システムの集積回路と全自動道路管理システムの集積回路及びビル全自動管理システム集積回路及び全自動海軍陸軍空軍基地管理システム集積回路及び地下人工太陽農業植物栽培システム
集積回路及び世界株データーシステム集積回路及びパソコンの集積回路など、世の中の全ての集積回路の炭素部分を、圧電素子磁石体の圧電素子4電子磁気分割装置の配線構造にするだけで、電気消費が、少なく成り、身近なクーラー及び冷蔵庫及び洗濯機の集積回路を、圧電素子磁石体に変える事によって、低電気消費に成る。
コメント
2011年6月23日pm21時30分この辺でペンを置いて眠る千葉県の墫野和夫で有る。
コメント
2011年6月15日pm20時33分から、少し書く事にする千葉県の墫野和夫で有る。
【発明の効果】
【００７８】
上述したように本発明の高出力モーターは、通常の圧電素子磁石体に、軽水素トリチウム電子を、多く入れる技術として、圧電素子磁石体シートに軽水素トリチウム電子を、多く入れた圧電素子磁石体シートとチタン酸バリウムシートに軽水素トリチウム電子を入れるにだけ多く入れたチタン酸バリウムシートを、交互に貼り合わせた軽水素とトリチウム電子を多く入れた圧電素子磁石体を、高出力圧電素子磁石体に成り、超薄型複数針穴ステンレス永久磁石体を、高出力圧電素子磁石体に被せて軽水素トリチウム電子入り圧電素子磁石体の永久人工合成磁石体を、高出力銅筒官コイルの軽水素トリチウム電子入り圧電素子磁石体の電気の通り易い世界で、現在、最速の電気の流れの速いコイル
配線を、軽水素トリチウム電子たっぷり入った高出力圧電素子磁石体の永久人工合成磁石の軽量永久磁石に世界最速の電気の流れのコイルを、巻く事で、世界で一番電気消費の少ない、高出力モーターに成り、レアーアース金属を、銅筒官コイル配線に入れたコイル配線とか、レアーアースをコイル板にした軽量モーター構造の超軽量モーターのよりも、電気消費が、圧電素子磁石体と軽水素トリチウム電子を混合合成する技術とチタン酸バリウムシートに大量の軽水素トリチウム電子を入れて交互に複数重ねする技術は
軽水素トリチウム電子と言う電気と同じ物質の為、電気抵抗ゼロに近い電気スピードと圧電素子の増幅圧電効果を、弱者国民一人一人に高出力家電製品として提供出来る。
コメント
2011年6月15日pm22時14分寝る事にする千葉県の墫野和夫で有る。
コメント
2011年6月16日am5時58分少しだけ、書く事にする千葉県の墫野和夫で有る。
【００７９】
また、本発明の軽水素トリチウム電子入りの圧電素子磁石体の高出力圧電素子磁石体の永久人工合成磁石の高出力圧電素子磁石体を、電磁誘導発電装置の永久磁石と電磁石に
変える事で、通常の電磁誘導発電装置に取り付ける事で、圧電素子磁石体の磁気打撃発電と軽水素トリチウム電子入りの圧電素子磁石体の高出力圧電素子磁石体の高出力圧電素子磁石体の増幅圧電効果によって、増幅電子の発生をする為、自動車のタイヤ軸発電装置及びバイクの発電装置及び自転車の発電装置及び発電池の補助発電装置として、弱者国民一人一人に、電気自動車の走行距離の長い電気自動車やハイブリットバイクや高年齢者用の明るい電磁誘導発電装置付きの自転車を提供出来る。
【００８０】
この他、本発明の情報装置の画像部分の映像回路のチップ回路と音声回路のチップ回路として、新技術の軽水素トリチウム電子入りの圧電素子磁石体を、回路の映像回路チップとした場合、映像の色彩を、鮮やかに圧電素子効果で行い軽水素トリチウム電子効果によって、映像を明るくしたり、電気消費を少なくしたりして、音声回路チップにした
圧電素子磁石体効果は、音声の雑音を、全て取り除き音声を整流化する効果を発揮し、軽水素トリチウム電子効果によって、音声回路の電気消費を、少なくする効果を、発揮する事によって、低電気消費の映像装置を弱者国民一人一人に提供出来る。
【００８１】
そして、本発明の、新2連振子型機械式発電機のダイナモを、軽水素トリチウム電子入りの圧電素子磁石体の別名の高出力圧電素子磁石体を、通常のダイナモの中央部分を刳り貫いた部分に高出力圧電素子磁石体を、代わりに内蔵して、薄型のステンレス板カバーを、ポルトとナット止めして、高出力圧電素子磁石体の滑落防止対策とした、高出力ダイナモの、総合発電電気量は、通常ダイナモの電気量と圧電素子磁石体のダイナモ電気打撃発電量と軽水素トリチウム電子入りの圧電素子磁石体の軽水素トリチウム電子の増幅電子打撃発電量の三種類の発電量を、得る事の出来る発電量よって、電気自動車及びハイブリット車及び新2連振子型機械式発電機の増幅発電電気量を、得る事によって、より良い生活によって、弱者国民一人一人の生活権を、日本国の官庁職員の高額賃金までの差を詰めた生活権を得る事の出来る国の全額借金返済の第一歩の道筋が世界初の高出力新技術によって、得る事が出来る。
【００８２】
そして、本発明の多機能情報冷暖房無休憩発電機の画像装置の集積回路を、軽水素トリチウム電子入りの圧電素子磁石体及び圧電素子磁石体の圧電素子4電子磁気分割装置の配線系列のはいせんの取り付け方にする事によって、画像装置の電気消費を、世界で一番少なく出来る技術によって、他社の液晶テレビ業界を、永遠に真似の出来ないテレビ回路の電気消費を少なくする技術によって、より多くの国の借金全額返済の全世界の販売店システムを、日本国の財団に変える事によって、今まで以上の家電製品利益を、日本国の借金全額返済資金として、回収する事によって、日本の弱者国民一人一人の生活保護者及び最低賃金者全ての人を、日本の全国の官庁職員の給料水準まで、生活保護賃金として、支払う事が可能に成る第一歩を、踏み出す新技術商品を提供出来る。
コメント
2011年6月16日am7時0分仕事の為、ここでペンを置く千葉県の墫野和夫で有る。
コメント
2011年6月16日pm19時12分寝る時間まで、少し書く事にする千葉県の墫野和夫。
【００８３】
この他、本発明の多機能情報冷暖房無休憩発電機に積載内臓する高出力発電回路は、高出力圧電素子磁石体の軽水素トリチウム電子入りの圧電素子磁石体複数針穴形状のシートパネルとチタン酸バリウムに軽水素トリチウム電子を入れるにいだけ大量に入ったチタン酸パリーム軽水素シートパネルを、交互に貼り合わせた高出力圧電素子磁石体のプラス磁気極の一番強い磁気部分の配線から、プラス磁気の一番弱い部分に通常電気の高圧電気を、流す事によって、軽水素トリチウム電子の圧電効果によって、プラス増幅電気を、プラス磁気の弱い部分から得る事が出来るプラス高出力発電回路に成り、マイナス通常電気は、高出力圧電素子磁石体のマイナス磁気の一番強い部分の電気配線から、通常マイナス電気を、流す事によって、マイナス磁気の一番弱い部分から増幅マイナス電気を得る事が、出来るマイナス高出力発電回路に成り、二つの高出力発電回路を、積載した家電製品は、電気消費を、大幅に少なくした電気製品に成り、日本の弱者国民一人一人の自立の第一歩を、踏み出す確認を、日本の全ての大学と日本の電気企業全体を越えた絶対に真似の出来ない家電製品で、一日も早く日本国の借金全額返済のメドを立てる効果を発揮する。
【００８４】
この様に、軽水素トリチウム電子と圧電素子磁石体粒子とシリコン合成のパネルは、高出力ソーラーパネルの新技術によって、他のソーラーパネルの欠点の熱電子シリコンの電気変換のスピード化を、圧電素子磁石体粒子の混合合成によって達成し、ソーラーパネルの増幅発電を、軽水素トリチウム電子入りシリコンによって、成し遂げる事によって、軽水素トリチウム電子入りの炭素シリコン技術より、発電量を大幅にアップする事で、高出力ソーラーパネルの新時代として、多色カラー色の高出力ソーラーパネル技術
によって、デザインソーラーパネル家電製品の幕開けによって、弱者国民一人一人の自立出来る弱者一人一人の財団の第一歩を築く効果を発揮する。
【００８５】
更に、2002年10月考案の圧電素子磁石体粒子合成アルゴン映像回路チップと圧電素子弱体粒子合成ネオン映像回路チップによって、ＮＨＫハイビジョンに近い映像の回線度を
得る事が、出来る事によって、低価格のテレビを、提供すると同時に、軽水素トリチウム電子とアルゴンを、液晶に内蔵する事で、ハイビジョンに近い映像を、確立する事で
大手家電製品のテレビ業界を、超える技術によって、弱者国民一人一人の新しい時代の幕開けによって、弱者国民の自立を、国の人権保護団体に国の全額借金返済の技術公開によって、財団の道筋を、作る効果を発揮する。
【００８６】
更に、通常の冷暖房装置に、今までに無いインターネットの自然風景の実写風景と実写水中風景と海底1万メートル以上の海底の365日の24時間無休憩の実写風景の海底映像を
世界初の水中ロボットと海上段数ソナー技術と複数の段数ソナー新技術によって、可能にする事で、家庭に居ながらの自然生物の実写映像の学習と365日24時間無休憩の無給油
の高出力新2連振子型機械式発電機の世界最新の発電機技術によって、全国の大学と日本の全企業が出来なかった無害無給油の半永久連続作動発電機を、可能にする事によって
弱者一人一人の財団を、永久に設立して行ける事が、確実に成り、弱者国民一人一人の財団の道筋の第一歩の効果を示す事を可能にした夢を現実にする事で、平和と安全確立
時代へ歩む事に成る。
コメント
2011年4月14日am6時から少しだけ、書く事にする千葉県の墫野和夫で有る。
コメント
2011年4月14日am18時51分寝る時間まで少し書く事にする千葉県の墫野和夫で有る。
【図面の簡単な説明】
【００８７】
【図１】本発明の実施形態を示す多機能情報冷暖房無休憩発電機の部分構造説明図
【図２】同多機能情報冷暖房無休憩発電機の部分構造説明図
【図３】同多機能情報冷暖房無休憩発電機のインターネット送受信装置に使用する3重構造の超高速配線の構造説明図
【図４】同多機能情報冷暖房無休憩発電機の冷暖房スクリュー官の水車板形状の高出力ダイナモ設置説明図
【図５】同多機能情報冷暖房無休憩発電機の室内暖房装置用送風スクリュー風〜ストレート風変換装置図
【図６】同多機能情報冷暖房無休憩発電機の高出力エアー仕切り弁構造説明図
【図７】同多機能情報冷暖房無休憩発電機の冷暖房発電機パネル構造説明図
【図８】同多機能情報冷暖房無休憩発電機の高速電波スクリュー官構造説明図
【図９】同多機能情報冷暖房無休憩発電機の高出力発電回路付き高出力ＬＥＤ構造説明図
【図１０】同多機能情報冷暖房無休憩発電機の超高速認識ＣＣＤ構造説明図
【図１１】同多機能情報冷暖房無休憩発電機の海底地震計構造説明図
【図１２】同多機能情報冷暖房無休憩発電機の海上スクリューソナー送受信装置構造説明図
【図１３】同多機能情報冷暖房無休憩発電機の段数スクリューソナー波装置構造説明図
【図１４】同多機能情報冷暖房無休憩発電機の全自動インプットリモコン補助水中ロボット構造説明図
【図１５】同多機能情報冷暖房無休憩発電機の河川湖撮影装置構造説明図
【図１６】同多機能情報冷暖房無休憩発電機の電気製品電磁石反発免振構造説明図
【図１７】同多機能情報冷暖房無休憩発電機の電気製品の異成った電磁石反発免振Ａ構造説明図
【図１８】同多機能情報冷暖房無休憩発電機の電気製品の異なった電磁石反発免振Ｂ構造説明図
【図１９】同多機能情報冷暖房無休憩発電機の電気製品の異なった電磁石反発免振Ｃ構造説明図
【図２０】同多機能情報冷暖房無休憩発電機のインプット全自動木登りデーター送受信ロボット構造説明図
【図２１】同多機能情報冷暖房無休憩発電機の予知地滑り事前連絡装置構造説明図
【図２２】同多機能情報冷暖房無休憩発電機のマンホール内増水連絡装置構造説明図
【図２３】同多機能情報冷暖房無休憩発電機の水中情報連絡全自動飛行装置構造説明図
【図２４】同多機能情報冷暖房無休憩発電機の空中計測情報全自動無期限連絡装置構造説明図
【図２５】同多機能情報冷暖房無休憩発電機の全自動地盤隆起計測装置構造説明図
【図２６】同多機能情報冷暖房無休憩発電機の全自動地熱温度水分計側装置構造説明図
【図２７】同多機能情報冷暖房無休憩発電機の全自動地下収納型家具構造説明図
【図２８】同多機能情報冷暖房無休憩発電機の地中掘削装置止め伸縮坑道針モーター装置図
【図２９】2011年3月22日アルフアー線とペーター線内蔵電気配線の構造を説明した葉書文書図を北海道知事に送達した時の証拠図
【図３０】2011年3月22日パソコン及び携帯電話で、描く図面の早書き方法を、説明した時の葉書文書図を北海道知事に送達した時の証拠図
【図３１】パソコンまたは、携帯電話のインターネット画面文字と映像を、部分的に大きく写し出す為の構造を説明した時の葉書文書図を北海道知事に送達した時の証拠図
【図３２】パソコンまたは、携帯電話に於いて基本ソフト図面の書き換えたい部分を、パソコンキーまたは音声などで、図面を早書き訂正出来るカードソフトの有りかたを説明した葉書文書図を北海道知事に送達した時の証拠図
【図３３】2011年3月22日最近のドコモ及びエイユウ及びソフトバンク等の無料ゲームが無く成ったり、テレビの完全送受信料金制とＦＭラジオの送受信料金制の対策のひとつとして、携帯電話及びパソコンの無料ゲームの一つの著作権の内容を、説明したした葉書文書図を北海道知事に送達した時の証拠図
【図３４】2011年3月23日パソコンのコンパクト化の為の、通常テレビの回路接続用のパソコンインターネット回路の送受信インターネットアンテナ等によって、低料金可能なパソコンの有り方を説明した時の葉書文書図を北海道知事に送達した時の証拠図
【図３５】2011年4月8日建設機械の全自動エアーエレメントのホコリ取りを、説明した葉書文書図を北海道知事に送達した時の証拠図
【図３６】2011年4月10日ポスター紙等に貼り付ける超小型高出力スピーカーの構造を説明した葉書文書図を北海道知事に送達した時の証拠図コメント2011年5月29日ＡＭ9時54分から、久し振りに特許書きに戻る千葉県の墫野和夫で有る。
【図３７】2011年4月19日に先技術著作権文章を、北海道知事に確認してもらった携帯電話とパソコンのブロック回路の木材灰入りと窒素冷却物資を、混合合成した超軽量プラスチック回路基板の新技術と軽水素トリチウム電子入り圧電素子磁石体回路配線説明と超薄型回路に木材灰入りプスチック超軽量絶縁体を使った超薄型回路を、複数重ねした超軽量ブロック回路説明に成り、将来の携帯電話及びパソコン及び情報装置などに使用積載予定に成る著作権新技術説明の著作権発生日の確認出来る著作権書類に成り、技術盗作は、著作権の盗作に成る犯罪説明だが、国と都道府県市町村区の全額借金返済の為の特許書きの基本の著作権物件図面に成る。此の場合、日本国の著作権法では、技術保護出来ないが、技術盗作は、犯罪に成り、特許提出物件と合わせて特許文章を、成立させた特許提出が、望ましい説明文書図。
【図３８】2011年4月19日著作権新技術の遠心分離機付き水中ポンプに成り、この他タイマー装置付き網の目付き電動仕切り弁付きの全自動ゴミ掃除型の水中ポンプの著作権説明に成り、ゴミワイパーによって、水中ポンプのゴミを除ける装置に成り、現在は、市販されていない商品に成り、木材灰入り活性炭合成フイルターなどは、水中ポンプの一部配管を、二本にして、水の浄化とゴミフイルターバイブレイションによって、ゴミフイルターのゴミを、全自動またはスイッチ一つで、綺麗な水を、短い時間だけ、作れる水中ポンプシステムの著作権技術物件図面で有る。
【図３９】2011年4月19日著作権技術の水の浄化装置説明の超小型コンプレッサーフイルター膜バイブレイション吸引超小型水中ポンプ付き掃除機能型高出力遠心分離機フイルター付き水浄化装置に成り、超小型真空装置を使用積載する為、臭素と放射線を、取り除く為の、4重フイルターに成り、これ以上のマイクロフイルターは、遠心分離機フイルターによって、水の浄化が行われ、臭素センサーのアンモニアセンサー及び塩素センサー及び硝酸センサー及びカルシウムセンサー及び放射線センサーなどが、取り付けられ不純物カートリッジ貯蓄タンクなどが、構造の一部図面に成る。
【図４０】2011年4月24日の著作権技術説明の新技術に成る、家庭用テレビの2画面10画面等の使用によって、家庭テレビの電気消費が、増える為、最近の日本企業は複数画面機能付きテレビを、作らない理由として、電気消費が多く成る為、テレビの寿命も短く成る為、現在は、余り家電製品店で、見受けない海外の特許切れの著作権料金契約必要の作品に成るが、電気消費を、少なくした多画面テレビを、見る為、放送局全体の画像データを、一つの放送局に、まとめて、テレビ画面を、多画面局放送電波の一つにした多画面放送局電波を、通常テレビが受信して、自分の見たいテレビ局だけを、テレビの多画面切換えリモコンによって、二画面及び三画面及び四画面そして、一画面を少ない電気消費で、テレビ観賞出来る最新技術の低電気消費型の多画面放送を楽しむ為の技術の著作権新技術文書説明図で有る。
【図４１】2011年4月26日の著作権技術のバッテリー及び充電池等の放電防止電極棒の説明文書図に成り、電極棒ヘットを、超小型モーターによって、電気放電を避ける電極棒スイッチ方式の電極棒に成り、自動車の室内のバッテリースイッチレバー方式または、充電池使用の家電のレバースイッチ型の、放電防止スイッチに成り、将来的には、循環発電型の高出力発電回路の使用に切換え予定でも有る著作権新技術説明文書図。
【図４２】2011年5月6日の著作権技術の全自動無休憩無給油型の2連振子型機械式発電機を、積載内臓した空中の定位置の全自動設定飛行が、可能に出来るプロペラモーター型の、2001年4月末の著作権物に成り、この当時は、自動電池を永久電池として命名していたのも事実で有り、二台以上の山岳へりこぷたーによって、全自動ロボットとリモコンロボット及び自動車及びトラクター等の農業機械の正確な位置確認によって、全自動走行システムのトラクター及び全自動走行のロボット及び全自動の自動車の正確な位置を二台以上の山岳ヘリコプターの台風時などでも、台風の風気流渦の上に山岳ヘリコプターを、飛ばす事で高額な人工衛星の維持管理代を、必要としない技術に成り、今後、国の国税使用の軽減技術として、国の借金返済活動を、続けると同時に、衛星ＧＰＳと異なる山岳ヘリコプターを、使った地上の位置及び地図位置の正確な確認を、最新式の自動電池携帯電話等によって地図データーを、取得出来る技術に成る文書説明図。
【図４３】2011年5月6日の著作権技術は、通常の光ファイバーと異なる多層多色光配管の光の軽水素トリチウム電子入りダイオードＣＣＤ被写体光認識回路基盤によって、光文字を、利用する事で、医療機関の電波障害を、無くす装置の説明図に成り複数重ねの光色の光感知の軽水素トリチウム電子入りダイオードセンサー及び軽水素トリチウム電子入り無色のシリコンセンサーに成り、音声の色変換回路と映像の複数カラー色回路の文書説明図。
【図４４】2011年5月7日の著作権の試作作品だが、現在の医学の癌治療は、完全制覇を、体内細胞の電気分解技術で、癌も病気で無く成り、他の病気の治療技術のきっかけを探す為に、シリコン溶液及び透明プラスチック溶液に、ニュートリノ線を、内蔵した二枚合わせガラスを、使用したカメラの著作権試作品技術の説明に成り、ノーベル学者の協力無しでは、出来ないカメラパネル技術に成る文書説明図で有り、軽水素トリチウム電子とニュートリノ線を入れた合成薬だが、水素を入れた薬は、有名で有るが、軽水素のみの薬は、寒い登山などの体温を、上げる薬として、今後考案試験が、必要とする薬に成り、軽水素入りビタミンゼリーの二重構造ビタミン剤の文書説明図。
【図４５】2011年5月8日のパソコンとカードコピー時間が長すぎる対策の著作権技術対策として、パソコン内部の内蔵カードのＧＢを、現在の2ＧＢから、2ＧＢの数を増やしたり、2ＧＢを、4ＧＢに変えたり、8ＧＢから16ＧＢから20ＧＢのパソコン内蔵カードに成るが、余りＧＢ数を増やすより、内蔵カードの数を増やしたパソコンデーター回路が望ましい考え方に成り、500ＧＢカードなどのデーター入力時間を、短くする為の対策とパソコン内の弱電気スピードを、速くする技術によって、データーの多いカードのデーター入力時間を、短くする技術に成り、レアーアースパソコン回路だけでは、データー入力時間を、短く出来ない理由に成る文章説明図。更に、レアーアース金属のパソコン回路使用は、レアーアースの金属発見者の優先権主張の使用権に成るが、複数の電気会社のレアーアース金属使用は、不正競争の観点から考えられない事実に成るのも現在の状況に成る文書説明図。
【図４６】2011年5月8日の著作権技術説明の原子力免振装置の説明文書図で有り、過去の日本企業の飛島建設のエアーホイスト技術が有る為、電磁石モーターの電磁石反発ホイスト免振技術は、確かにエアーホイストのエアー配管のエアー漏れ事故の危険性が、有る為、高圧エアーホース配管は、はがね官とゴム管を、複数重ねしたのが、高圧エアー配管に成るが、スプリングエアー配管内部のエアー調整装置を取り付けても、エアー圧の耐久性では、電磁石反発ホイスト免振装置の耐久性が上に成るが、免振装置の上下の揺れを、電磁石コロ免振装置構造に成り、サイドの揺れ吸収に電磁石反発ホイスト免振装置を、使うのが、重量物のサイドのみの揺れ吸収には、適していると言える作品で有り、自動車の前後の振動吸収装置に使用する予定の著作権技術説明に成る文書図。コメント2011年6月9日am6時29分から書く千葉県の墫野和夫
【図４７】図47は、2011年5月11日考案の放射線防護服の夏場の暑さ対策服の構造説明に成り、固形窒素とフロンガスとテトロンと木材灰を入れた超軽量の冷却糸で、作った暑さ対策の放射線防護服に成り、固形窒素入りのナイロン糸などの冷却糸及び固形窒素入りのナイロンと竹灰入りの超軽量ナイロン糸に成る。従って、固形窒素フロンを入れたナイロン筒糸及び固形窒素フロンを入れたビニールシート及びナイロンシート及びテトロンシート等によって、夏場の放射線防護複の新技術構造に成る。この他、服内部に、超小型2連振子型自動充電池積載の超小型冷風機などを、体に付ける装置などが有る。コメント2011年6月9日pm18時39分寝る時間まで少し書く事にする千葉県の墫野和夫で有る。
【図４８】図48は、2011年5月11日考案の電気周波数を変える新しい技術は、60ヘルツの電気を、一度再び、軽水素トリチウム電子入りの圧電素子磁石体内蔵のダイナモを、高出力モーター回転させて、新たに電気を作り上げて、50ヘルツまで、電圧を調整する事で、新しい50ヘルツを、得る技術に成るが、コンデンサーとコイルと抵抗器を、使った電気ヘルツ調整は、放電電気量が多い技術の為、高出力ダイナモと高出力DCブラシレスモーターを使用した電気ヘルツ変換装置を説明した新技術の著作権文書図で有る。
【図４９】図49は、2011年5月17日の考案新技術作品は、電気配線とカードを一体化した電気配線に成り、通常電気配線の中に入れる為、磁気スイッチは、電波スイッチが使用され、電気消費を、少なくした情報連絡装置の開発を、目的とした装置で有り、都道府県市町村区の緊急連絡装置の、ケーブル配線の代役を、果たしたり、家電製品の軽量化など、他社に無い技術によって、他社と異なる商品開発の道筋の第一歩の著作権新技術作品の説明文書図で有る。
【図５０】図50は、2011年5月18日に北海道知事に頼んだ、電気配線の有りかた説明で有り、最近に成って、解った事で有るが、最近の電気配線は、金属料金が、高い為、銅線を使用しないで、アルミニューム鉛合金配線を、使用している事実とプラス配線とマイナス配線を、分けた送電に成っているが、今後、家庭の電気配線を、プラスとマイナスに分ける事で、電気熱抵抗の電気消費を、少なくする事によって、電気業者各社の、電気熱漏電事故とネズミの電気線のかじりによっての漏電事故を、無くす為の、家庭電気配線のプラス配線とマイナス配線を、分ける技術に成る文書図。此の事によって、無駄な電気熱消費と漏電事故による火災を、避ける技術に成り、一戸建てハウス事業者各社では、絶対行って無い技術理由に、配線の取り付け設備代が、高く成る理由で、行って来なかった新技術に成り、アルミニューム鉛合金筒配線に、軽水素トリチウム電子入りの圧電素子磁石体粒子内蔵の銅筒官電気配線は、アルミニューム合金筒電気配線とレアーアース筒電気配線に成り、これら筒型電気配線に成ると、金属の電気の通り具合は、問題外に成る理由として、軽水素トリチウム電子内蔵の圧電素子磁石体に、電気が素早く流れる為、電気配線に対しては、差ほどの電気スピード変化が無いと考えられる、この他、圧電素子磁石体粒子の代わりに、軽水素トリチウム電子入り、炭素配線と軽水素トリチウム電子入り木材灰入り配線は、超軽量の世界最軽量の電気配線に成り、アルミニューーム鉛合金筒配線に内蔵する事で、世界最軽量の電気配線が、出来上がる事に成り、電気使用費量は、軽水素トリチウム電子配線の方が、電気消費が少なく成るが、電気事業者の固有財産に、軽水素トリチウム電子入りの圧電素子磁石体粒子アルミニューム鉛合金筒配線の所有者が、都道府県市町村区ならば、弱者庶民全体が、救われる事に成る。従って、家庭電気配線の漏電事故防止依頼だけを、北海道知事に依頼した文書図で有る。
【図５１】図51は、2011年5月18日北海道知事に依頼した地下ケーブルの電気配線にする事で、今後の地震災害を防いだ地下ケーブル電気配線の方が、最終的に電気配線の維持費が、安く成る事と都道府県市町村区の電気配線にする事で、発電システムの新しい技術を、待つ事で、高い電気維持経費代を、払わない用にする対策案の依頼文章で有る。別途、高出力水発電機の家庭用タイプでは、電気配線を必要としない技術に成る文書図。
【図５２】図52は、2011年5月18日北海道知事に依頼した東北地震災害の費用の作り方説明に成り、大地震後、良く見られる擁癖ブロックの横転事故を、避ける為の、鉄筋止め金具と鉄筋座り固定装置としての、グラスファイバー鉄筋安定装置によって、擁癖ブロックの崩壊事故を、少なくする為の、東北地震災害復旧資金のみに、使う為に、考えた著作権新技術説明に成り、国民から増税対策より、良い考え方と考えられる文書図。
【図５３】図53は、2011年5月19日の特許庁提出の封書証拠図。
【図５４】図54は、2011年5月4日の痛み止めの塗り薬に成り、痛み止めの鎮痛剤の飲み薬と筋肉の懲りをほぐす痛み止めの塗り薬と貼り薬が有るだけの為、アルコールと固形窒素と飲み薬の鎮痛剤を、混合合成した薬の説明文書図。コメント2011年6月11日昼AM12時41分から会社の休みの為、書き始める千葉県の墫野和夫で有る。
【図５５】図55は、2011年5月5日の細胞活性化装置の新しい技術説明の著作権原本に成り、やけどの皮膚細胞の活性化装置に成り、冷却酸素のプラス陽電子電気線と冷却酸素のマイナス陰電子電気線を、火傷部分に照射する事で、火傷の傷内部の冷却酸素の細胞の電気分解によって、細胞の再生治療を、行う技術に成り、良い利点として、冷却酸素を使用している為、プラスマイナス0度の冷却酸素を、照射する事で、火傷の痛みを軽減しながら、細胞活性化治療する技術に成り、痛みの軽減を、目的とした治療方法に成り、プラス電気とマイナス電気は、電気抵抗の無い電気を、圧電素子4電子磁気分割装置によって、得る事が出来る装置に成る。この他、ニュートリノ電子線治療の著作権説明として、医療の壁を、通る為の医療処置成る事を説明した文書図。
【図５６】図56は、2011年5月3日のパソコンのコピー紙データーの読み込み時間を、速くする為の、磁気ストックカード配線内に、圧電素子4電子磁気分割装置を取り付けたりとして、高速電気配線回路と高出力超小型コンデンサーと高出力銅筒官配線を、取り付ける事と高出力発電回路の電気発電装置と高圧電気の高速電気回路によって、パソコン内の電気スピードを、速める技術に成る事を説明した文書図。
【図５７】図57は、2011年5月3日のパソコン画面の別の有りかたの説明に成り、パソコン画面の一部に、8画面を取り入れたパソコンに成り、通常パソコンより、横長に成り、パソコンキー部分にも、画像パネルを、三か所内蔵する事で、パソコンデーターの呼び出しの速さとパソコンデーターの確認が速く成り、その代り電気消費が多く成る為、新2連振子型自動充電池等の新技術搭載で無ければ、庶民流通出来る商品に成らない事に成り、高出力発電回路等の積載が、多く取り入れた最新式のパソコン画面の文書説明図。
【図５８】図58は、2011年5月3日のカメラ装置の有りかたとして、自動車カメラ及びロボットカメラ及び機械カメラの道路の起伏による機械振動によって、画像の被写体位置が、一定しないのを、衛星ＧＰＳの道路起伏突起データーを、カメラ内のデーター収集ストック多層圧電素子磁気カード及びＩＣ多層カードによって、道路の起伏凹凸データーによって事前の機械振動を衛星ＧＰＳ位置から、道路の起伏凹凸位置を、読み取り、カメラの被写体位置を、事前にモーター全自動調整出来るシャープの手振れ装置の特許切れ作品と異なる新技術に成り、他社は、自動車カメラと機械カメラとロボットカメラに、被写体のカメラ焦点位置の全自動修正装置が、取り付ける事が出来なく成る理由が、不正競争防止法の著作権先技術の盗作と技術横領に成り、知的所有財産法違反に成る事を説明した文書図。
【図５９】図59は、2011年6月8日のパソコン画面と携帯電話の液晶画面の新技術説明に成り、軽水素トリチウム電子入り液晶技術は、公開に成っている技術に成るが、液晶の電気消費を少なくする技術として、液晶にアルゴンガスと軽水素トリチウム電子の合成物質を、入れる新技術と液晶にネオンガスと軽水素トリチウム電子を混合合成した物質を入れる新技術に成り、この他、既に公開に成っている放射線内蔵クリスタルガラス筒パネル技術の応用の、アルフアー線と軽水素トリチウム電子を内蔵合成した液晶パネル新技術とペーター線と軽水素トリチウム電子を、混合合成した液晶パネル新技術は、バックライトの光とアルフアー線とペーター線の光の色度数を、明白にする海外のサモーカメラ技術と軽水素トリチウム電子の液晶内蔵技術によって、液晶電子の移動のスピード化を計った新技術に成り、他社が真似の出来ない技術に成り、不正競争防止法の対象作品に成り日本国の裁判事実の賠償法に対しては、賠償金額に伴って裁判費用を、積まなければ賠償請求出来ない、日本の大学の法学部の意向と法務省の意思決定の為、不正競争発覚次第、財産損益分に対する世界全ての販売額の賠償額によって、懲役30年以上の懲役一億年以上の無期懲役対応にしか成らない事を、日本国の弱者切り捨ての賠償法の有りかたの為に、詐欺罪と横領罪適用にしか成らない事を、この文面を使用して説明文書図とします。
【図６０】図60は、2011年6月8日の、著作権技術説明に成り、携帯電話の文字連絡装置に対して音声読み込みを、行って相手の携帯電話に、文字通話連絡出来る装置に成り、携帯電話の二画面文字通話を、可能にした技術に成り、列車内とバス内と会社内の文字通話が、可能に成る為、迷惑通話が、無く成り、バイブレイション連絡とカラーライト連絡とノック振動連絡によって、携帯電話の呼び出し音の迷惑を、取り除く新技術に成り、マナーモードで無い、文字通話モードが新しい著作権新技術に成り、他社の形態電話会社では絶対に真似の出来ない新技術の文書説明図。コメント2011年7月17日pm19時47分図面の残りの簡単な説明を始める千葉県の墫野和夫で有る。
【図６１】図61は、2011年6月17日の、高出力水中モーターの錆止め新技術として、電気の通る液体プラスチックと圧電素子磁石体粒子液を、高出力内コイルにコーテングする事で、錆止め効果に成る世界最新技術に成り、水中モーター使用技術は、現在、全世界では、プラモデル製品以外の技術仕様が無いのも現状でも有り、今後、水中装置の錆止めコーテングとして、船の金属コーテング技術に成る世界最新技術に成る文書説明図で有る。
【図６２】図62は、2011年7月4日バックホーのバケット返しの音を無くす装置として、バケットシリンダーの取り付け部分に、強化ゴム及び強化ビニール及び強化スプリングなどを取り付ける事によって、バケットシリンダーのバケット返し音を、消す新技術に成り、今後の、全自動バックホーの技術設置装置に成る。
【図６３】図63は、2011年7月2日の、複数穴あきニクロム線の固形窒素フロン素子を入れる事で、夏は、固形窒素フロン素子ニクロム線で冷却して、冬は、高出力2連振り子型自動充電池の電源によって、暖房服に成る夏冬兼用の冷暖房服の文書説明図。
【図６４】図64は、2011年7月5日の携帯電話等の回路配線説明に成り、レーアーアースを超える電気の通りの良い物質として、軽水素窒素プラスチック配線を、アルミニューム鉛合金の回路配線の特許切れ技術のアルミニューム鉛合金回路配線溝に、軽水素窒素プラスチック配線を、流し込んで固めた、回路配線によって、レアーアース以上の電気配線を低価格で求めた結果の回路配線新技術に成る文書説明図。
【図６５】図65は、2011年7月6日のソーラーパネルの取り付け部分の、著作権技術に成り、屋根のデザインソーラーパネルは、他社が、昔から、行って入る営業権に成り、著作権デザイン契約と著作権デザイン料の支払いが、必要に成り、窓枠以外の、家の周りのソーラーパネルも、テレビ放送の公開の為、他の者の技術に成り、従って、残された窓枠を、取り付け取り外しが、簡単な窓枠付のソーラーパネル技術は、残されたはめ込み取り付け型のソーラーパネルに成り、世界最新技術の太陽光熱の、瞬間熱磁気変換発電方法に成りる圧電素子磁石体粒子ラインの磁気配線技術は、他社が、真似の出来ない世界最新技術説明の文書図。コメント2011年7月17日pm21時54分寝る時間なので、眠る千葉県の墫野和夫で有る。コメント2011年7月18日am7時48分残り6図の71図まで、書いて終わりに成る千葉県の墫野和夫で有る。
【図６６】図66は、2011年7月11日の、燃料電池の循環発電型の、軽水素酸素水を、高出力電動仕切り弁付の高出力遠心分離機によって、軽水素酸素水を、軽水素と酸素に、瞬間に分ける装置によって、スクリュー軽水素を、液体マグネシウム圧電素子合成網ブロックに酸素を通し、圧電素子4電子磁気分割装置を、使って軽水素酸素陽電子陰電子スパーク発電と液体マグネシウムの軽水素酸素水のダブル発電出来る軽水素酸素水の燃料電池の循環発電機に成る説明の文書図。
【図６７】図67は、2011年7月11日の、燃料電池バックホー及び水発電機バックホーの、油圧ホースの間に、熱瞬間吸収発電カバーと油圧シリンダーの熱瞬間吸収発電カバーを取り付けた油圧デストロビー熱瞬間吸収発電装置等の、熱瞬間吸収発電シート及びパネル付のバックホー発電システムと夏は、バックホー周囲から、冷気を出して、冬は、バックホー周囲から、暖気が噴き出るバックホーシステムの説明文書図。
【図６８】図68は、2011年7月8日の、免震装置の電磁石反発装置に対して、電磁石は、軽水素トリチウム電子入り圧電素子磁石体の超薄板の複数針穴空きの電磁石に、静電気磁力線を流す事で、電磁石反発スクリューエアーの補助反発作動装置とした文書説明図。
【図６９】図69は、2011年7月13日の、家電用耐熱急冷陶器パネルの構造内容として、固形窒素とフロンガス混合合成粒子に陶器粒子を被せた乾燥粘土粒子に粘土を被せて中温で、焼いた冷却陶器パネル構造と陶器電気熱ニクロム線内臓の陶器電熱線鍋及び電熱線流し台と電気熱陶器パネル流し台の文書説明図。コメント2011年6月26日ＡＭ8時21分少しだけ、書く事にする千葉県の墫野和夫で有る。
【発明を実施するための形態】
【００８８】
以下、本発明の実施の形態を図1〜図61に基づいて説明する。
図1に於いては、多機能情報冷暖房無休憩発電機の、1は、無給油循環型の連続作動発電機の新2連振り子型機械式発電機及び、水発電機及び循環発電型の燃料電池を積載内臓した家庭電気配線を取り付けない、非常コンセントのみの、発電機修理等の予備電源コンセントが、取り付けられた半永久連続作動型の発電機積載内臓構造に成って入る。
【００８９】
本発明の、多機能情報冷暖房無休憩発電機の、9の、はめ込み型の超薄型画像パネルと光熱瞬間吸収発電パネルは、取り外し交換が、スプリングロック構造に成ってる為、簡単に取り外したり、取り付けたり出来る軽水素トリチウム電子入り圧電素子磁石体粒子内臓シリコンシートパネルの熱瞬間吸収発電シート装置貼り付け構造の液晶パネルに高出力発電回路付の新技術の高出力発電回路が内臓した情報液晶パネルに成る。
【００９０】
本発明の、多機能情報冷暖房無休憩発電機の情報装置に使われる、10の無線画像音声連絡装置の送受信装置は、回路ボックス構造に成っており、コンデンサー及びコイル及び絶縁体及び電波発信機及び電波スクリュー官などが、取り外せる組立交換パーツブロック構造に成ってる。
従って、11の超高速電波送受信装置の、高速電波スクリュー官及び熱瞬間吸収発電コンデンサーは、熱電気を再び電気抵抗の無い電気変換出来る圧電素子4電子磁気分割装置が取り付けられている構造に成り、ハンダ付け構造は、装置全体交換と成り、修理費が嵩む為、取り付け取り外し簡単な、部品ナット式タイプに成って入る。
【００９１】
更に、多機能情報冷暖房無休憩発電機全体の、高さ調整装置として、6のエアー注入型高さ調整装置は、高出力モーターとエアー調整のダブル高さ調整構造に成って入る2の、空気取り入れ弁付構造の高さ調整装置に成る。
【００９２】
そして、多機能情報冷暖房無休憩発電機の、冷暖房装置は、沸騰温度の低い軽水素酸素水を、使用した循環内臓水を使用した循環冷暖房水を使用した8の、軽水素酸素水タンク
積載の多機能情報冷暖房無休憩発電機に成り、7の外部高出力波形形状調整空気取り入れ電動モーター仕切り弁装置は、高出力ＤＣブラシレスインバータ制御レールモーターを
使用積載した構造に成り、冷暖房のスクリュー2重官によって、冷暖房水を循環させたスクリュー官にエアーの空気を通す事で、冷暖房システムとしている多機能情報冷暖房無休憩発電機の配管構造に成り、3の高出力波形形状調整空気電動モーター仕切り弁装置によって、エアーの向きとエアー量を、高出力ＤＣブラシレスインバータ制御レールモーターのモーター回転調整によって、冷暖房エアー量を、リモコンスイッチ調整出来る装置に成る。
【００９３】
そして、多機能情報冷暖房無休憩発電機の、非常用ライトとして、家庭電気のライト故障の場合などに対応する為の、5の、モーターパネル型ライトカメラは、人の形状認識出来る赤外線人形状認識カメラとサモー体温認識カメラのそれぞれの、サモーカメラのアルファー放射線飛散防止内蔵プラスチックシート内臓クリスタルガラス筒パネルと赤外線プラスチックシート内蔵クリスタルガラスパネル付のモーター複数切り替えパネル付のライトカメラの人の全自動形状認識によって、図2の、12の防犯カメラの盗難用に成って入るライトカメラが、全自動作動して、侵入者の姿を映して、登録済の携帯電話及び防犯システム会社へ全自動連絡出来る装置に成る。
【００９４】
図2に於いては、1の、無給油循環型連続作動発電機を使った図4の31の高出力発電回路を使った増幅発電装置の充電システムとして、17の無給油循環発電型急速蓄電装置は、軽水素トリチウム電子入りの窒素マグネシウムを使ったプラス極蓄電体とマイナス蓄電体を、別々にして、固形窒素フロンパネルで、急速充電熱の熱燃焼事故防止対策型の17の無給油循環発電型急速蓄電装置によって、1の、無給油循環型連続作動発電機の増幅発電システムとしている。
そして、多機能情報冷暖房無休憩発電機の、9の、はめ込み型超薄型画像パネルと光熱瞬間吸収発電パネルの光熱瞬間吸収発電パネルは、16の内蔵アンテナパネル構造の軽水素
トリチウム電子入り圧電素子磁石体構造に成って入るアンテナ受信体で有る。
【００９５】
そして、多機能情報冷暖房無休憩発電機の、18は、多機能情報冷暖房無休憩発電機の高さのリモコンスイッチ調整出来る18の、高出力モーター高さ調節装置に成る。
【００９６】
そして、多機能情報冷暖房無休憩発電機の、15の、 多画面画像パネルは、情報装置の、画像を、全自動ロボットカメラ撮影映像ＧＰＳ無線波映像撮影方式テレビの複数画面の
多画面画像パネルに成り、予め、スクリュー無線波の中継によって、多画面回路送信に切り替える事によって、多画面の情報データーの入手が、可能に成る構造の装置に成り
14の、テレポーテイション画像は、予め、自分の自画像カメラ撮影プリンターの光度色彩のＣＣＤ被写体情報認識パネルの映像波の電子電気情報を、情報装置画像に取り入れたり、ゲーム主人公の被写体人物を、映像波の電子情報によって、取り替える事によって、あたかも、ゲームの主人公が、写真画像の本人に成る事の出来る14の、テレポーテイション画像新技術に成り、2001年2月上旬考案作品に成り、写真の合成技術を、テレポーテイションカメラ画像合成技術は、2001年6月頃の考案作品に成る。
【００９７】
図3に於いては、23の、3重構造超高速配線に成り、21の軽水素トリチウム電子入り圧電素子磁石体粒子配線の中心電気配線構造に対して、22の、窒素ガス内臓圧電素子磁石体配線の電気熱防止対策配線を被せた20の、銅筒官電気配線に、19の、土粘土入りプラスチックゴム電気配線表皮構造にした、電圧の高く成る電気配線部分として、考案された
銅筒官コイル配線及び銅筒官電気配線の改良型に成る著作権考案作品に成る。
【００９８】
図4に於いては、高出力電動モータースククリュー官仕切り弁の説明に成り、25の、スクリュー風の当たる場所は、24の、ハート型風車円形型のスクリュー官に取り付けた30の 高出力圧電素子磁石体内臓電磁誘導発電装置に成り、28の永久合成磁石体と30の高出力圧電素子磁石体内臓電磁誘導発電装置を積載した装置に成り、スクリュー官を、26の熱瞬間吸収発電パネル型のスクリュー官は、軽水素トリチウム電子入り圧電素子磁石体粒子内臓シリコン熱瞬間吸収発電パネルに対して、塩化ビニール及びプラスチックビニール及び強化プラスチックを、被せた構造のスクリュー官にエアーを通すだけで、エアースピードが上がり、熱瞬間吸収発電パネル構造としたスクリュー官装置に成り、温風用スクリュー官と冷房用スクリュー官が、二本有る構造に成り、31の高出力発電回路によって、電気消費を、電気配線の軽水素トリチウム電子入り圧電素子磁石体の電気打撃発電によって、電気消費を抑える構造に成り、32の、増幅プラス電気と33の増幅マイナス電気に構造に成り、通常プラス電気は、31のプラス高出力発電回路に、プラス電気を通す事によって、32の、増幅プラス電気を得る事が出来る構造になり、31の、マイナス高出力発電回路に、マイナス電気を通す事で、33の、増幅マイナス電気を得る事が出来る
31の、高出力発電回路と26の、熱瞬間吸収発電パネル型スクリュー官構造と、30の、高出力圧電素子磁石体内臓電磁誘導発電装置によって、世界最小の電気消費が、間違い無い新技術説明に成る。
【００９９】
図5に、於いては、44の、室内暖房装置用送風スクリュー風〜ストレート風変換装置に成り、34の、新2連振子型機械式発電機発電電力を送電し、35の、 酸化鉄合成セラミック球体内蔵テングステン内蔵二重ニクロム線パネルによっての熱風を、温水風として、36の、高出力モーター送風とし、37の、 スクリュー熱瞬間吸収発電体によって、無駄な熱
エネルギーを、電気エネルギーに変えて再発電して省電気消費システムとし、38の、 高出力ダイナモハートパネル型風車パネル発電装置と39の、  スクリュー官によって、熱風を送る装置に成り、43の、加湿用及び空気清浄水シャワー装置切換え式によって、空気洗浄を行い42の、 2次高出力モーター送風装置によって、清浄温風を送るシステムに成り、41の、スクリュー熱瞬間吸収発電体内臓送風増幅装置によって、熱風送風を早くしながら、熱瞬間吸収発電を行い、40の、高出力電磁誘導ダイナモＷ発電装置によって
熱風スピード風による発電によって、世界で一番電気消費の少ない冷暖房装置に成る。
【０１００】
図6に、於いて、高出力エアー仕切り弁装置は、49の、高出力ＤＣブラシレスレールインバータ制御モーターの48の、モーター軸に、45の、 波形形状空気調整型スクリュー官仕切り弁構造に成り、46の、複数型高出力発電回路カートリッジボックスは、47の、 電気配線モーターアダプタと50の、 複数束配線からの構造にから成る、電気配線の処理をすると同時に、プラス配線とマイナス配線を別々の束にする事で、26の、  熱瞬間吸収発電パネルとした構造にする事で、電気熱を無駄にしない発電方法を、得る事が、出来る装置に成る。
【０１０１】
図7に、於いて、冷暖房発電機コンセントパネルは、55の、画像パネルに、57の、  高出力発電回路アダプタ電気取り込みコンセントと56の、熱瞬間吸収発電パネルの58の、高出力発電回路アダプタ電気送電コンセントの両方の取り付けられた構造に成り、51の、半ナット型Ｗブロックロックナットと52の、 ナット形状と53の、 ゴム物質と54の、4箇所回転式ポルトゴムによって、ボルトナットロック形状に成って入る装置に成る。
【０１０２】
図8に、於いては、59の、 電波送受信装置は、61の、 電波速度アップスクリュー電波官によって、スピードの上がった電波を、60の、圧電素子磁気アンテナ構造に成って居装置に成る。
【０１０３】
図9に、於いては、発電回路付ＬＥＤライト装置は、64の、アーノドと63の、ウエッジワイヤボンテイングに成り、問題の66のＬＥＤチップは、世界最新技術の、軽水素トリチウム電子入りダイオード新技術と62の、電気熱吸収発電反射板装置は、通常反射板の後ろに、軽水素トリチウム電子入り圧電素子磁石体粒子内蔵シリコンシートを貼る事で、熱瞬間吸収発電を可能にしている構造に成り、65の、樹脂ガラスは、軽水素トリチウム電子入りシリコン内臓圧電素子磁石体超細ライン付の二枚合わせ発電ガラス69のアウタリードは、72の、プラス圧電素子4電子磁気分割装置によって、通常のプラス電気中の熱抵抗電気のみを、取り除き、70の、高出力プラス発電回路によって、電気増幅した69の
アウタリードに、増幅電気を、流す事が、出来る装置成る。
更に、68のカソードは、73のマイナス圧電素子4電子磁気分割装置によって、通常のマイナス電気中の熱抵抗電気のみを取り除き、71の、高出力マイナス発電回路によって、電気増幅した68のカーソードに増幅マイナス電気を流す事の出来る装置に成る。
【０１０４】
図10に、於いては、超高速認識ＣＣＤの構造説明に成り、75の大レンズを通った76の光は、74の凸レンズを通り、79の新技術の軽水素トリチウム電子入りＣＣＤダイオード新技術は、80の、通常のＣＣＤ技術より、光認識が早く成り、78の、炭素窒素軽水素入りプラスチックマイナス配線と77の 軽水素入りプラスチックプラス配線に81の、 炭素窒素絶縁プラスチックコーテングによって、回路配線としている新技術説明に成り、デジタルカメラより、光認識スピードが、速く成る世界最新技術説明に成る。
【０１０５】
図11に、於いては、海底地震計は、85の、新2連振子型自動充電池の無害無給油無休憩の半永久全自動発電池の電源と83の、スクリューソナー波送受信装置のソナー波を、スクリュー回転ソナー波は、234の海底温度計データーを、無線ソナーに変える全自動作業と84の海底地震計データーを83の、スクリューソナー波送受信装置によって、海底段数ソナーを経て、海上の海上段数ソナーから、海上空中上空の、山岳ヘリコプターを、複数経て、地上の電波中継基地まで、スクリューソナー波を、スクリュー無線波及びスクリュー携帯電話波によって、海底の温度データーと海底地震計データーを、海底コードを使わないで、海底温度データーと海底地震計データーを、送受信出来る装置に成り、233
のライトカメラは、ソナー波送受信によって、233のライトカメラの送受信が、可能に成り、82の、スクリューソナー波送受信アンテナによって、海底のデーターを全自動の携帯電話波のインプット操作によって可能に成り、海底地震計は、86の角度調整型ドリルネジ部分は、予め、ドリルで岩盤に穴を空けた部分に、海底地震計をはめこんで、専用の水中ロボットなどで、87の、ロボットアタッチメント取り付け口に専用のモーター工具によって、海底地震計の設置完了によって、全世界の海底地震計データーと全世界の
海底温度と全世界の水中ライトカメラデーターを、地上から観察出来る事に成る。
【０１０６】
図12に、於いては、海上スクリューソナー波送受信装置の説明図に成り、電源装置に、97の、新2連振り子型機械式発電機の半永久無害無給油の連続作動発電機の電気エネルギーを使用して、90の、高出力2連結以上モータースクリュー装置の4基のモータースクリューに電気が、供給され92の、衛星ＧＰＳ位置確認海上位置確認認識装置によって、全自動で、海上海底地図の設定されている位置に全自動で、365日24時間全自動に、90の、高出力2連結以上モータースクリュー装置を、使って、元の位置全自動帰還装置によって、海上段数ソナーの定位置が、約束されている理由に成り、海が、大荒れの場合は、海中の二メーター位の位置に潜って、海上にワイヤアンテナを、出して海上浮遊する為海が、大荒れの場合でも、海底のライトカメラ映像等を、365日24時間無休憩全自動海中撮影が、可能にした世界初の装置に成り、海上段数ソナーの水中重量を、軽くする為に
93の、発砲スチロール入りゴムチーュープ積載の海上段数ソナー装置に成り、水中に潜って、定位置調整をする為の、補助浮遊装置に成る。
更に、96の、ライトカメラ装置は、91の、レントゲンスコープカメラと96の、ライトカメラと235のサモーライトカメラのカメラパネルのモーター切り替え装置によっ、海中の生物の骨格と生物の温度形状と生物のライトカメラ形状を、365日24時間全自動連続撮影した映像を、地上の家庭の情報装置に全自動で、海中データーを、送る事が、出来て、近距離の、魚群探査も可能に成り、魚群探査装置付にすると、海中の魚の群れの情報を、全自動で、連絡出来る装置に成り、高出力ソーラーパネル充電バッテリー型の魚群探査装置は、船が近ずくと魚群データー監視装置から、海底の魚の群れのデーターを全自動で船に送受信出来る装置などが可能に成る。
この他、88の海上高度計によって、海上の水位の波の高さの全自動観測が可能に成り、94の複数カラーライトライン発射装置によって、近ずく物体との距離を全自動計測出来る為、物体の衝突の回避が、可能に出来る装置に成る。
【０１０７】
図13に、於いては、段数スクリューソナー波装置の電源は、103の、新2連振り子型自動充電池のダブル自動充電池と高出力発電回路新技術の電気打撃軽水素トリチウム電子入り圧電素子磁石体の電気打撃発電によって、プラス高出力発電回路新技術とマイナス高出力発電回路新技術によって、通常電気を、圧電素子磁石体に、プラスとマイナス其々の電気配線を取り付けて、通常電気の其々の電気打撃だけで増幅発電出来る技術と電気中の熱抵抗電気だけを取り除く事の出来る圧電素子4電子磁気分割装置に成る。
コメント
2011年6月26日pm22字39分ペンを置く千葉県の墫野和夫で有る。
コメント
2011年6月27日月曜日am6時29分少しだけ書く事にする千葉県の墫野和夫で有る。
【０１０８】
図13に、於いては、103の、新2連振り子型自動充電池の増幅型の発電池の電気量を使用して、100の高出力段数ソナー2連結以上水中モータースクリューを、4基使用して、101の海底山岳ヘリコプターＧＰＳ位置確認装置を使って、段数ソナーの海底海上地図位置の山岳ヘリコプターＧＰＳによって、段数ソナーの位置の全自動元の位置帰還装置によって、海上の海底一万メートル以上の場所でも、複数の段数ソナー使用して、スクリューソナー波を、水中ロボットへそして、水中ロボットから、家庭の画面へ海底画像地震及び海底温度及び海底画像及び海底水分分析などの、データーを、家庭の画像にデーターを、映し出す事が可能に出来る装置に成る。
コメント
2011年6月27日am6時55分仕事の為、ペンを置く千葉県の墫野和夫で有る。
コメント
2011年6月27日月曜日pm18時57分寝る時間まで、少し書く事にする千葉県の墫野和夫で有る。
【０１０９】
図13に、於いて、94の、複数カラーライトライン装置は、物体との複数ライトライン接点を、カメラの複数ライトライン接点のカメラ焦点距離を、全自動計測して、物体との距離を、画面上に、文字表示したり、音声連絡出来るシステムに成り、98の複数スクリューソナー波送受信アンテナは、圧電素子磁石体粒子入り強化プラスチックパネル片面に木材灰入りプラスチックシート絶縁体パネルを取り付けた、段数スクリューソナー送受信装置カバーに成り、複数のスクリューソナー波のキャッチ体と送信体の両方を、兼ねた段数スクリューソナー波送受信本体カバーに成る。
この他、96の、ライトカメラは、91の、レントゲンスコープライトカメラと235のサモーカメラと赤外線カメラと紫外線カメラと電子カメラと通常カメラを、一組のレンズカメラとカメラパネルのモータースイッチ切り替えによって、可能に成る段数スクリューソナー送受信装置に成る。
【０１１０】
図14に、於いては、全自動インプットリモコン補助水中ロボットは、109の、高出力水発電機の電源によって、106の、高出力2連結以上水中モータースクリューを、4基の低電気消費の水中スクリューモーターの世界最小の電気消費の超高速水中モータースクリューに成り、高出力水中モーターに成り、105の、モーター水切り羽をボルトナットのゴムパッキンで、取り付ける事によって、モーター推進力を上げる事によって、非常時の高速水中モーター推進に役立つ事に成る。
更に、105の、全自動水中ロボット作動システム貯蔵装置には、燃えるゴミ灰入り、プラスチック絶縁体シートと圧電素子磁石体超複数ライン磁気ライン構造の多層重ね超微粒子圧電素子磁石体磁気カードを、ロボットのデーター入出力データー貯蓄多層式カードボックスに成り、固形窒素フロン内臓シートによって、カード加熱を、防いだ107の、全自動水中ロボット作動システム貯蔵装置に成る。
コメント
2011年6月27日pm21時56分寝る時間なので、ペンを置く千葉県の墫野和夫で有る。
コメント
2011年6月28日pm18時46分から、寝る時間まで書く墫野和夫で有る。
【０１１１】
図14に、於いては、104の、水中ロボットライトサモーカメラは、アルファー放射線飛散防止パネルと91の、レントゲンスコープライトカメラパネルと、赤外線パネルと紫外線
パネルと通常カメラと望遠カメラと電子カメラのモーターカメラ全自動切り替えパネルを積載内臓した104の、水中ロボットライトサモーカメラに成り、カメラナット構造とゴムパッキンによって、水の侵入を、防ぐ水中ロボットカメラ構造成る。
【０１１２】
図15に、於いては、河川湖撮影装置は、103の、新2連振り子型自動充電池の電源を使用して、115の、水車板型高出力モータースクリューか卍形状水車板高出力モーターと120の浮上用高出力モータースクリューと123の推進用高出力モータースクリューと117の、モータースクリューの燃えるゴミの灰入り超軽量プラスチックのモーターカバーを使用
積載する事と発砲スチロール入り河川湖撮影装置本体構造にする事で、水中に浮く装置として最適な超軽量素材を使用した水中ロボット撮影機械に成る。
この他、113の、ライトは、軽水素トリチウム電子入りの高出力ＬＥＤライトに成り、反射ガラスナット型の防水用のＬＥＤに成り、114のサモーカメラも、超小型のカメラパネル切り替え型のライト撮影カメラに成り、122の、後方サイドカメラも、カメラパネル切り替え型の超小型撮影装置に成る。
【０１１３】
図16に、於いては、124の、電磁石反発免震装置に成り、多機能情報冷暖房無休憩発電機の、振動防止装置として活用する為の装置に成り、131の、丸鉄球永久磁石体に成り、128の、圧電素子磁石粒子入りビニールシートを被せた129の、鋼鉄永久磁石に成り、126の、磁石円球止め装置の磁石円球止め突起物に成り、131の、円球磁石の、反発用の、127の、電磁石鋼鉄板スイッチ切り替え式板を、131の、永久磁石鉄球の上下に設置する構造に成り、130の、免震電磁石板固定棒装置と125の、永久円球磁石の脱落防止装置構造の電磁石反発免震装置に成る。
【０１１４】
図17に、於いては、132の、異なった電磁石反発免震装置の構造は、136の、止めボルトナットで、床に固定するタイプに成り、135の、高出力電磁石板のコノ字型の高出力電磁石板を、コノ字が、交互にかみ合う形状にした上で、130の、免震電磁石板固定棒によって、コノ字型の異なった免震装置に成り、132の、異なった電磁石反発免震装置の左右の揺れ吸収材として、134の、圧電素子磁石粒子入り樹脂ビニール装置に成り、家電製品の地震時の揺れ吸収装置に適している装置に成る。
【０１１５】
図18に、於いては、別の132の、異なった電磁石反発免震装置は、130のＴの字型の139の、免震電磁石反発棒軸は、免震振れ止め鋼鉄棒板と142の、下側電磁石固定板免震装置は、140の、免震固定ボルトナットによって、床に固定するタイプに成り、そして、138の、免震振れ止め鋼鉄棒板と137の、免震サイド振れ止めスプリング板構造の装置と、141の、圧電素子磁石粒子入り樹脂シリコン球内臓ビニール体によって、Ｔの字型の、139の、免震電磁石反発棒軸の隙間を、埋める事によって、免震装置の効力を高めて入る
免震棒構造の免震装置に成り、四隅に取り付ける構造に成る132の、異なった電磁石反発免震装置に成る。
コメント
2011年6月28日pm21時51分寝る時間なのでペンを置く千葉県の墫野和夫で有る。
コメント
2011年6月29日am6時11分ちょとだけ書く千葉県の墫野和夫で有る。
【０１１６】
図19に、於いては、132の、またまた別の異なった電磁石反発免震技術に成り、148の、絶縁円球金属の中に、146のプラススクリュー水配管と147の、マイナススクリュー水官構造によって、148の、絶縁円球金属に被さる円柱筒型装置を、スクリュー水の力と電磁石の磁気反発の力で、免震装置自体を浮かす構造に成って下り、145の、絶縁スプリングビニールプラスチックによって、落下衝撃を、複数の145の絶縁スプリングによって、衝撃吸収に成っており、免震装置の電磁石反発部分は、高出力圧電素子磁石体の電磁石の電磁誘導発電構造にも成って入る。
更に、144の、軽水素トリチウム電子入り樹脂シリコン球圧電素子磁石体粒子内臓ビニール磁気圧弁によって、循環水流水の水の流れの調整構造に成って入る143の、高出力電磁石板の電磁石反発構造に成り、130の、免震電磁石板固定棒によって、左右の揺れの制御を行ってる構造に成る。
これら、家電製品免震装置は、原子力免震及び一戸建て免震及びマンション免震などの全ての免震対応が出来る電磁石反発免震装置の異なった構造に成り、この他、ＤＣブラシレスモーターホイストを使った免震装置なども有る。
コメント
2011年6月29日am6時37分仕事の為、ここまでとする千葉県の墫野和夫で有る。
コメント
2011年6月29日pm19時58分寝る時間まで、少し書く事にする千葉県の墫野和夫で有る。
【０１１７】
図20に、於いては、149の、インプット全自動木登りデーター送受信ロボットの説明で有り、151は、高出力ＬＥＤライトで有り、ＬＥＤライトのクリスタルガラスカバーが、ボルトナットで、取り付けられている構造に成り、150のレントゲンスコープカメラと153のサモーカメラと158のサイドカメラと155のサイド高出力ＬＥＤライトと152の、物体
認識用の高出力カメラモーターによって、山林の自然画像データーと動植物のデーターと地中レントゲン画像データーと動植物の体温データーと音声データーを得る事の出来る装置に成り、電源は、157の、新2連振り子型自動充電池に成り、さまざまな映像を、24時間連続で、365日連続で、自然風景画像を、全自動で撮影する事が出来て、154の、スクリュー携帯衛星無線波送受信装置は、山岳ヘリコプターの電波中継装置によって、深い山奥の山林などの自然画像を、24時間連続で、撮影した映像を、各家庭の、インターネットテレビまたは、情報テレビの、多放送画面に、写し出す事に可能に成る。
そして、156の、 スクリュー無線型全自動ロボット作動認識認知確認判断連絡システムブロックデーター多層カード装置によって、149の、インプット全自動木登りデーター送受信ロボットの、全自動作動データープログラムが入ってる。
【０１１８】
図21に、於いては、159の、地滑り予知事前連絡装置の説明に成り、プラスチック材及びグラスファイバー材等の半永久腐食しない物質を使用した159の、地滑り予知事前連絡装置の説明に成り、電源に、161の、新2連振り子型自動充電池を使用積載内臓した杭型の装置に成り、160の、スクリュー衛星無線波送受信装置によって、家庭の情報テレビ画面まで、土の中の水分量を、全自動連絡出来る装置に成り、162の、水分量全自動感知認識連絡棒装置は、164の、 圧電素子磁気粒子入り水銀液体マグネシウム水分温度感知装置によって、土の中の温度を感知して、163の、 弱電熱線入り圧電素子磁気粒子入り液体マグネシウム水分吸収装置によって、地中の水分蒸気を、全自動感知して、家庭の情報テレビに全自動連絡出来るシステムで有る。
そして、162の、 水分量全自動感知認識連絡棒装置によって、土の中の水分を、取り入れ吸収する複数穴装置に成り、スッポンジなどの物質によって、穴ふたぎ防止材に成ってる装置に成る。
【０１１９】
図22に、於いては、165の、マンホール内増水連絡装置は、167のマンホール蓋型のアンテナ及び、166の、マンホール内増水連絡用送受信アンテナ装置によって、マンホール内
の、168の、スクリュー弱電波受信連絡装置と169の、スクリュー弱電波送信装置 の木材灰入りプラスチック浮きのマンホール内の増水による超軽量丸浮きによって、電波遮断
によって、マンホール内の水量の増水を、全自動連絡出来る装置に成り、170の、地下配管は、172の、マンホール免振杭によって、マンホールの液状沈下防止とマンホール免震装置によって、170の、地下配管などの保護構造に成ってる。
【０１２０】
図23に、於いては、174の、 水中ー情報連絡全自動飛行装置は、182の、高出力Ｗ自動充電池の電源を利用して、174の、水中ー情報連絡全自動飛行装置を全自動作動出来る事に成る。
コメント
2011年6月29日pm21時55分寝る時間なので、ペンを置く千葉県の墫野和夫で有る。
コメント
2011年6月30日am6時7分少しだけ書く事にする千葉県の墫野和夫で有る。
従って、176の、浮上用プロペラと184の、推進用プロペラは、173の、高出力2連結以上モーターによって、超高速推進が出来て、175の、 バランスサイドプロペラによって、強風時などの、緊急時のプロペラ装置に成り、180の、スクリュー携帯波送受信装置は、177の、衛生ＧＰＳスクリュー携帯波送受信圧電素子磁石体粒子入りアンテナによって179の、水分計側計と183の、水中ライトカメラ水の透明度計測装置と178の、水中レントゲンスコープカメラと181の、水銀温度計内蔵発砲スチロール内蔵シリコンゴム水温連絡装置を、177の、衛生ＧＰＳスクリュー携帯波送受信圧電素子磁石体粒子入りアンテナによって、家庭の情報多重放送テレビに、海底の映像や奥深い山林の映像を、365日24時間連続で映像と音声を、公開し続ける事が出来る174の、水中ー情報連絡全自動飛行装置に成る。
【０１２１】
図24に、於いては、185の、空中計測情報全自動無期限連絡装置は、194の、新2連振子型機械式発電機の電源を使って、プロペラと196の、 空中定位置固定用全自動位置帰還用複数プロペラ装置によって、空中衛星ＧＰＳによる空中地図の元位置の固定安定位置を保持出来る事に成り、189の、空中位置連絡用カラーライトライン装置によって、空中事故を、未然に防ぎ、192の、外気取り入れフアーン口と193の、外気吐き出し口装置によって、191の、放射能外気計測装置を、365日24時間連続放射線の計測も、可能にした新技術に成る。
コメント
2011年6月30日am6時42分仕事の為、ぺんを置く千葉県の墫野和夫で有る。
コメント
2011年7月1日pm19時19分少しだけ書く事にする千葉県の墫野和夫で有る。
【０１２２】
図24に、於いては、187の、複数スクリュー送受信装置は、スクリュー携帯電話波及びスクリュー無線波及びスクリューテレビ波及びスクリュー衛星波を、スクリューソナー波
に、全自動で変える電波中継装置に成り、190の、複数スクリュー波キャッチ圧電素子磁気粒子アンテナ装置は、圧電素子磁石体粒子の軽水素トリチウム電子入りプラスチック
パネルに、雑草灰入りプラスチック絶縁シートを、貼り付ける事で、他の機器の、電波障害を、避ける構造に成って入る。
この他、189の、空中位置連絡用複数カラーライトライン装置は、他の飛行物体へ、185の、空中計測情報全自動無期限連絡装置の位置を、全自動連絡出来る新技術装置に成り
更に、195の、複数ライト切り替え型多機種カメラ装置は、サモーパネルカメラ及びレントゲンパネルカメラ及び赤外線パネルカメラ及び紫外線パネルカメラを一つのカメラの
カメラパネルのモーターパネル切り替えによって、多機種のカメラを、連続切り替えを行って、多機種カメラデーターを、連続して家庭の情報テレビパネルに映し出す事が、可能に成る。
そして、188の、高出力2連結以上モーターと196の、空中定位置固定用全自動位置帰還用複数プロペラ装置は、194の、新2連振子型機械式発電機の電源によって、365日24時間
連続作動撮影が、可能な装置に成る。
更に、186の、全自動空中定位置電波複数位置計測計装置は、高度計と衛星ＧＰＳ位置確認の他、地上の別々の、固定された電波送受信装置によって、185の、空中計測情報全自動無期限連絡装置の空中位置の指定位置固定と指定位置全自動の元位置帰還装置によって、衛星ＧＰＳとは、別の意味の全自動元位置帰還機能を可能にしている装置説明に
成る。
【０１２３】
図25に、於いては、197の、全自動地盤隆起計測装置は、198の、衛星ＧＰＳ送受信アンテナ(別名の、山岳ヘリコプター全自動位置確認波アンテナ)に成り、207の、金属表面グラスファイバーカバー加工の金属杭に成り、205の、金属矢に成り、206は、トリプル人口衛星高さ計測計に成り、204の、超小型高度計によって、197の、 全自動地盤隆起計測装置によって、地盤の全自動計測を可能にしている。
コメント
2011年7月1日pm21時0分寝る時間なので、ペンを置く千葉県の墫野和夫で有る。
コメント
2011年7月2日am6時1分少しだけ、書く事にする千葉県の墫野和夫で有る。
【０１２４】
図25に、於いては、199の、新２連振り子型自動充電池は、198の、衛星ＧＰＳ送受信アンテナ(別名の、山岳ヘリコプター全自動位置確認波アンテナ)と209の、衛星ＧＰＳ送受信圧電素子磁石粒子芯入りアンテナと197の、全自動地盤隆起計測装置全体の、全体を、203の、グラス樹脂防腐加工と207の、金属表面グラスファイバーカバー加工によって、
204の、超小型高度計と202の、トリプル人口衛星位置計測計などの、さび止めの為の、防腐加工が施されている装置に成る。
【０１２５】
図26に、於いては、208の、全自動地熱温度水分計側装置は、210の、高出力自動電池を使って、214の、 全自動温度計測装置と212の、全自動超小型地熱温度計測装置と213の
全自動水分計側装置を、209の、衛星ＧＰＳ送受信圧電素子磁石粒子芯入りアンテナによって、211の、スクリュー衛星無線波送受信装置によって、データーを、家庭の情報テレビに、映像データーなどを、瞬時に伝える事が出来る。
【０１２６】
図27に、於いては、215の、地下収納型家具は、220の、高出力棒状ＤＣブラシレスレールインバータ制御モーターによって、家具を、上下させる事が出来る装置に成り、218の
モーター移動棚は、217の、ライトカメラと216の、半永久保存固形窒素粒子内蔵グラスファイバー板を使用した棚に、家電製品などを地下に収納する事によって、狭い敷地でも、大人数でも生活出来る家を、可能にして、219の、スクリュー室内無線波連絡アンテナによって、215の、地下収納型家具をリモコン無線移動出来る装置に成り、222の天井
の二階に、221の、非常脱出用扉を、取り付ける事で、二階からの脱出も、可能にしている装置に成る。
コメント
2011年7月2日am6時45分仕事の為、ここで、ペンを置く千葉県の墫野和夫で有る。
コメント
2011年7月6日pm21時15分少しだけ書く事にする千葉県の墫野和夫で有る。
【０１２７】
図28に、於いては、232の、地中装置止め伸縮杭針モーター装置に成り、228の、  高出力2連振子型自動充電池の電源を使用して、227の高出力2連結以上モーターを、連続作動させて、225の、スクリューネジ地中推進機と、224の、音波振動トーン上下移動スクリュー装置によって、土の中を掘りながら進む事によって、226の、地中温度計と地中カメラによって、地中データーを、230の、地中連絡電波コードを通じて、上空の山岳ヘリコプターの電波中継基地を経て、家庭の情報テレビに、地中のデーターを、223の、全自動地中探査装置によって、229の地中レントゲンカメラなどの使用によって、地中データーを送る事が、出来る231の、スクリューテレビ波送受信装置によって、地中データーを送る事が出来る装置に成り、232の、 地中装置止め伸縮杭針モーター装置によって、地中固定も、可能に出来る装置に成る。
コメント
2011年7月6日pm21時53分寝る時間なので、ペンを置く千葉県の墫野和夫で有る。
コメント
2011年7月7日am6時18分少しだけ書く事にする千葉県の墫野和夫で有る。
コメント
2011年7月9日am8時26分会社の休みの為、少し書く事にする千葉県の墫野和夫で有る。
【産業上の利用可能性】
【０１２８】
本発明の、請求項1の、多機能情報冷暖房無休憩発電機は、軽水素トリチウム電子入りの圧電素子磁石体粒子複数針穴空きシートパネルと軽水素トリチウム電子が多く入ったチタン酸バリウムシートパネルを、交互に貼り合わせた別名高出力圧電素子に対して、二つの高出力圧電素子磁石体に対して、高出力発電回路のプラス発電回路は、高出力圧電素子磁石体の磁気の強い部分に銅板銅筒官配線を取り付けた構造は、プラス通常電気取り込み配線に成り、プラス磁気の一番弱い部分に取り付けた銅板銅筒官電気配線によって、プラス電気の増幅電気を圧電効果と軽水素トリチウム電子効果によって、増幅プラス電気が得る事が、可能に成り、高出力発電回路のマイナス発電回路も、別の高出力電素子磁石体のマイナス磁気の一番強い部分に銅板銅筒官配線を取り付けた電気配線にマイナス通常電気を流して、マイナス磁気の一番弱い部分に銅板銅筒官電気配線の増幅イナス電気取り込み配線とした二つの高出力発電回路を、多機能情報冷暖房無休憩発電機の全てのシステム機械に内蔵積載した日本国の全額借金返済と貧困弱者国民自立危機に対応する為に考機能情報冷暖房無休憩発電機の、高出力発電回路は、超小型のＬＥＤライトに、高出力発電回路と圧電素子4電子磁気分割装置と超小型充電池を取り付けた装置に成ると、電気充電を、余り必要としないＬＥＤライトが出来て、医療機器の超小型の脈拍計及び歩行計及び体温計及びサモーカメラ付きの送受信装置の医療データーの送受信装置等に、高出力発電回路と高出力ソーラーパネルと充電池を内臓した超軽量医療腕バンド装置などは、今後、未来の超小型超軽量の自動充電池の高出力自動充電池時代に目がけた世界最新の発電と充電が出来る、超小型発電装置に成り、世界中のあらゆる電気製品に内臓する事で、世界で、一番大きい電気製品の製造販売会社が出来る為、日本国の官庁と日本国の大学と日本国の企業と日本国の新聞社と日本国のマスコミテレビ業界と日本国のお金持ちが、推進している資本主義国家及び資本主義官庁及び資本主義大学及び資本主義企業及び資本主義新聞社及び資本主義テレビマスコミ及び資本主義個人高額所得者の、安定した資本主義社会を、世界的に変える事の出来る発明に成り、軽水素トリチウム電子の入って無い圧電素子磁石体では、発電量が望めず、水素入り圧電素子磁石体でも、多くの発電量が望めない理由に、純度１００パーセントの電子を、大量に使用しなければ、高出力発電回路に成らない為、今後、企業本位の、国の官庁及び新聞社及びテレビマスコミ及びラジオマスコミの今後の、世界初の発明の不正競争の、盗作事件と不正に販売する横領罪確定事件が、発生した場合の、社会的マスコミ制裁と社会的マスコミ新聞制裁を、本当に行うのかが、資本主義新聞社と資本主義テレビマスコミが、本当に報道の自由に対して、人権平等を、行うのかは、現在の赤字国家を、作り上げた新聞社とテレビマスコミ全社が、資本主義企業国家を、潰して行く行為を行わないのが、金主義の日本の、資本主義マスコミ国家の為、高出力発電回路が、公の場で、日の目を見るのは、いつの日なのかは、最近のテレビ報道の充電無のＬＥＤライトの報道が、有った日には、既に、墫野和夫の実用新案登録証の、3168043号公報の公開に当たっても、報道されていたが、墫野和夫本人には、一切の連絡無の事件の取扱いが、マスコミと新聞社の現状とは、資本主義優先マスコミテレビ局の事実に成る。
例えば、宇宙事業などには、絶対に欠かせない、世界最新技術なのですが、本来、新エネルギー関連の、日本国の官庁は、既に、高出力発電回路の施策実験済で、なければ成らないのが、国の責務で有り、不正競争事件を、監視すると同時に、国の全額借金返済に対して、墫野和夫本人に、国の官庁の連絡が、なければ成らないのは、現在の電気不足解消の、新技術として、絶対に必要とする技術なのだが、墫野和夫個人を、優先すると、他の企業が、資本主義社会国家ゆえに、必ずつぶれる会社が、増える為、国の全額借金返済より、企業が、潰れるのを、防ぐ為に、今後、恐らく、国の官庁のエネルギー省の行動とマスコミ行動と新聞社行動が、世界的に、どの様に行って行くのかが注目するのが、貧困弱者の、低所得者の監視と事実報道と事実公開を求める人権平等を、主張する弱者貧困層の平等の社会生活の夢の実現を求める一人で有る。
【０１２９】
本発明の、請求項2の、多機能情報冷暖房無休憩発電機は、通常の電気中の熱抵抗電気を、一度二つの圧電素子磁石体によって、磁気電気変換したプラス磁気電気とマイナス磁気電気変換した電気を、圧電素子磁気の弱いプラス磁気部分からプラス通常電気を流す事で、強いプラス磁気電気と弱いプラス磁気電気に分けて、強いプラス磁気は、熱抵抗を取り除かれた常温の熱抵抗無のプラス電気と熱溜まりのプラス磁気の弱い電気として、圧電素子磁石体の磁気効果によって、プラス電気を、熱抵抗プラス電気と熱抵抗の全く無いプラス電気に分ける事が出来て、通常のマイナス電気を、もう一つの別の圧電素子磁石体のマイナス磁気の弱い部分から通常マイナス電気を流す事で、マイナス磁気の一番強い部分には、マイナス熱抵抗電気の全く無い電気を得る事が出来て、マイナス磁気の一番弱い部分に熱抵抗電気が集まり、二つのプラス熱抵抗電気とマイナス熱抵抗電気は、世界最新技術の軽水素トリチウム電子入りの圧電素子磁石体粒子内蔵のシリコン熱瞬間吸収発電シートパネルの二つの高出力熱瞬間吸収発電パネルそれぞれにプラス熱電気とマイナス熱電気を別々に熱磁気電気の軽水素トリチウム電子の熱吸収効果とシリコン効果と圧電素子磁石体粒子の熱電気の磁気変換のスピーデイー効果によって、熱電気のプラス電気とマイナス電気を再処理出来る常温の熱抵抗電気処理可能な圧電素子4電子磁気分割装置を積載内臓した請求項1記載の日本国の全額借金返済と貧困弱者国民自立危機に対応する圧電素子4電子磁気分割装置技術を積載した多機能情報冷暖房無休憩発電機の、圧電素子4電子磁気分割装置は、電気中の熱抵抗電気を、電気中から取り除く装置で有り、高出力発電回路等に組み合わせて使用すると、充電スピードが、世界最速の充電スピードが、可能に成る為、全世界の電気製品の必要品に成り、例えば、集積回路を、圧電素子4電子磁気分割配線構造にすると、集積回路のスピードが、圧電素子磁石体効果によって、集積回路スピードが上がり、携帯電話及びパソコン及びーム機及び情報装置及びスーパーコンピュータ及びロボット等の全自動集積回路システム等の高速データーの情報電波の行き来に使用する事で、世界最速の、電波送受信が可能に成つたり、電気消費を減らす事が出来る為、今回の電気不足を、解消する装置には、世界最新の新技術に成る。
【０１３０】
本発明の、請求項3の、多機能情報冷暖房無休憩発電機に使用する電気配線は、超電導配線と異なる電気の通り易い物質で、電気配線構造とした電気と同じ物質の軽水素トリチウム電子と電子発生する圧電素子磁石体粒子を、混合合成した軽水素トリチウム電子入り圧電素子磁石体配線を、銅筒官等の金属筒及び燃えずらい物質で、作った筒配線の中に、軽水素トリチウム電子入りの電気の通り易い物質の電気配線物質を、内蔵した銅筒官配線を、多機能情報冷暖房無休憩発電機に積載内臓した請求項1記載の日本国の全額借金返済と貧困弱者国民自立危機に対応する高出力銅筒官配線技術を積載した多機能情報冷暖房無休憩発電機の、銅筒官配線の別名の高出力銅筒官配線は、最新式の電子レンジの配線及び、家庭室内の固形窒素ゴム表皮電気配線及び、自動車の電気配線及び、人工衛星の超軽量電気配線及び地下ケーブル電気配線及び地下電気配線及び全自動機器の電気配線及び医療機器の電気配線など、すべての電気配線の電気の流れを、通常の電気温度スピードの世界最速電気スピードを、可能に出来る装置に成り、現在の、電気不足を、解消出来る電気配線に成り、今後の、資本主義官庁の動向と資本主義新聞報道会社の動向と資本主義テレビマスコミ会社の動向を、注目して行きたいのが、今後の、弱者貧困層の資本主義国家の高額所得者の税金補助無で、弱者貧困層の自立社会の第一歩の日本国の国の全額借金返済を可能にする世界最新の技術に成る。
【０１３１】
本発明の、請求項4の、多機能情報冷暖房無休憩発電機の画像装置の液晶パネルに、軽水素トリチウム電子とアルゴンを混合合成した物質を、液晶画像パネルに混合合成することで、液晶の映像波の検知確認電子スピードを、速める軽水素トリチウム電子で有り、微量な電気反応する為、電気消費を少なく出来て、アルゴン物質は、液晶の明るさを、きわ目立たせる為、バックライトの光源電気量を、抑える事が可能に成り、電気消費の少ない画像パネルとして多機能情報冷暖房無休憩発電機に積載使用する請求項1記載の日本国の全額借金返済と貧困弱者国民自立危機に対応する軽水素トリチウム電子アルゴン合成の液晶画像パネル技術を積載した多機能情報冷暖房無休憩発電機の、軽水素トリチウム電子入りアルゴンチップ素子体の、軽水素アルゴンガス素子を、液晶パネルに、混合合成した世界最新技術は、今後の、世界最新技術の液晶パネル全てに、高出力発電回路と圧電素子4電子磁気分割等の組み合わせによって、ＮＨＫ特許権技術のハイビジョンテレビ画像に近い液晶画面と電気消費の世界最小の液晶パネルが、可能に成り、他社に
無い技術によって、今後の、日本国の全額借金返済と弱者貧困層の自立の為の、特許技術に成る。
【０１３２】
本発明の、請求項5の、多機能情報冷暖房無休憩発電機の画像装置の液晶パネルに、軽水素トリチウム電子とネオン気化混合合成物質を、液晶パネルの液晶部分の液晶に混合合成する事で液晶の映像波の色彩の色の液晶カラー反応度を高める為に、ネオンガスを、液晶に内蔵する事で、映像波のネオン液晶画像の色彩色を、くっきりとさせる効果をもたらし、軽水素トリチウム電子は、液晶に内蔵する事で、液晶内の電量を、増やす事で、液晶電子の電子反応度を高めると同時に少ない電気量で、液晶パネルの電子変化を、少ない電気量で行える特徴の軽水素ネオン内蔵の液晶パネルを、積載内臓した請求項1記載の日本国の全額借金返済と貧困弱者国民自立危機に対応する軽水素トリチウム電子ネオン合成の液晶画像パネル技術を積載内蔵した多機能情報冷暖房無休憩発電機の軽水素トリチウム電子入りネオン回路チップ技術の、軽水素ネオンガス素子体を、液晶パネルに混合内臓する技術を、使ったすべての液晶パネル技術に内蔵使用した世界最新技術は、今後の、液晶パネルの、高感度液晶パネル技術として、アルゴンとネオンガスと軽水素トリチウム電子の三種類のガスを、混合合成した液晶パネルによって、有機ＥＬパネルと同じ高感度液晶パネル技術を、目標にした世界最新の液晶パネル新技術に成る。
【０１３３】
本発明の、請求項6の、多機能情報冷暖房無休憩発電機の画像装置の液晶パネルに、軽水素トリチウム電子とアルゴンガスとネオンガスの三種類の気化物質を、液晶パネルの液晶に混合合成する事で、軽水素トリチウム電子効果によって、液晶の電子反応度のスピードを速める為と省電気消費の為に、軽水素トリチウム電子気化物質を、液晶に混合合成し液晶のカラー色彩を、くっきりと色鮮やかにする為に、ネオンガスを混合合成使用して、液晶の明るさを少ない電気量で色鮮やかに明るくする為にアルゴンガスを、液晶に混合合成する事で、少ない電気消費で、ＮＨＫハイビジョンに近い画像の美しい液晶パネルを、弱者貧困層に低価格で提供する請求項1記載の日本国の全額借金返済と貧困弱者国民自立危機に対応する軽水素トリチウム電子アルゴンネオンの三種類の気化物資合成の液晶画像パネル技術を積載した多機能情報冷暖房無休憩発電機の液晶パネルは、有機ＥＬは、電池素子を使用しているが、有機ＥＬと異なるアルゴンガスとネオンガスと世界初の軽水素トリチウム電子を、混合合成したガスを液晶パネルに内臓したパネルに高出力発電回路と圧電素子4電子磁気分割装置の組み合わせによって、他社の液晶パネル技術を、大幅に引き離す新技術の組み合わせによって、国の全額借金返済と貧困弱者の
自立社会成立の為の、知的所有財産に成る。
【０１３４】
本発明の、請求項7の、多機能情報冷暖房無休憩発電機の画像パネルの多画面放送は、テレビ画像自体の配線を、増やす事が、電気消費を高めている為、テレビ放送局の画像データーを予め電波中継基地によって、放送局電波を一つの多画面画像に集約した映像波を、各家庭に送るテレビ及びインターネット及び情報画面を、多画面放送の一つの映像波に集約したテレビインターネット情報波を、電波中継基地で複数の映像波データーを、一つの多画面放送電波に変える事で、家庭内のテレビの多画面鑑賞電気消費量を、一つの映像波のテレビ回路で、賄える為、通常の多画面放送の映像回路は、複数の電波受信回路と液晶画面に送信する回路を必要としていた為、電気消費が、多く成り懸念されて、使用去れ無く成った多画面放送の欠点で有った電気消費量を、電波中継基地によって、予め多画面放送電波に切り替える事と、家庭内テレビの多画面画像の大きさを、液晶スイッチで多画面放送の映像の大きさのリモコンスイッチ調整が出来て、多画面放送時代に先がけて、テレビリモコンを、液晶の数字位置局選択出来るテレビリモコンにする事で、デジタル放送を、現在の10局から、数百のデジタルテレビ局に変える事で、無料のデジタルテレビ局参入し易くしたテレビの映像波の集約多画面映像波の電波中継局とテレビリモコン装置を、現在の10局から、数百局の無料テレビ局が見れる用にテレビリモコン装置を、液晶の複数局の数字位置局選択方式のテレビデジタルリモコン装置に変えた請求項1記載の日本国の貧困弱者国民自立危機に対応する複数多画面放送の為の電波中継の映像修正局とテレビリモコンを、複数局の100局以上のデジタルテレビ局受信の多画面放送対応と多局放送対応のテレビリモコン装置を積載した請求項1記載の日本国の全額借金返済と貧困弱者国民自立危機に対応する多画面放送波の電波修正中継局と多画面デジタル放送に対応したテレビデジタルリモコン装置技術を積載内臓した多機能情報冷暖房無休憩発電機の、複数局と多画面局切り替えシステムと高出力自動充電池を内蔵したテレビリモコン装置は、ビデオ画像を、通常のビデオ画像とメッセージ画像を、二列に編集した画像を、テレビパネルなどで、見る事の出来る多画面画像編集技術システムなどは、予め編集したビデオ画像を、多画面画像に編集してから、一つ画面にする事自体は、電気消費を、下げる事が出来る新技術に成る。
【０１３５】
本発明の、請求項8の、多機能情報冷暖房無休憩発電機のデジタル画像パネルは、無料の都道府県市町村区のデジタル多画面放送と国会の選挙活動費を、少なくしたり、無くしたりする事を目的とした多画面デジタル選挙活動放送や、最近の、医療の新技術によって、完治する病気の治療方法の紹介放送及び、日本国の900兆円を超える全額借金返済の活動状況を紹介するテレビ多画面放送及び、海などの自然の魚と貝と海中植物の生育状況の実写放送の多画面放送などが、一つのテレビで見れる多機能情報冷暖房無休憩発電機のデジタル多画面放送波テレビ回路を積載内臓した請求項1記載の日本国の全額借金返済と貧困弱者国民自立危機に対応するデジタル多画面放送波回路技術を積載内臓した多機能情報冷暖房無休憩発電機のノーマル回路のデジタル回路変換装置は、高出力技術を、使用したノーマル波のデジタル波変換装置に成り、デジタル波のノーマル波変換装置は、各家庭の、デジタルビデオ画像を、他の機器にデーター送受信する為の装置に成り、デジタル画像の編集画像及び機密データーの送受信用電波として、デジタル波のノーマル変換波として、使用する事によって、デジタル波障害を無くす手段に成る。
【０１３６】
本発明の、請求項9の、多機能情報冷暖房無休憩発電機の、新2連振子型機械式発電機に使用積載する電気増幅装置は、電子レンジの電気の電子変換技術を応用使用した技術に成り、マグネトロン部分を、高出力マグネトロンの、軽水素トリチウム電子を大量に入れたマグネトロン構造の高出力マグネトロン装置を積載内臓した新2連振子型機械式発電機を積載した請求項1記載の日本国の全額借金返済と貧困弱者国民自立危機に対応する高出力マグネトロン技術を積載内臓した多機能情報冷暖房無休憩発電機の、高出力マグネトロン新技術は、高出力電子レンジの高出力マグネトロン新技術に応用する事で、電気消費の少ない電子レンジが可能に成り、残念だが、軍事機械の部品応用によって、電気
消費が、少なくなったり、高感度の軍事製品に成る為、発明の、技術公開の恐ろしさは、まだ残っている用で有る。
【０１３７】
本発明の、請求項10の、多機能情報冷暖房無休憩発電機の画像パネルは、液晶の電気消費を少なくする為に、液晶に海外技術のサモーカメラ技術に使用するアルフアー放射線とペーター放射線と液晶の電気消費を更に少なくする新技術の軽水素トリチウム電子を混合合成した物質を、テレビ映像パネルの液晶パネル部分にアルフアー放射線と軽水素トリチウム電子を、混合合成した物質を、内蔵したタイプとペーター放射線と軽水素トリチウム電子を混合合成した物質を、液晶パネルに混合合成した合成液晶パネルは、映像波のカラー色反応が良く成り、軽水素トリチウム電子効果によって、テレビの電気消費を低く抑える事を可能にした合成液晶パネルのベーター放射線と軽水素トリチウム電子の気化合成物質を、液晶に混合合成した合成液晶パネルを積載内臓した請求項1記載の日本国の全額借金返済と貧困弱者国民自立危機に対応する軽水素ベーター放射線の混合化合気化物質を、液晶に混合加工した画像パネル技術を積載内蔵した多機能情報冷暖房無休憩発電機の、液晶パネル技術の、軽水素ペーター放射線技術は、サモーカメラの放射線飛散防止パネルに応用する新技術に成る。
コメント
2011年7月9日pm16時20分から、パソコンのメール設定に池袋まで行く千葉県の墫野和夫で有る。
コメント
2011年7月10日am8時54分から産業上の利用の可能性を、書く墫野和夫で有る。
【０１３８】
本発明の、請求項11の、多機能情報冷暖房無休憩発電機の画像装置のバックライトは、軽水素トリチウム電子とアルゴンガスを混合した気化物質を、発光ダイオードのダイオードに内蔵する事で、ダイオード内の電子を、外部から軽水素トリチウム電子を混合合成する事で、ダイオード内の電子量を増幅する事で、発光ダイオードの電気の電子反応量を、外部からの軽水素トリチウム電子で補う事で、発光ダイオード光源の電子量増幅技術を可能にして、アルゴンガスの蛍交換電気反応は、アルゴンガス内の電気反応電子物質の光反応の補助する為に、発光ダイオードに軽水素トリチウム電子ガスとアルゴンガスを発光ダイオードに内蔵した増幅光源発光ダイオードのバックライトを、積載内臓した請求項1記載の日本国の全額借金返済と貧困弱者国民自立危機に対応する軽水素アルゴンガスを発光ダイオード技術を内蔵積載した多機能情報冷暖房無休憩発電機の、発光
ダイオードライト玉に、軽水素トリチウム電子とアルゴンガスを、混合合成したガスを、発光ダイオード物質に入れる事で、ダイオードの電子増幅によって、光量を増幅する
事が、出来る事に成り、アルゴンガスの発光ガスによって、微量の追加光量を、増す事が出来る装置に成るが、本来、アルゴンガス圧電素子磁石体粒子チップなどの、2002年
10月の、知的所有財産の著作権のアルゴンガスと圧電素子磁石体粒子合成の、映像装置の映像回路チップと2002年10月の、知的所有財産の著作権のネオンガスと圧電素子磁石体粒子合成の映像回路の映像回路チップ技術によって、映像改選度を高めて、映像を、若干明るくしたり、映像の色彩を、くっきり出来る技術などに使用されている技術を200
8年の夏頃に、携帯電話の液晶パネルのバックライトの電気消費を、減らす事の出来るＬＥＤライト玉は、本来暗すぎる為、最初のＬＥＤライト玉は、そのままでは使用出来ない為、発光ダイオードのダイオード部分に、軽水素トリチウム電子入りのダイオードは、増幅電子入りの発光ダイオードの為、少ない電気量で発光出来る電子増幅の世界最新
技術に成り、特開2006-135480号公報の軽水素トリチウム電子入りのシリコン技術の増幅電子入りシリコンパネル技術及び軽水素マグネシウムニッケルの増幅電子入りバッテリー技術などでも、世界最新技術の軽水素トリチウム電子入りの電子増幅新技術に成り、発光ＬＥＤライト玉の、ダイオードに軽水素トリチウム電子を、入れる技術は、発光ダイオードに、アルゴンガスを入れる技術より、発光量を、増やす事が出来る。
更に、アルゴンガスは、蛍光管などの、大きくてアルゴンガスが、多く入るライトに効果的に成り、ＬＥＤライトの面積に対してのアルゴンガスのみの、発光増幅効果は、軽水素トリチウム電子入りアルゴン混合ガス素子入りのダイオードライトは、一番効果的な増幅発光を、得る事が出来る。
従って、軽水素トリチウム電子入りアルゴンガスの利用方法では、テレビなどの映像回路の、映像回路チップにする事で、テレビの電気消費を、少なくしたり、テレビの映像の鮮明度を、綺麗にしたりする事が、出来る素子に成り、軽水素トリチウム電子入りアルゴンガス技術と軽水素トリチウム電子入りネオンガス技術を使ったＬＥＤライト玉新技術に成り、軽水素トリチウム電子とアルゴンガスとネオンガスを、混合合成したガスを、発光ダイオード玉の、ダイオードに入れる技術によって、あらゆるライト玉の、電気消費の少ない発光ＬＥＤライト玉を、使用した世界最新技術説明に成る。
この他、発電回路と圧電素子4電子磁気分割装置と充電池の発電システム技術は、平成２３年実登3168043号公報に公開済の世界最新技術に成り、現在の技術では、発光ＬＥＤ
ライト玉の電気消費を、世界で一番少なく出来る世界最新技術に成る。
【０１３９】
本発明の、請求項12の、多機能情報冷暖房無休憩発電機の情報画面装置は、通常の無料デジタル放送を、100局以上と無料のインターネット放送を未知数放送局と、無料の未知数の都道府県市町村インターネット放送を、通常のテレビ画面で無料で見る事の出来るデジタル放送を鑑賞出来る高出力発電回路の軽水素トリチウム電子の大量に入った高出力圧電素子磁石体を使用した高出力発電回路のプラス発電回路とマイナス発電回路を積載内臓したテレビパネル自体が、家電製品及び冷暖房装置に填め込みタイプのスプリング金具ロック方式とポルトナットの補助固定方式を、積載内臓した請求項1記載の日本国の全額借金返済と貧困弱者国民自立危機に対応する高出力発電回路の低電気消費画像システムと家電製品にはめ込んで使用出来るテレビ情報多重放送技術を積載内臓した多機能情報冷暖房無休憩発電機の、高出力発電回路の低電気消費画像システムと家電製品にはめ込んで使用出来るテレビ情報多重放送技術は、機械のはめ込み型のテレビ情報多重放送技術に成り、取り付け取り外しがね簡単に成り、発電回路内蔵のテレビパネル技術も、他社に無い技術に成り、建設機械のテレビパネルから、建設データーを、インターネット収集も可能に成り、家庭のテレビの電気消費も、一段と少なく成り、海底情報及び山林情報の実写映像を見る事が出来る装置に成る。
【０１４０】
本発明の、請求項13の、多機能情報冷暖房無休憩発電機の情報画面装置の外側部分のパネルシートは、電気製品の熱を瞬間吸収して、熱電子磁気に瞬間変換出来る軽水素トリチウム電子入り圧電素子磁石体粒子内蔵シリコン熱瞬間吸収発電パネルシートを情報画面装置の後部分に貼り付けた熱瞬間吸収磁気電気変換構造のテレビ情報パネルを積載した請求項1記載の日本国の全額借金返済と貧困弱者国民自立危機に対応する熱電子瞬間吸収の圧電素子磁気電気変換の軽水素トリチウム電子入りシリコンの熱瞬間吸収率と熱電子の磁気変換スピードを速めた新技術を積載した多機能情報冷暖房無休憩発電機の、熱電子瞬間吸収の圧電素子磁気電気変換の軽水素トリチウム電子入りシリコンの熱瞬間吸収率と熱電子の磁気変換スピードを速めた新技術は、高出力ソーラーパネル新技術として、ソーラーパネル業界トップの、光熱を、瞬間に磁気電気変換出来る技術は、墫野和夫の技術に成り、他社に絶対に無い技術に成り、風呂の温水の瞬間熱吸収発電技術応用及び燃料電池の熱瞬間吸収発電技術及び化石燃料のガソリン及び軽油車の、熱瞬間吸収
発電装置及び温泉の熱湯の瞬間熱吸収発電装置及びガス湯沸かし器の瞬間熱吸収発電装置及びゴミ焼却発電装置の熱瞬間吸収発電装置及びアスファルトの熱瞬間吸収発電装置
及び窓ガラスの熱瞬間吸収発電装置及び屋根及び自動車の塗料の太陽集光熱の瞬間熱吸収発電装置及びコンクリートの太陽光劣化と雨水の劣化を防ぐ、太陽光熱瞬間吸収発電
パネル及び看板等の、太陽光集光熱瞬間吸収発電パネル利用など、全ての熱を、瞬間吸収発電する事に成ると同時に、25度位の熱でも、瞬間に軽水素トリチウム電子入り圧電素子磁石体粒子内臓シリコンパネル発電が、可能にした世界最新技術に成る。
【０１４１】
本発明の、請求項14の、多機能情報冷暖房無休憩発電機の情報画面装置は、タッチ液晶画面機能とタッチ液晶スクリュー弱無線波リモコンと新自動充電池の複数の発電回路システムと高出力ダイナモと高出力電磁石と高出力銅筒官配線と高出力マグネトロンと高出力発電コンデンサーと高出力コイルと高出力熱瞬間吸収発電絶縁体端子と高出力軽水素トリチウム電子入りダイオードスイッチと高出力インバータ装置と高出力超小型モーターと劣化破断防止ワイヤ入りゼンマイ装置と高出力銅筒官コイル配線と高出力銅筒官配線等の高出力新技術の軽水素トリチウム電子入り圧電素子磁石素材を使用積載した新自動電池を積載内臓した請求項1記載の日本国の全額借金返済と貧困弱者国民自立危機に対応するタッチ画面情報画像パネルとタッチ液晶の新自動充電池内蔵のリモコン装置技術を、積載した多機能情報冷暖房無休憩発電機の、タッチ画面情報画像パネルとタッチ液晶の新自動充電池内蔵のリモコン装置技術は、現在、リモコン装置に使用されない技術として、電気消費が、液晶画面を使う事で、バックライトの電気消費量とタッチ画面の電気消費量は、リモコン装置の電池消費量に成り、充電式のソーラーパネル充電パネル付のリモコン装置が、望ましい技術だが、圧電素子4電子磁気分割装置などの、世界最速の充電装置が、必要になるのは、明白な事実に成る。
【０１４２】
本発明の、請求項15の、本発明の、多機能情報冷暖房無休憩発電機の情報画面装置に送る海底情報を作る水中人型ロボットは、半永久の無害無休憩連続作動の水発電機の新型を水中ロボットに積載内蔵し水発電機自体が、どんな位置でも、水平を保てる棒状曲面レールモーター自動制御構造の水発電機を積載内臓した請求項1記載の日本国の全額借金返済と貧困弱者国民自立危機に対応する水中ロボット内蔵の防水型の水発電機と水発電機が、いつでもどんな方向傾きでも、水平に成る構造のシステム水発電機技術を積載した多機能情報冷暖房無休憩発電機の、水発電機が、いつでもどんな方向傾きでも、水平に成る構造のシステム水発電機技術は、免震技術と組み合わせる事で、船の中の揺れを
吸収する技術に応用出来る技術説明に成る。
この他、飛行機の操縦席及び客席の全自動水平位置の修正装置に成り、これに似た技術として、海上の段数ソナーの元の位置の全自動帰還装置及び海上の給油管のＧＰＳ海上
位置の全自動帰還装置に成り、この他、全自動自動車の道路の設定位置の全自動設定位置帰還システム装置などが本発明の技術応用に成ると言える。
【０１４３】
本発明の、請求項16の、多機能情報冷暖房無休憩発電機の情報画面装置に送る海底情報を作る水中人型ロボットは、水中の砂の中の個体物質を、砂の上からガンマー放射線観察出来る一回分のカメラ撮影に使用するペーター放射線を、液体鉛入りの液体プラスチックに混合合成したペーター放射線鉛プラスチックシートを、更に、放射線飛散防止観点から、液体鉛入りのクリスタル筒ガラスの中に、ガンマー放射線鉛入りプラスチックシートを、クリスタル筒ガラスに内蔵したレントゲンカメラ一回分に使用するガンマー放射線を、クリスタル鉛筒ガラスに内蔵した水中ロボットの砂の中の撮影用の放射線レントゲンスコープライトカメラを積載内臓した水中ロボットの請求項1記載の日本国の全額借金返済と貧困弱者国民自立危機に対応する水中ロボット内蔵のガンマー放射線飛散防止鉛入りクリスタルガラスカメラパネル技術積載の多機能情報冷暖房無休憩発電機の、ガンマー放射線飛散防止鉛入りクリスタルガラスカメラパネル技術は、あらゆるカメラパネル切り替え型カメラ及びサモーカメラ及びレントゲンカメラ及び赤外線パネルカメラ及び紫外線パネルカメラ及びニュートリノパネルカメラ及び可視光線パネルカメラなどの、カメラパネル切り替え型のロボット及び機械カメラ等に積載内蔵予定に成る世界最新技術に成る。
【０１４４】
本発明の、請求項17の、多機能情報冷暖房無休憩発電機の情報画面装置に送る海底情報を作る水中人型ロボットは、水中の砂の中の個体物質を、砂の上からガンマー放射線観察出来る一回分のカメラ撮影に使用するペーター放射線を、液体鉛入りの液体プラスチックに混合合成したペーター放射線鉛プラスチックシートを、更に、放射線飛散防止観点から、液体鉛入りのクリスタル筒ガラスの中に、ガンマー放射線鉛入りプラスチックシートを、クリスタル筒ガラスに内蔵したレントゲンカメラ一回分に使用するガンマー放射線を、クリスタル鉛筒ガラスに内蔵した水中ロボットの砂の中の撮影用の放射線レントゲンスコープライトカメラを積載内臓した水中ロボットの請求項1記載の日本国の全額借金返済と貧困弱者国民自立危機に対応する水中ロボット内蔵のガンマー放射線飛散防止鉛入りクリスタルガラスカメラパネル技術積載の多機能情報冷暖房無休憩発電機のクリスタル鉛筒ガラスに内蔵した水中ロボットの砂の中の撮影用の放射線レントゲンスコープライトカメラを積載内臓した水中ロボット用のレントゲンカメラは、今後未来の
地中の異物調査装置とインドネシア北部方向のタイ国などの、地雷の地中の位置確認装置及び海底の砂の中の埋蔵物の位置確認装置及び都市部の地層の埋蔵物検査装置及び農業の土地の地下埋蔵物調査装置及び土木現場の水道管とガス官とケーブル官と電気線官の埋蔵位置の正確な位置計測装置及び湖の埋蔵物質の位置調査装置及び河川の洪水時の反乱による川底の埋蔵物質の調査機に使用したり、宇宙探査装置の、埋蔵物質調査装置に使用予定の装置に成る。
【０１４５】
本発明の、請求項18の、多機能情報冷暖房無休憩発電機の情報画面装置に送る海底情報を作る水中人型ロボットは、水中の水分分析出来る超小型の高出力遠心分離機付きの水分全自動観測計側調査出来る超小型水分計側装置を水中ロボットに内蔵積載した請求項1記載の日本国の全額借金返済と貧困弱者国民自立危機に対応する水中ロボット内蔵の水分全自動観測計測機技術を積載した多機能情報冷暖房無休憩発電機の、水中ロボット内蔵の水分全自動観測計測機は、トイレの水分計測装置に使用する事で、全自動で、人間の体調を、全自動で管理出来る電波送受信機能付きのトイレの排泄物の全自動計測装置によって、将来は、伝染病を、食い止めたり、人ひとり一人の体調管理が出来る世界トップの、医療管理を、公衆トイレ全てに於いて、人の住所氏名年齢血液型脈拍管理などの、全自動確認認識を、生活保護ブレスレットなどによって、全自動認識して、かかり過ぎる介護費の削減と人の命の有り方を見つめ治すシステムに成る。
【０１４６】
本発明の、請求項19の、多機能情報冷暖房無休憩発電機の情報画面装置に送る海底情報を作る水中人型ロボットは、高出力モーターの完全防水型の高出力水中モーターを水の腐食から避ける手段として、電気の通る圧電素子磁石体粒子液体プラスチックで、水中モーター内を腐食防止コーテングする事で、水分の湿気によるモーター内の腐食防止を圧電素子磁石体粒子入りの電気の通るプラスチック物質のコーテングモーター内加工した高出力モーターを積載内臓した請求項1記載の日本国の全額借金返済と貧困弱者国民自立危機に対応する水中ロボットの水中高出力モーターの腐食防止技術の電気の通るプラスチックと圧電素子磁石体粒子のコーテング加工技術を積載内臓した水中モーター技術を積載した多機能情報冷暖房無休憩発電機の、水中ロボットの水中高出力モーターの腐食防止技術の電気の通るプラスチックと圧電素子磁石体粒子のコーテング加工技術は、海中の鉄矢板及び川の鉄矢板及び船の錆止めパネル装置及び電気アース棒の錆止め装置及び、亜鉛鉄合金の街頭柱の錆止め装置及び河川の蛇籠網の腐食防止装置及び海底コンクリーに使用する鉄筋の錆止め装置などに使用予定の錆止め技術に成り、プラスチックと錆止材を、混合合成したパネル及びシート及び粘着テープなども、防腐装置に成る別の錆止め装置に成る。
【０１４７】
本発明の、請求項20の、多機能情報冷暖房無休憩発電機の情報画面装置に送る海底情報を作る水中人型ロボットは、全自動作動に絶対必要とする海底世界地図と陸地世界地図を、内蔵して衛生ＧＰＳの海底地図位置を、水中ロボットのスクリューソナー発射送受信装置によって、海上の海上段数ソナー送受信装置まで、スクリュー複数ソナー波を、水中ロボットが送受信して、海上の段数ソナーまで、複数の新2連振子型自動充電池の電源によって、複数の段数そなーによって、スクリューソナー波を、海上の段数ソナーまで、スクリューソナー波送受信したソナー波電波を、衛星電波に一度直してから、衛星の位置確認波を、水中地図積載の水中ロボットの位置確認の為の水中地図位置照合出来る海底地図積載の水中ロボット海底地図積載内臓の請求項1記載の日本国の全額借金返済と貧困弱者国民自立危機に対応する水中ロボットの海底ＧＰＳスクリューソナー地図技術を積載内臓した多機能情報冷暖房無休憩発電機の、水中ロボットの海底ＧＰＳスクリューソナー地図技術は、海底及び水中で、海上上空の山岳ヘリコプター位置確認装置及び衛星ＧＰＳ電波の位置確認によって、海底の水中ロボット及び水中全自動機械及び水中ソナー波インプットリモコン機械などの、水中での正確な位置把握が出来て、全自動作業や水中カメラの位置確認及び複数ソナー波の位置確認装置に成る未来に、絶対必要視される海底全自動作業機械及び海底全自動作業ロボット等の位置確認とデーター送受信の位置確認に絶対必要視される水中ロボットの海底ＧＰＳスクリューソナー地図技術に成る。
【０１４８】
本発明の、請求項21の、多機能情報冷暖房無休憩発電機の情報画新面装置に送る海底情報を作る水中人型ロボットは、外部の地上の陸地からなどの、インプット遠隔水中ロボット操作出来る衛星波及び携帯波を、一度海上の空中の定位置まで、山岳ヘリコプターの携帯波及び無線波を、複数の山岳ヘリコプターの電波中継装置によって、海上の海上段数ソナーまで携帯波及び無線波を、スクューソナー波切換えの有る海上段数ソナーの位置まで、半永久の無害無休の連続作動発電機の新2連振子型機械式発電機を積載した、電気消費の少ない高出力2連結以上モーターを積載した衛生ＧＰＳ航空地図元位置全自動帰還システムによって、山岳ヘリコプターを、上空の決められた位置の定位置の高度位置に半永久に連続飛行出来て、無線波及び携帯波及びテレビ波及びインターネット波を決められた海上まで、無線波及び携帯波及びテレビ波及びインターネット波を送受信出来る装置を積載内臓した山岳ヘリコプターを積載内臓した請求項1記載の日本国の全額借金返済と貧困弱者国民自立危機に対応する地上の無線波及び携帯波及びテレビ波及びインターネット波を海上の段数ソナーまで電波を運べる電波送受信複数ソナー波装置技術を積載した多機能情報冷暖房無休憩発電機の、地上の無線波及び携帯波及びテレビ波及びインターネット波を海上の段数ソナーまで電波を運べる電波送受信複数ソナー波装置技術は、海底１５０００メートル以上の海底でも、全自動インプット作業出来る水中ロボットと水中機械を、全自動インプット作業出来る海底のソナー波電波の送受信中継装置に成り、現在の、海底ケーブルアンテナ技術と異なった技術に成り、作業効率を上げる事が出来る世界最新技術に成り、世界中の海底作業を、一手に賄う事の出来る技術に成り、今後、レアーアース金属の採取の為の、水中機械の全自動作業機械の特許提出の
優先権主張戦争の著作権戦争と特許権戦争が、行われる事に成る。
【０１４９】
本発明の、請求項22の、多機能情報冷暖房無休憩発電機の情報画面装置に送る海底情報を作る水中人型ロボットは、海上上空の上まで携帯波及び無線波を電波の山岳ヘリコプター中継をしながら、携帯波及び無線波を海上の段数ソナーまで、携帯波及び無線波を、海上ソナーの携帯電話波を、スクリューソナー波に全自動切換え装置と海上ソナーまで、山岳ヘリコプターが無線波と携帯波を、全自動送受信出来る装置をそれぞれの山岳ヘリコプターと海上段数ソナー装置が積載している為、海上段数ソナーに、携帯波及び無線波を山岳ヘリコプターが、送受信してスクリューソナー波に変える為、無線波及び携帯波を、ソナー波に切換えた後スクリュー電波官にソナー波を通してスクリューソナー波にするので有るが、海上段数ソナーは、海中の段数ソナーが、スクリューソナー波を送受信し易くする為に、同じスクリューソナー波を複数のスクュー電波官によって、海中の段数ソナーまで、送受信出来る装置を積載内臓した海上段数ソナーを積載内臓した請求項1記載の日本国の全額借金返済と貧困弱者国民自立危機に対応する海上段数ソナー技術を積載した多機能情報冷暖房無休憩発電機の、海上段数ソナー技術は、海中及び水中の全自動ロボット及び全自動機械及び水中無線機及び水中テレビ及び水中洗濯機及び水中成分計測装置及び水中地震計及び水中温度計及び水中監視カメラ装置及び水中物資移送車及び移動用水中家装置及び水中高速走行車などへの、あらゆる電波を、ソナー波全自動変換して、海上衛星ＧＰＳ及び海上山岳ヘリコプター固定位置送受信装置からの、固定位置電波を、海底の海中のあらゆる機械に、送る事の出来る装置に成り、今後の、未来技術商品の先駆けの著作権説明に成る。
追加説明として、未来は、全自動海水真水の酸素作成装置積載のダイバー用の水中エアー補給機は、超小型真空装置と高出力発電回路付のバッテリー等にって、酸素を全自動で作る事の出来る装置は、水発電機の応用に成り、超小型遠心分離機の酸素と水素の分離装置は、若干、エアーを抜いてから、遠心分離掛ける事によって、酸素と水素の海水
及び真水からの、酸素と水素の分離装置に成り、海底の家なども、水素と酸素の分離機が、積載されている家に成る。
【０１５０】
本発明の、請求項23の、多機能情報冷暖房無休憩発電機の情報画面装置に送る海底情報を作る水中人型ロボットの、海上段数ソナー装置は、通常のエアーゴムと異なるエアーパンク無しの発砲スチロール入りのゴムチューブ積載内臓の十字方向に、前後スクリューの高出力2連結以上モーターの高出力インバータ制御装置モーターは、衛生ＧＰＳ海上地図の元位置まで、全自動帰還出来る海上段数ソナー装置に成る為、海中段数ソナーの定位置が、可能に成り、海上が荒れた場合は、海中の弐メートル位の位置まで、潜って、ワイヤ浮アンテナによって、上空の山岳ヘリコプターの無線波及び携帯波を、電波キャッチするだけで無く、衛星ＧＰＳの海上地図位置を、正確に伝える事の出来る装置は、新2連振子型機械式発電機の電源によって、水中ロボットの海上段数ソナーの水中ロボットのカメラデーターを、送受信出来る装置と海上段数ソナーを、元の位置まで、全自動帰還出来る高出力2連結以上モータースクリューの電源確保する為の、高出力ダイナモと高出力発電回路と高出力電磁誘導発電装置を積載した新2連振子型機械式発電機に内蔵積載した請求項1記載の、日本国の全額借金返済と貧困弱者国民自立危機に対応する海上段数ソナーと新2連振子型機械式発電機技術を積載した多機能情報冷暖房無休憩発電機の、新2連振子型機械式発電機の電源によって、水中ロボットの海上段数ソナーの水中ロボットのカメラデーターを、送受信出来る装置と海上段数ソナーを、元の位置まで、全自動帰還出来る高出力2連結以上モータースクリューの電源確保する為の、高出力ダイナモと高出力発電回路と高出力電磁誘導発電装置は、自転車の発電機及び自動車の発電機及び全自動建設機械の発電機及び全自動宇宙ロケットの発電機及び全自動水中発電機の発電装置及び全自動地中機械の発電機及び全自動商業機械の発電機及び全自動道路掃除作業機の発電装置及び全自動農業機械の発電装置及び全自動林道機械の発電装置及び全自動介護機械の発電装置及び全自動家電装置の発電装置及び全自動商業機械の発電装置及び全自動人口衛星の発電装置及び全自動宇宙ステイションの発電装置及び全自動宇宙基地発電装置及び全自動未来型原子力発電所の補助発電装置及び全自動水力発電所の補助発電機及び全自動火力発電所の補助発電機及び全自動医療機械の発電装置など、あらゆる電気機器の発電装置に応用出来る将来に向けた発電装置に成る。
【０１５１】
本発明の、請求項24の、多機能情報冷暖房無休憩発電機の情報画面装置に送る海底情報を作る水中人型ロボットの、段数ソナーは、複数の段数ソナーによって海底まで、無線波をスクリューソナー波に変えた複数のスクリューソナー波と衛星ＧＰＳ海上地図と衛星ＧＰＳ海底地図を、複数のスクリューソナー波によって、送受信出来る装置に成り、水中の定位置に元帰還を、全自動する為に、ＧＰＳ海底地図とＧＰＳ海上地図が必要に成り、新2連振子型機械式発電機の電源を使用して、四基の前後にスクリュー付き高出力2連結以上モーターを、全自動衛星ＧＰＳ海上地図と衛星ＧＰＳ海底地図の元位置全自動帰還システムによって、水中ロボットの正確な海底地図位置を特定出来て、水中ロボットのライトカメラ映像及び水中ロボットのインプット全自動作業を、正確に行う事の出来る段数ソナーは、海底数数十センチ近くの位置で、海上から、複数の段数ソナーを通じて、複数の段数ソナーの複数のスクリューソナー波を、全自動キャッチしてから、海底数十センチメートルの定位置で、浮いている段数ソナーは、サイド方向に360度方向に、複数のスクリューソナー波を、全自動発射の為の送受信する事が出来る段数海底ソナーに成り、これら、複数の段数ソナーと海上段数ソナーと段数海底ソナーによって、ＧＰＳ海上地図とＧＰＳ海底地図を、複数スクューソナー波によって、送受信が、可能に成り、水中でも、海底ＧＰＳ地図によって、水中ロボットが、迷う事無く全自動作業出来る段数海底ソナーを積載内臓した請求項1記載の、日本国の全額借金返済と貧困弱者国民自立危機に対応する段数海底ソナー技術を積載した多機能情報冷暖房無休憩発電機の
水中でも、海底ＧＰＳ地図によって、水中ロボットが、迷う事無く全自動作業出来る段数海底ソナー地図は、水中ロボット及び水中機械及び水中ダイバーの水中ナビゲイションの必需品に成り、高出力発電回路付の水中ナビゲイション等が、将来的に活躍する商品に成り、他社ではマネの出来ない、水中ライトと水中複数カメラ切り替えパネル内蔵
カメラ及び温水暖房送水装置付と海底位置確認装置積載内蔵の水中ナビゲイションは、カメラジェスチャー言葉送受信装置付の未来的商品の構造内容に成り、地上のカーナビゲイションより、機能及び性能が、数段上の機能に成り、カーナビゲイションとは、全く異なる商品に成り、未来は、水中と地上兼用のナビゲイション商品として、他社が絶対に、真似の出来ない商品に成る。
【０１５２】
本発明の、請求項25の、多機能情報冷暖房無休憩発電機の情報画面装置に送る海底情報を作る水中人型ロボットの全自動インプット出来るロボットの全自動を、行う為の水中ライト発光複数カラーライトラインの海底のライトカメラ焦点位置に基ずく海底地図位置の記憶出来る海底レントゲンスコープカメラの海底の砂層の構造記憶データーと海底のライトカメラの記憶画像データーと海底の海藻植物分布の実写のカメラ記憶画像データーと海底火山のライトカメラの海底火山位置記憶の画像データーと海底位置記録カラーライト点滅ロボっと目安杭などによって、海底を、全自動インプットで、自由に水中ロボットが、365日24時間無休憩で、全自動作動する為のデーターを多層式カードブロック装置の木材灰入りプラスチック絶縁体シートと木材灰入りビニール絶縁体シートと圧電素子磁石体シートを、複数に多層式に重ねたロボットデーター専用の多層式カードブロックを水中ロボットに積載内臓した請求項1記載の、日本国の全額借金返済と貧困弱者国民自立危機に対応する多層式カードブロックを積載内臓した多機能情報冷暖房無休憩発電機の、全自動作動する為のデーターを多層式カードブロック装置の木材灰入りプラスチック絶縁体シートと木材灰入りビニール絶縁体シートと圧電素子磁石体シートを、複数に多層式に重ねたロボットデーター専用の多層式カードブロックは、パソコンの多層式カードボックスブロックシステム及び携帯電話の多層式カードボックスブロックシステム及びテレビの多層式カードボックスブロックシステム及びビデオの多層式カードボックスブロックシステム及び情報装置の多層式カードボックスブロックシステム及び多機能家電の多層式カードボックス及びカーナビゲイションの多層式カードボックス及びテレポーテイションゲームの多層式カードボックスブロックシステム及びデジタルカメラの多層式カードボックスブロックシステム及びノーマルカメラの多層式カードボックスブロックシステム及びコピー機の多層式カードボックスブロックシステム及びスーパーコンピューターの多層式カードボックスブロックシステム及び船の全自動操縦装置の多層式カードボックスブロックシステム及び飛行機の全自動装置のカードボックスブロックシステム装置及び列車の全自動装置の多層式カードボックスブロックシステム及び全自動走行自動車の多層式カードボックスブロックシステム及び原子力発電所の多層式カードボックスブロックシステム及び火力発電所の制御器の多層式カードボックスブロックシステム及びゴミ焼却発電装置の制御装置の多層カードボックスブロックシステム及び水力発電所の制御装置の多層式カードボックスブロックシステム及び太陽光発電システムの多層式カードボックスブロックシステム及び風力発電所の制御装置の多層式カードボックスブロックシステム及び海底発電機の制御の多層式カードボックスブロックシステム及び全自動水中ロボットの制御装置の多層式カードボックスブロックシステム及び宇宙ステイションの全自動制御システムの多層式カードボックスブロックシステム及び山岳ヘリコプターの全自動制御装置の多層式カードボックスブロックシステム及び人口衛星の全自動制御装置の多層式カードボックスブロックシステム及び全自動電気���動車の制御装置の多層式カードボックスブロックシステムなどの、大量のデーターを
全自動作業する為のデーター蓄積装置に成り、表裏両面ＣＤ及び表裏両面ＤＶＤ及び表裏両面卵型空洞ＭＤ装置及び表裏両面多層圧電素子磁気カード内臓卵型空洞ＭＤ装置に成り、これら一部の装置のデーター収録装置の他、大気成分全自動計測装置なども、他社では、絶対に出来ない装置に成り、未来商品の一部の紹介に成る。
【０１５３】
本発明の、請求項26の、多機能情報冷暖房無休憩発電機の情報画面装置に送る海底情報を作る水中人型ロボットは、海上の陸地に上がっても、全自動走行可能な、物体の固定物体と移動物体を全自動認識確認判断出来るロボット物体データーと物体の形状を、スクリュー携帯波及びスクリュー衛星波及びスクリュー無線波によって、物体の形状を、ロボット物体形状データーのロボットコンピューター別名ロボット情報装置別名ロボットデーターストック送受信装置によって、高速スクリュー携帯波によって、物体の形状を、全自動確認認識認知出来るロボットの物体形状全自動認識確認認知システムの水中ロボットライトカメラを、積載内臓した請求項1記載の日本国の全額借金返済と貧困弱者国民自立危機に対応するロボットライトカメラの物体形状認識とロボットライトカメラ形状認識確認認知システム技術を積載した多機能情報冷暖房無休憩発電機の、ロボット情報装置別名ロボットデーターストック送受信装置によって、高速スクリュー携帯波によって、物体の形状を、全自動確認認識認知出来るロボットの物体形状全自動認識確認認知システムの水中ロボットライトカメラは、全自動電気自動車の物体形状認識と物体の体温認識と物体の接続物体認識などが、一台のライトカメラのカメラパネルによって
全自動の一番大事な物体認識が、問題視される事に成り、機械故障の場合は、赤外線カメラによる物体形状認識を行い、紫外線カメラパネルによって、動物の白血球光体を写し出して、生体エネルギー反応認識カメラ等によって、物体認識を行えるカメラは、未来の、全自動介護機械及び未来の全自動観測機械及び未来の全自動医療機械の人の形状
認識装置など、未来商品の部品の一部紹介に成る。
コメント
2011年7月10日pm22時46分寝る時間なので、眠る事にする千葉県の墫野和夫で有る。
コメント
2011年7月11日pm18時27分少し書く事にする千葉県の墫野和夫で有る。
【０１５４】
本発明の、請求項27の、多機能情報冷暖房無休憩発電機の情報画面装置に送る海底情報を作る水中人型ロボットは、陸地では、衛星ＧＰＳ道路地図と衛生ＧＰＳ歩道地図と衛生ＧＰＳ一建てビルの部屋の間取り地図と非常階段ＧＰＳ地図と消火栓位置ＧＰＳ地図と山岳林道ＧＰＳ地図と農道ＧＰＳ地図と緊急避難位置ＧＰＳ地図と活断層ＧＰＳ地図と地震震度分布過去デターＧＰＳ地図と海底地震計ＧＰＳ地図とひび割れ一戸建て及びビル分布ＧＰＳ地図と緊急地下貯蓄飲料水位置データーＧＰＳ地図と緊急食糧位置データーＧＰＳ地図を、表裏両面多層式カード内蔵卵型空洞ＭＤ装置は、アルミニューム表裏両面ＭＤは、全自動水中人型ロボットの陸地用の衛星ＧＰＳ地図に成り、非常事態に対応する為の人型ロボットを積載内臓した請求項1記載の日本国の貧困弱者国民自立危機に対応する衛星ＧＰＳ地図と衛星ＧＰＳ歩道地図と衛星ＧＰＳ一戸建てビルの部屋の間取り地図と非常階段ＧＰＳ地図と非常階段ＧＰＳ地図と消火栓位置ＧＰＳ地図と山岳林道ＧＰＳ地図と農道ＧＰＳ地図と緊急避難位置ＧＰＳ地図と活断層ＧＰＳ地図と地震震度分布過去データーＧＰＳ地図と海底地震計ＧＰＳ地図とひび割れ一戸建て及びビル分布地図と緊急地下貯蓄飲料水位置データーＧＰＳ地図と緊急食糧位置データーＧＰＳ地図を、積載内蔵した請求項1記載の日本国の全額借金返済と貧困弱者国民自立危機に対応するロボットＧＰＳ地図によって、全自動水陸兼用の全自動走行作業出来る全自動水中ロボット技術を積載した多機能情報冷暖房無休憩発電機の、ロボットＧＰＳ地図によって、全自動水陸兼用の全自動走行作業出来る全自動水中ロボット技術は、陸地では、衛星ＧＰＳ道路地図と衛生ＧＰＳ歩道地図と衛生ＧＰＳ一建てビルの部屋の間取り地図と非常階段ＧＰＳ地図と消火栓位置ＧＰＳ地図と山岳林道ＧＰＳ地図と農道ＧＰＳ地図と緊急避難位置ＧＰＳ地図と活断層ＧＰＳ地図と地震震度分布過去デターＧＰＳ地図と海底地震計ＧＰＳ地図とひび割れ一戸建て及びビル分布ＧＰＳ地図と緊急地下貯蓄飲料水位置データーＧＰＳ地図と緊急食糧位置データーＧＰＳ地図を、表裏両面多層式カード内蔵卵型空洞ＭＤ装置は、アルミニューム表裏両面ＭＤは、全自動水中人型ロボットの陸地用の衛星ＧＰＳ地図に成り、非常事態に対応する為の人型ロボットを積載内臓した請求項1記載の日本国の貧困弱者国民自立危機に対応する衛星ＧＰＳ地図と衛星ＧＰＳ歩道地図と衛星ＧＰＳ一戸建てビルの部屋の間取り地図と非常階段ＧＰＳ地図と非常階段ＧＰＳ地図と消火栓位置ＧＰＳ地図と山岳林道ＧＰＳ地図と農道ＧＰＳ地図と緊急避難位置ＧＰＳ地図と活断層ＧＰＳ地図と地震震度分布過去データーＧＰＳ地図と海底地震計ＧＰＳ地図とひび割れ一戸建て及びビル分布地図と緊急地下貯蓄飲料水位置データーＧＰＳ地図と緊急食糧位置データーＧＰＳ地図などを、ロボットの多層式カードブロックボックスに、地図データーを、積載する事で、人間の目に成る為の、地図データーに成り、カーナビゲイションと通常ナビゲイションに、他社に絶対に無い、ロボットＧＰＳ地図を、通常のナビゲイションに積載内蔵する事で、超小型の超薄型の二つ折り液晶タッチナビゲイションが、世界で一番薄くて軽くて高出力自動充電池積載のナビゲイ���ョンが、可能に成り、複数カメラパネル積載のライトカメラによって、色々な、カメラ
バージョンが楽しむ事が、出来るナビゲイションに成り、自然風景写真ビデオ画を使用したナビゲイションの為、間違えが、少ないナビゲイションに成る。
従って、全自動ロボット及びカーナビゲイション及び除雪機ナビゲイション及びトラクターナビゲイション及び耕耘機ナビゲイション及び自転車道ナビゲイション及びシニアカーナビゲイション及びバイクナビゲイション等の、個別の道路支持出来るナビゲイション技術応用に成り、付属装置説明に、一戸建ての家の前及び公園の自動車の走行と接近確認が、出来る道路の自動車バイク自転車全自動認識音声連絡ライトカメラは、自動車の交通事故防止対策装置に成る。
【０１５５】
本発明の、請求項28の、多機能情報冷暖房無休憩発電機の情報画面装置に送る海底情報を作る水中人型ロボットは、頭の上とお尻に高出力2連結以上モータープロペラを付ける事で、空を飛ぶ事の出来る構造に成る水中ロボットにプロペラ装置の取り付け構造に成って入る水中ロボットを積載内臓した請求項1記載の日本国の全額借金返済と貧困弱者国民自立危機に対応するロボットプロペラ取り付け構造技術を積載した多機能情報冷暖房無休憩発電機の、プロペラ取り付け装置としては、35トントレーラーに積載するビルの
屋上に設置する為に、超大型の高出力水発電機に、リモコンプロペラを、上と後部に取り付ける事で、ビルの屋上へ、リモコン操作で、超大型の高出力水発電機のビル屋上の
俊敏で、俊足な設置が可能に成る。
この他、大型観光船のヘリコプター移動及び水陸空兼用の自動車及び一戸建ての家の水陸空移動型の家などが有るが、水中に潜る構造の特注構造の方が、未来的商品に相応しい構造だと言える為、ドアすべては、高出力四角形型電動モーター仕切り弁ドア構造に成り、半永久の全自動無無給油発電機が、必要とされる商品に成る。
【０１５６】
本発明の、請求項29の、多機能情報冷暖房無休憩発電機の、冷暖房装置の空気取り入れ官は、ストレート官に成り、空気取り入れフイルターは、竹灰入りプラスチック超軽量網は、2重フイルターと雑草灰入りビニール網3重フイルターをボックスフイルター構造にしたフイルター装置は、加湿蒸気によって、臭い成分も、水蒸気フイルターカーテンで、臭い成分を取り除く事の出来る多層フイルターボックスの水蒸気エアーカーテンフイルターのダブルフイルターを、積載内臓した請求項1記載の日本国の全額借金返済と貧困弱者国民自立危機に対応する超軽量トリプルフイルターボックス技術を積載した多機能情報冷暖房無休憩発電機の、超軽量ダブルフイルターボックス技術は、掃除機のフィルター及び換気扇のフィルター自動車のフィルター及び建設機械のフイルーターに成り、木材灰入りプラスチック網を、使った超軽量フィルターなどの技術は、他社に無い新技術の超軽量フィルターに成り、竹灰入りグラスファイバー網フィルター及び雑草灰入り樹脂網フィルター及び生ゴミ灰入り軽水素トリチウム電子入り圧電素子磁石体粒子内臓シリコン熱瞬間吸収発電網等の新技術網を、重ねてゴミを取り除く事に成る。
【０１５７】
本発明の、請求項30の、多機能情報冷暖房無休憩発電機の、冷暖房装置の空気吐き出し官は、雑草灰入りのプラスチック超軽量スクリュー官を、積載内臓した請求項1記載の日本国の全額借金返済と貧困弱者国民自立危機に対応する世界で一番軽いプラスチックパネルで有り、炭素糸より軽い雑草灰入りプラスチック糸材の超軽量の雑草灰入りプラスチックスクリュー官技術を積載した多機能情報冷暖房無休憩発電機の、世界で一番軽いプラスチックパネルで有り、炭素糸より軽い雑草灰入りプラスチック糸材の超軽量の雑草灰入りプラスチックパネルは、現在、使用されている家電製品の、携帯電話パネル及びパソコンパネルより、更に、軽い素材で有り、世界で一番軽いとされている炭素プラスチックパネルと炭素テトロン糸より、軽いのが、木材灰入りテトロン糸に成り、世界で一番軽い糸と世界で一番軽いパネル新技術によって、飛行機及び船等の、内パネル板
等の利用方法として期待出来る他社では、真似の絶対に出来ない技術説明に成る。
コメント
2011年7月11日pm20時59分寝る事にする千葉県の墫野和夫で有る。
コメント
2011年7月13日am6時22分から、少しだけ、書く事にする千葉県の墫野和夫で有る。
【０１５８】
本発明の、請求項31の、多機能情報冷暖房無休憩発電機の冷暖房装置の空気吐き出し口は、一本軸のアルミニューム製及び強化プラスチック製の高出力電動卍形状モーター仕切り弁を使用積載した複数の波山形の冷暖房空気吐き出し口構造に成り、高出力卍形状インバータ制御モーターは、高出力電磁石新技術と高出力銅筒官コイル配線と高出力人工合成永久磁石の別名の高出力圧電素子磁石体を、使用積載したモーターの軸及び内板金属は、アルミにーム金属及びジュラルミン金属を、使用した軽量金属使用のＤＣブラシレスモーターのデザイン違いに成る高出力電磁石と高出力圧電素子永久磁石と高出力銅筒官コイル配線をモーター構造としたモーターは、モーター力は、他のモーターより、かなり力の弱いモーターだが、送風機には、今までの扇風機の電気消費より、電気消費の少ないモーターを、積載した請求項1記載の日本国の全額借金返済と貧困弱者国民自立危機に対応する世界で一番電気消費の少ない高出力卍形状レールモーター技術を積載した多機能情報冷暖房無休憩発電機の、世界で一番電気消費の少ない高出力卍形状レールモーター技術は、換気扇のモーターフアン及びトイレの換気扇モーターフアン及び、屋根裏の湿気取り除きの換気扇モーターフアン及び床下の湿気取り除き換気扇のモーターフアン及び農業ハウスの換気扇モーターフアン及び自動車の送風用換気扇のモーターフアンに成る。
この他、扇風機のモーター及び冷房機のモーター及び冷蔵庫のモーター及び暖房機のモーター及び加湿器のモーター及びパソコンの冷却用モーター及び家電製品の冷却用モーターに成る。
【０１５９】
本発明の、請求項32の、多機能情報冷暖房無休憩発電機の暖房装置のニクロム線は、ニクロム線の筒官ニクロム線構造の中にテングステン金属を入れた二重金属ニクロム線を使用する事で電気消費を、弱冠少なくした、新技術ニクロム線を使用した水タンクの水を一度ニクロム線で、暖めた温水風を使用する事で、金属の熱放出量を抑えた温水を使ったニクロム線暖房器に成り、水量メーターは、全面の見易い位置に有り、水量警告ブザー付きの暖房装置を積載内臓した請求項1記載の日本国の全額借金返済と貧困弱者国民自立危機に対応する電気消費を抑えたニクロム線新技術と温水温風を使った低電気消費の暖房器技術を積載した多機能情報冷暖房無休憩発電機の、電気消費を抑えたニクロム線新技術と温水温風を使った低電気消費の暖房器技術は、携帯電話の、暖房装置と、ベルト取り付け型の、冷暖房切り替え型の超小型クーラー送風外気遮断装置及び駅やベンチの、取り付け型の暖房器具及び建設機械の、暖房用座布団及び、バイクの冷暖房用取り付け座布団及び、自転車の冷暖房用取り付け超小型クーラー装置及び冷暖房装置付の
シニアカー装置に成る。
コメント
2011年7月13日am6時49分時間なのでペンを置く千葉県の墫野和夫で有る。
コメント
2011年7月14日pm20時29分少しだけ、書く事にする千葉県の墫野和夫で有る。
【０１６０】
本発明の、請求項33の、多機能情報冷暖房無休憩発電機のクーラーの冷却装置は、大気漏れの気化フロンガスを使用せず、フロンガスを固形窒素に混合合成した物質と液体プラスチックを混合合成した複数縦穴構造の固形窒素フロンプラスチックの複数縦穴空き固形フロンカートリッジは、リサイクル出来る固形フロンに成り、複数の竪穴構造は、窒素ガスを巡回した場合、窒素ガスを、固形フロンによって、より広い面積で、窒素ガスを冷やす必要が有る為、固形フロンは、複数穴空き形状に成り、大気放出しても、害の無い窒素ガスを使用する事に成る固形フロン冷却システムは、フロンガスを大気に放出しない固形フロン技術を積載内臓した請求項1記載の日本国の全額借金返済と貧困弱者国民自立危機に対応する固形フロンカートリッジ技術を積載した多機能情報冷暖房無休憩発電機の、フロンガスを大気に放出しない固形フロン技術の、フロンガスを大気に放出しない固形フロン技術は、自動車のクーラー及び建設重機及び、飛行機のクーラー及び船のクーラー及び海底探査船のクーラー及び地下掘削機のクーラー及び宇宙船のクーラー及び介護ロボットのクーラー及びバイクのクーラー及び自転車のクーラー及びシニアカーのクーラー及びゴムボートクーラー及びリック式持ち運びクーラー及びベルト取り付け型クーラー及びボイラー室用耐熱服用クーラー及び火力発電所耐熱服用クーラー等に、使用する固形フロン技術に成る。
この場合、スクリュー官の冷却窒素酸素循環配管によって、体の温度上昇を調整する事が出来る。
【０１６１】
本発明の、請求項34の、多機能情報冷暖房無休憩発電機のクーラーの冷却装置は、固形窒素とフロンガス混合物質と液体プラスチックを、混合合成した固形窒素フロンプラスチック冷却板を、冷気送風管のストレートパネル板とする事で、固形フロンの窒素ガスを、冷やしたままで、室内に放出する冷却風を安定して冷やせる固形窒素フロンプラスチックパネルを積載内臓した請求項1記載の日本国の全額借金返済と貧困弱者国民自立危機に対応する電気消費を抑える固形窒素フロンプラスチックパネル技術を積載した多機能情報冷暖房無休憩発電機の、電気消費を抑える固形窒素フロンプラスチックパネル技術は、本カバー及びジュースプラスチック三重冷却ペットボトル冷凍食品のプラスチック三重冷却シート及び店舗用皿の冷却シートカバー及び屋内スケートリンク用の冷却パネル及びクーラーボックスの冷却パネル及び地下貯水タンクパネル及び冷却スクリュー
水道官及び冷却ストレート水道官及び固形窒素プラスチック糸及び冷凍車の冷却パネル及び冷蔵庫の冷却パネル及び大型冷蔵庫のパネルに使用する固形窒素フロンプラスチックパネル技術に成る。
コメント
2011年7月14日pm21時56分寝る時間なのでペンを置く千葉県の墫野和夫で有る。
コメント
2011年7月15日pm21時23分少しだけ、書く事にする千葉県の墫野和夫で有る。
【０１６２】
本発明の、請求項35の、多機能情報冷暖房無休憩発電機の緊急ライトは、多機能情報冷暖房無休憩発電機の上部に取り付けたＬＥＤのダイオード内の電子を、増幅する技術に成り、軽水素トリチウム電子を、発光ダイオードのダイオードに大量の軽水素トリチウム電子を、混合合成する事で、発光ダイオード内の電子量を、増幅する技術に成り、少ない電気量で発光ダイオードのライト光を明るく出来る新技術に成り、この他、通常のアルゴンガスは、蛍光灯に使用されているガスだが、蛍光灯の大きさに入ってるガス全てが、発光ダイオードにのダイオードに入らない為、発光ダイオードのダイオードには、軽水素トリチウム電子を90パーセント以上入れてアルゴンガスを混合合成して、光の光源作用を、蛍光色にする為に、発光ダイオードに軽水素トリチウム電子とアルゴンガスを混合合成した、蛍光白色に光る複数の一列の発光ダイオードライトを、多機能情報冷暖房無休憩発電機に内蔵積載した請求項1記載の日本国の全額借金返済と貧困弱者国民自立危機に対応する電気消費を抑える軽水素トリチウム電子入りのアルゴンガス合成物質を、発光ダイオードのダイオードに混合合成した技術を積載した多機能情報冷暖房無休憩発電機の、電気消費を抑える軽水素トリチウム電子入りのアルゴンガス合成物質を、発光ダイオードのダイオードに混合合成した技術は、別名の、軽水素アルゴン回路チップに成り、テレビの映像回路及び携帯電話の映像回路チップとして、積載使用したり
デジタルカメラの映像回路に内臓したり、ノーマルカメラの映像回路に内臓したり、デジタル波受信型コピー機の映像回路に内臓したり、人工衛星の映像回路に内臓したり、情報装置の映像回路に内臓したり、ビデオカメラの映像回路に内臓したり、ビデオ装置の映像回路に内臓したり、他のカメラの映像回路に内臓する事で、綺麗な画像を画像パネル等で見る事が出来る装置利用などが有る。
【０１６３】
本発明の、請求項36の、多機能情報冷暖房無休憩発電機の緊急ライトは、多機能情報冷暖房無休憩発電機の上部に取り付けたＬＥＤのダイオード内の電子を、増幅する技術に成り、軽水素トリチウム電子を、発光ダイオードのダイオードに大量の軽水素トリチウム電子を、混合合成する事で、発光ダイオード内の電子量を、増幅する技術に成り、少ない電気量で発光ダイオードのライト光を明るく出来る新技術に成り、この他、通常のネオンガスは、ネオンライト燈に使用されているガスだが、ネオン灯にも可なりのネオンガスが、入ってる為、ネオンガスのみを、発光ダイオードに入れても、発光度が余り求められない為、軽水素トリチウム電子を、90パーセントと残り10パーセントを、ネオンガスを、混合合成した発光ダイオードライトを、積載内臓した請求項1記載の日本国の全額借金返済と貧困弱者国民自立危機に対応する電気消費を、抑える軽水素トリチウム電子ガスとネオンガスを、混合合成したガスを、発光ダイオードライトのダイオードに混合合成した発光ダイオードＬＥＤライト技術を積載した多機能情報冷暖房無休憩発電機の、電気消費を、抑える軽水素トリチウム電子ガスとネオンガスを、混合合成したガスを、発光ダイオードライトのダイオードに混合合成した発光ダイオードＬＥＤライト技術は、軽水素ネオン回路チップとして、テレビの映像回路及び携帯電話の映像回路チップとして、積載使用したりデジタルカメラの映像回路に内臓したり、ノーマルカメラの映像回路に内臓したり、デジタル波受信型コピー機の映像回路に内臓したり、人工衛星の映像回路に内臓したり、情報装置の映像回路に内臓したり、ビデオカメラの映像回路に内臓したり、ビデオ装置の映像回路に内臓したり、他のカメラの映像回路に内臓する事で、綺麗な画像を画像パネル等で見る事が出来る装置利用などが有る。
【０１６４】
本発明の、請求項37の、多機能情報冷暖房無休憩発電機の防犯カメラは、超小型のＬＥＤライトカメラの電波屈折反射電波カーテンセンサー付きの物体及び人が、屈折型反射電波カーテンを通ると、電波遮断によって、超小型のＬＥＤライトカメラが全自動作動して、人と物体等などを、全自動撮影して、防犯センター及び携帯電話等に、緊急連絡出来る装置は部屋の天井と床の部分の数か所に、電波反射用の鏡の後ろにプラスチックシートとビニールシートと木材灰入りゴムの三重クッションシート構造の電波反射鏡を、床と天井または、左右の壁と壁に設けた防犯対策用のライトカメラ装置を、積載内臓した請求項1記載の日本国の貧困弱者国民自立危機に対応する低価格の防犯ライトカメラシステムを積載内臓した請求項1記載の日本国の全額借金返済と貧困弱者国民自立危機に対応する防犯ライトカメラ技術を積載した多機能情報冷暖房無休憩発電機の、低価格の防犯ライトカメラシステムは、人の形状全自動認識と色彩全自動認識と物体の形状認識を全自動で行う事の出来るカメラは、自動車カメラの人の全自動認識と動物の形状の全自動認識等によって、人と動物の区別及び物体の区別を、可能にしたテレポーテイション物体形状認識カメラに成り、飛行機のカメラの人の全自動認識カメラと船の全自動人認識カメラとその他機械の全自動人及び動物及び物体の全自動形状認識カメラに成る。
コメント
2011年7月15日pm22時47分寝る時間なのでペンを置く千葉県の墫野和夫で有る。
コメント
2011年7月17日am8時42分休日の為、今から書き始める墫野和夫で有る。
【０１６５】
本発明の、請求項38の、多機能情報冷暖房無休憩発電機のエアー注入型の多機能情報冷暖房無休憩発電機の高さのリモコン調整装置は、スクリュー送風管と高出力電動モーター仕切り弁と電磁石反発高さ移動装置を内蔵設置する事で、多機能情報冷暖房無休憩発電機の高さを、調整した場所にエアーゴムにエアーを、注入して、電動仕切り弁でエアー全自動密封出来る装置を、積載した家電製品の高さのリモコンインプット全自動調整出来る装置を積載内臓した請求項1記載の日本国の全額借金返済と貧困弱者国民自立危機に対応する家電製品の高さをリモコンインプット全自動調整出来る装置技術を積載した多機能情報冷暖房無休憩発電機の、家電製品の高さをリモコンインプット全自動調整出来る装置技術は、キチンリビングの、整理棚の、モーター整理棚構造及び商店街の上下移動ソーラーパネル文字ライト看板及び太陽光集光上下左右移動反射板レンズ装置及び
ビル壁移動モーター花壇及び一軒家屋根モーター花壇及び一軒家モーター車庫花壇及び一軒家モーター移動ポスト及びモーターバイク移動バイク地下道及び超高速スクリュー電波塔エレベーター及び地下人口太陽光栽培農園エレベーター等に、使用するモーター高さ調整装置に成り、高出力棒状ＤＣブラシレスレールモーターを使用している点に成る。
【０１６６】
本発明の、請求項39の、多機能情報冷暖房無休憩発電機のリモコン装置は、高出力無線機機能の高出力銅筒官コイルと高出力熱瞬間吸収発電コンデンサーと高出力電磁石と熱瞬間吸収絶縁端子と新2連振子型自動充電池と文字インプットスイッチ機能の文字近距離無線機能のボタンと音声認識文字全自動変換最新式機能装置の圧電素子磁石体の音声認識チップ多層式ブロック装置を積載した請求項1記載の日本国の全額借金返済と貧困弱者国民自立危機に対応するリモコン高出力文字無線装置技術を積載した多機能情報冷暖房無休憩発電機の、文字近距離無線機能のボタンと音声認識文字全自動変換最新式機能装置の圧電素子磁石体の音声認識チップ多層式ブロック装置は、携帯電話の携帯電話無線装置及びカーナビゲイション無線装置及び家電リモコン無線電話装置及び腕時計型無線時計及び腕時計型無線ナビゲイション及び無線ライトカメラ及び無線ライトカメラ携帯電話及び音声入力メモ機能付き携帯電話及びラジオ音楽録音カード付ライトカメラなどの、多目的超小型家電に積載する事が可能に成る。
【０１６７】
本発明の、請求項40の、多機能情報冷暖房無休憩発電機の文字無線は、文字無線の最初の送信無線波に、固定無線機番号の設定受信番号の後に連絡したい文字を並べて無線送信出来る装置は、各無線機番号の設定されている番号のみが、受信して、文字連絡出来る最新式文字無線装置に成り、カメラ画像も、送れる装置に成り、無線中継装置無しでは、平坦な場所で、10キロメートル範囲の文字画像無線に成り、将来的には、スクリュー低周波無線電話の低価格スクリュー低周波無線電話普及を目的とした装置を積載した請求項1記載の日本国の全額借金返済と貧困弱者国民自立危機に対応するスクリュー低周波無線電話リモコン装置技術を積載した多機能情報冷暖房無休憩発電機の、スクリュー低周波無線電話の低価格スクリュー低周波無線電話は、カーナビゲイションの腕時計型二つ折り液晶パネルの、スクリュー波無線装置によって、近距離の無料無線装置を、登山の連絡用無線として、充電池無しの無線装置商品として、今後、携帯電話を、含めて、日本の携帯電話会社と一切の、共同開発を行わない、日本の国の全額借金返済目的と
都道府県市町村区の全額借金返済を、目的とした高出力発電回路付の無線ビル地図内蔵の携帯電話等によって、日本の携帯電話会社技術を、遥かに超えた技術で、資本主義マスコミ連携政治主義による日本国資本主義経済の弱者切り捨て事実の、海外原子力売電所得税の未払いの長年の事実に対応する為と弱者一人一人を、救済する為の世界最新技術に成る。
【０１６８】
本発明の、請求項41の、多機能情報冷暖房無休憩発電機の、文字無線リモコン装置は、超小型の多層式カード型の衛星ＧＰＳ及び山岳ヘリコプターＧＰＳの無線リモコン地図を積載する事で、将来的の山岳ヘリコプターのスクリュー高速携帯波及びスクリュー高速無線波及びスクリュー高速ノーマルテレビ波及びスクリュー高速衛星波及びスクリュー高速カーナビゲイション波及びスクリュー高速ロボットデーター波及びスクリュー高速短波文字無線波及びスクリュー高速文字中波無線波の位置を、全自動計測して、本人確認を、備え付けのライトカメラによって確認認識全自動連絡出来る装置を積載内臓した請求項1記載の日本国の全額借金返済と貧困弱者国民自立危機に対応する山岳ヘリコプターＧＰＳ及び衛星ＧＰＳ地図を文字無線付き家電リモコン装置技術を積載した多機能情報冷暖房無休憩発電機の、山岳ヘリコプターＧＰＳ及び衛星ＧＰＳ地図を文字無線付き家電リモコン装置技術は、近距離無線ナビゲイションの無線波を、地球上の全ての場所まで、無線波を届ける事の出来る山岳ヘリコプターを、使ったスクリュー無線波技術に成り、スクリュー無線波の中継基地の山岳ヘリコプターを、複数使ったスクリュー無線波技術に成り、現在の、携帯電話料金の、基本料金を、1000円位に出来て、いくら使用しても、月料金の、5000円設定も、可能に成り、インターネットの無料化も、可能に出来る世界最新技術に成る。
【０１６９】
本発明の、請求項42の、多機能情報冷暖房無休憩発電機の、文字無線リモコン装置は、専用の室内リモコンロボットのリモコン装置として、使用出来る機能と同じメーカーの家電製品無線リモコンを、新2連振子型自動充電池の半永久の発電池電気によって、半永久使用出来る文字無線リモコン装置を、積載した請求項1記載の日本国の全額借金返済と貧困弱者国民自立危機に対応する多種類の家電製品のリモコン装置と無線リモコンロボットの操作を出来る文字無線リモコン装置技術を積載した多機能情報冷暖房無休憩発電機の、多種類の家電製品のリモコン装置と無線リモコンロボットの操作を出来る文字無線リモコン装置技術は、無線波リモコン装置の無線波文字番号を、設定する事によって、多種類の家電製品のリモコン操作を、一台の無線リモコン装置によって、可能に出来る装置に成り、タッチ液晶リモコン装置技術によって、室内家電製品すべてのリモコン操作を、可能にしている世界最新技術に成り、未来技術の一つに成り、腕時計型リモコン多機能複数4本アンテナ携帯無線電話の未来は、高出力発電回路技術と腕時計のバンド内部に、回路とデーター蓄積カードブロックを、内臓した超細ワイヤ入りバンド及び超細ワイヤ網入りの腕時計型のリモコン無線電話に成る。
【０１７０】
本発明の、請求項43の、多機能情報冷暖房無休憩発電機の、情報装置は、海底の水中ロボット画像と自画像の立体的に360度リモコン操作出来るテレポーテイションゲーム画像システムは、自然の風景画像に、自画像及び空想画像及び好きな人の画像及び好きな動物等の立体的に今までの過去からのテレビ画像のカメラ画像の360度動くゲーム主人公設定によって、水中海底の水中ロボットに、ゲーム設定パーツを、スクリュー携帯波及びスクリュー無線波及びスクリュー衛星波によって、水中ロボットにインプットゲーム設定を、行うと同時に、ゲームに使用する対戦物体を、水中海底画像に入れて、水中ロボットと好きな動物の自然体画と自分自画像を、水中海底画像に取り込んで自然画像ゲームを、楽しめる世界初の自画像及び動物画像及びロボット画像を、情報画像に人工的にインプットテレポーテイション画像設定する事の出来るゲーム装置を、積載内臓した請求項1記載の日本国の全額借金返済と貧困弱者国民自立危機に対応する自画像及び動物画像をテレポーテイションの画像取り込み自然画像ゲーム装置技術を積載した多機能情報冷暖房無休憩発電機の、自画像及び動物画像をテレポーテイションの画像取り込み自然画像ゲーム装置技術は、ノーマル波多層式カードブロックカメラ及びノーマル波多層式カードブロックビデオカメラ及び家庭ビデオ装置及び家庭ビデオテレビ及びナビゲイションラジオライトカメラ及び無線ゲームナビゲイションラジオライトカメラ等の、装置を高出力発電回路技術と圧電素子4電子磁気分割装置技術と軽水素ニッケル充電池技術と軽水素液体マグネシウム圧電素子窒素急速充電池技術と高出力自動充電池技術によって、多機能の超小型家電製品技術と木材灰入りプラスチック技術の超軽量プラスチックパネル技術によって、超軽量の超小型家電製品を可能にしている。
【０１７１】
本発明の、請求項44の、多機能情報冷暖房無休憩発電機の、自画像取り込みゲーム装置のテレポーテイションの画像取り込み装置を使った海底実写映像や自然山林の中に実写自画像及び動物画像を、取り込んだ人工合成写真を、パソコン及びノーマル多層式カードカメラ及び多機能切換えＬＥＤライトカメラ及びプラスチック用紙コピー機及び多層式カードビデオ機及び超小型画像複写転写印刷機及びテレビに写真ノーマルデーター画像を、画像読み取り装置全てによって画像を家電製品に取り込める装置を積載内臓した請求項1記載の日本国の全額借金返済と弱者国民自立危機に対応する実写映像ノーマル写真データとビデオ写真データーとロボット写真データーと機械ビデオ写真データーを、家電製品に取り込む事の出来る全自動装置技術を積載した多機能情報冷暖房無休憩発電機の、実写映像ノーマル写真データとビデオ写真データーとロボット写真データーと機械ビデオ写真データーを、家電製品に取り込む事の出来る全自動装置技術は、別名、テレポーテイション技術に成り、別名合成画像技術に成り、2001年2月の5日及び6日のゲームの合成画像の著作権新技術が、基本に成ってる為、海外の動画の複製技術の、合成画像技術の先技術確認を、行う必要性が有る現状で有るが、先技術を、調べる環境には、無料化とスピードの速い調査方法が、日本の特許庁技術と日本の大企業技術では、技術理解が、出来ない世界レベルとテレビマスコミと新聞マスコミが、特許番号の公開の義務化と知的所有財産番号の公開義務のあり方に対しての高額罰金制度を、導入出来ない日本の企業マスコミと企業新聞の弱者切り捨て無視社会の知性の世界レベルに対して、世界基準に、全然追いつけない人権平等社会の理解と無駄の金を、弱者に使わすとしか考えれないテレビマスコミ業界の職員全員の平等な人権の分からない世界レベルの知性の有り方を、国民全体で、気が付いた場合は、デジタル放送を、きっかけに、弱者国民の、浮浪者及び高齢者及び弱者貧困層で作り上げるテレビ局を、国会議員に申し立てて
、政治家専門のテレビ局などを、含めて、新しく、世界に向けて、テレビ局の増設以外、弱者貧困層の救済は、現在の、テレビ局では、弱者切り捨ての、利益主義の資本主義
テレビ局国家では、別にテレビ局を、作って、未来の平等な人権社会の自立国家は、弱者国民の著作権保護無視の、企業テレビマスコミと企業新聞マスコミ国家では、テレビ局増設対策以外は、弱者自立国家が、あり得なかった状況判断から、テレビ局増設案を進めなければ成らない。
【０１７２】
本発明の、請求項45の、多機能情報冷暖房無休憩発電機の、水中ロボットの海底レントゲンスコープライトカメラを、使用して世界中の海の砂の中の陶器類及び金属類及びプラスチック類木材類を、水中ロボットのライトレントゲンスコープカメラ機能を使って、世界中のまだ見つかって居ない宝物を、探す事が、可能な水中ロボットレントゲンスコープライトカメラを積載内臓した請求項1記載の日本国の全額借金返済と貧困弱者国民自立危機に対応する水中ロボットのレントゲンスコープカメラ技術を積載した多機能情報冷暖房無休憩発電機の、水中ロボットのレントゲンスコープカメラ技術は、水中の砂層の探査は、物質の形状を、感知出来る装置に成り、超小型高出力金属センサーによって、砂の中の物質形状と金属の有無を、画像装置によって理解出来る装置に成る。
従って、河川敷の砂の中の、物質調査及び海底の、砂の中の骨の採取及び宇宙の星の砂の中の全自動調査を、可能にしている技術に成り、砂山の化石の調査及び、文部科学省の地層探査による過去の埋蔵物調査の実施及び、埋蔵金の調査及び海底の埋蔵物の調査発見に使用する事で、今後の、未来の歴史地図を塗り替える事の出来る新技術に成る。
この他、建設機械の、埋戻し状況を、確認したり、地下の配水管の、劣化状況確認と水漏れ状況確認の為の、世界最新技術に成る。
【０１７３】
本発明の、請求項46の、多機能情報冷暖房無休憩発電機の、3重構造超高速配線は、銅筒官配線の筒の中に、新技術の軽水素トリチウム電子入り圧電素子磁石体粒子を内蔵した電気の通り易い配線を内蔵した銅筒官配線に、窒素フロンガス内蔵圧電素子磁石体粒子を被せて更に、土粘土粒子入りプラスチックゴム絶縁電気配線表皮構造の電気の通り易い軽水素トリチウム電子と圧電素子磁石体の圧電効果の物質粒子を積載内臓した請求項1記載の日本国の全額借金返済と貧困弱者国民自立危機に対応する電気の通り易い物質と冷却物質と新技術絶縁体表皮構造の電気配線を積載した多機能情報冷暖房無休憩発電機の、土粘土粒子入りプラスチックゴム絶縁電気配線表皮構造の電気の通り易物質と冷却物質と新技術絶縁体表皮構造の電気配線は、建設機械の電気配線及び船の電気配線及び地下ケーブル配線及びその他全ての家電製品の電気配線利用が考えられる。
【０１７４】
本発明の、請求項47の、多機能情報冷暖房無休憩発電機の、冷暖房スクリュー官をスイッチ高出力モーター仕切り弁切換えする暖房スクリュー官は、温水循環出来る2重構造のスクュー配管と新技術の熱瞬間吸収発電パネル官の3重構造の温水風を使った2重金属のニクロム線筒のテングステン金属及びニクロム線筒の銅テングステン合金及びニクロム線筒の銅金属の二重金属ニクロム線を使ったお熱風装置によって、暖房する装置を積載した請求項1記載の日本国の全額借金返済と貧困弱者国民自立危機に対応する熱瞬間吸収発電スクリュー官の3重構造官を積載した多機能情報冷暖房無休憩発電機の、熱瞬間吸収発電スクリュー官の3重構造官は、現在の、温水ガス湯沸かし機付の流し台のステンレス部分を、熱瞬間吸収発電スクリュー官の3重構造官の技術を、応用した熱瞬間吸収発電パネルを積載した発電装置に成り、冷暖房装置の、外気排出官に、熱瞬間吸収発電パネルブロックの真空二重構造の熱瞬間吸収発電装置を、冷暖房クーラーの排気官に取り付ける事で、世界初の熱瞬間吸収発電技術に成る。
この他、ソーラーパネルの湯沸し器の、熱瞬間吸収発電装置を取り付けた世界初の太陽光による湯熱発生と湯熱の瞬間吸収発電の両方を、備えた太陽光ソーラーパネル技術に成り、今後、世界の注目視される新技術に成る。
【０１７５】
本発明の、請求項48の、多機能情報冷暖房無休憩発電機の、冷暖房スクリュー官の高出力電動モーター仕切り弁装置の風車形状は、ハート型の形状をした風車板と高出力圧電素子磁石体内臓ダイナモと超長のスクリュー官によって、熱風発電と冷風発電出来る高出力電磁誘導発電体を積載内臓した請求項1記載の日本国の全額借金返済と貧困弱者国民自立危機に対応する高出力電磁誘導発電装置を積載した多機能情報冷暖房無休憩発電機の、高出力電磁誘導発電装置は、現在の、ハイブリット車の4輪全てのタイヤに、高出力
電磁誘導発電装置を取り付ける事で、現在の、ハイブリット走行距離を、二倍以上に増やす事の出来る新技術に成り、他社の真似の出来ない高出力電磁誘導発電技術と圧電素子4電子磁気分割装置の世界最速の急速充電装置と軽水素ニッケルバッテリー及び軽水素圧電素子液体マグネシウム窒素バッテリーの新技術によって、世界最速充電技術によって、世界最高発電の、軽水素トリチウム電子入り圧電素子磁石体パネル内臓の高出力ダイナモ発電技術を、積載したハイブリット車によって、実用新案登録の、第3168043号の高出力発電7連結以上モーターの技術によって、ハイブリット車のさらなる低燃費消費のハイブリット車が、可能に成る技術説明に成る。
この他、ソーラーバッテリーバイクハイブリット技術によって、さらなる低燃費消費技術によって、日本国の全額借金返済に対しての、道筋が出来た事に成る。
【０１７６】
本発明の、請求項49の、多機能情報冷暖房無休憩発電機の、暖房装置のニクロム線は、酸化鉄合成テングステン内蔵のニクロム線筒官の3重金属ニクロム線を積載内臓した請求項1記載の日本国の全額借金返済と、貧困弱者国民自立危機に対応する酸化鉄合成テングステン内蔵ニクロム筒官配線を積載した多機能情報冷暖房無休憩発電機は、酸化鉄合成テングステン内蔵ニクロム筒官配線は、電熱線の、電気消費を抑えたニクロム線に成り、痛風及び神経痛及び冷え症対策の、高出力二連振り子型自動充電池内臓の、電熱線バンド装置によって、長年、腰痛に悩まされた介護者の、自立の為の、医療装置に成り、移動取り付け型の登山用の、電熱線シートバンド装置等に、よって冬山の遭難事故を、未然に、防ぐ事の出来る装置説明に成る。
この他、家畜の電熱服及びペットの電熱服の著作権に成り、他社では、真似の出来ない発電技術積載の、電熱服に成り、2001年6月から7月の著作権作品に成る。
【０１７７】
本発明の、請求項50の、多機能情報冷暖房無休憩発電機の、高出力ＤＣブラシレスレールインバータ制御モーターに使用する高出力発電回路は、複数型高出力発電回路カートリッジボックスのプラス高出力発電回路カートリッジボックスとマイナス高出力発電回路カートリッジボックスの二つの高出力発電回路ボックスに熱瞬間吸収発電シートパネルと絶縁体を被せた装置を積載した請求項1記載の日本国の全額借金返済と貧困弱者国民自立危機に対応する高出力発電回路カートリッジボックスを積載した多機能情報冷暖房無休憩発電機の、高出力発電回路カートリッジボックスは、複数の高出力発電回路を束にした技術に成り、電気熱瞬間吸収発電シートを発電回路に内臓する事で、高出力発電回路発電と電気熱瞬間吸収発電技術のダブル高出力発電回路技術によって、世界全ての、電気製品の電気消費を、少なくする事によって、脱原子力発電の、足がかりを行って行区為の世界最新の、ダブル高出力発電回路のダブル発電技術の、高出力発電回路カートリッジボックスは、人工衛星の発電技術に等に、応用が出来て、国民主体の、人工衛星打ち上げが、中国と共同に出来る為、三菱電機等の、人工衛星事業と入札技術の競争によって、現在、500億円かかる人口衛星の打ち上げ費用を、十分の一以下の人工衛星打ち上げ費用に出来る事も、夢で、無くなった世界最新の、発電回路技術に成り、電気製品全てに応用可能に成る高出力発電回路技術説明に成る。
【０１７８】
本発明の、請求項51の、多機能情報冷暖房無休憩発電機の、熱瞬間吸収発電パネルと画像パネルは、高出力発電回路アダプタ電気取り込みコンセント付きの半ナット形Ｗブロックロックナットと四か所回転式のゴムロック固定型の特殊ボルトナットを使用積載した請求項1記載の日本国の全額借金返済と貧困弱者国民自立危機に対応する地震対応型の取り外し特殊ボルトナットパネル装置を積載した多機能情報冷暖房無休憩発電機は、地震対応型の取り外し特殊ボルトナットパネル装置は、壁掛けの、液晶パネルと異なってる家電製品の大きさとスペースに合わせた超薄型画像パネルの取り付けに成り、電気消費が、高出力2連振り子型自動充電池と高出力発電回路技術によって、電気消費配線の必要としない、充電不要の超小型家電製品新技術が可能にした世界最新技術に成る。
【０１７９】
本発明の、請求項52の、多機能情報冷暖房無休憩発電機の、圧電素子磁気アンテナ付きの電波速度アップのスクリュー塩化プラスチック電波官を積載内臓した請求項1記載の日本国の全額借金返済と、貧困弱者国民自立危機に対応する高速電波官を積載した多機能情報冷暖房無休憩発電機は、高速電波官を、スクリーユー状にした電波配管に成り、一番長いスクリュー電波官は、人工衛星の地球軌道の修正の為に、スクリュー高速電波打撃によって、人工衛星の軌道修正を、行う装置に成り、スクリュー高速電波発射口は、モーターライトカメラ発射口構造に成ってる為、他の、世界各国の企業では、考え付かなかった、高速スクリュー電波官を使用した人工衛星の軌道修正の有り方説明に成る。
【０１８０】
本発明の、請求項53の、多機能情報冷暖房無休憩発電機の、ＬＥＤライト玉の樹脂レンズ部分は、二重レンズの間に、軽水素トリチウム電子入りシリコン発電シートを内蔵した二枚合わせの軽水素トリチウム電子入りシリコン超薄発電シートと圧電素子磁石体粒子の熱電子磁気変換超細増幅発電ライン入りのＬＥＤライト玉の発電ガラス配線を積載内臓した請求項1記載の日本国の全額借金返済と貧困弱者国民自立危機に対応する発電二枚合わせガラスＬＥＤライトを積載した多機能情報冷暖房無休憩発電機の、発電二枚合わせガラスＬＥＤライトは、発光ＬＥＤライトの光熱を、利用した発電手段に成り、液晶テレビのクリスタル発電ガラスは、軽水素トリチウム電子入り圧電素子磁石体ライン入りのシリコン熱瞬間吸収発電ガラスに成り、他社では、絶対に真似の出来ない、ガラス発電技術に成り、ビルの窓ガラスの太陽光熱瞬間吸収発電技術の他、自動車のガラスの熱瞬間吸収発電技術に成り、発電塗料技術と熱瞬間吸収発電シートの看板技術及び家のタイル技術によって、電気不足の解消新技術として、考えられた発電手段に成る。
【０１８１】
本発明の、請求項54の、多機能情報冷暖房無休憩発電機の、ＬＥＤライト玉の電気熱吸収発電反射板は、ガラス板に軽水素トリチウム電子入り圧電素子磁石体粒子シリコンコーテング又は超薄発電シートパネルを貼ってから、超薄複数針穴形状の反射板を貼り付ける事によって、ＬＥＤライト玉の反射板熱を、軽水素トリチウム電子入り圧電素子磁気粒子超薄シート熱瞬間吸収発電パネルを積載内臓した請求項1記載の日本国の全額借金返済と貧困弱者国民自立危機に対応するＬＥＤライト玉の熱瞬間吸収発電反射板を積載した多機能情報冷暖房無休憩発電機の、ＬＥＤライト玉の熱瞬間吸収発電反射板装置は、軽水素トリチウム電子入りの圧電素子磁石体粒子内蔵シリコン熱瞬間吸収発電パネル
は、太陽光に当たる物質全ての塗装に入れると発電塗装に成り、熱瞬間吸収発電の超薄型のシリコンソーラーパネルに成り、プラスチック擁壁などの、プラスチック内部に、軽水素トリチウム電子入りの圧電素子磁石体粒子内臓シリコンシートを、内臓したプラスチックは、太陽光熱瞬間吸収発電物質体に成り、樹脂パネル及びグラスファイバーパネル及び木材合板及び金属合わせパネルなどの、太陽光熱瞬間吸収発電パネルに成り、熱の発生する部分に軽水素トリチウム電子入り圧電素子磁石体粒子内臓シリコン発電シートを張ったり、内臓する事で、熱を瞬間吸収して熱電子磁気に変える事で、電気回収出来る世界初の新技術に成り、ソーラーパネルとも、一味違った太陽熱で無い光を発しない熱でも、発電出来る世界初の新技術装置に成る。
【０１８２】
本発明の、請求項55の、多機能情報冷暖房無休憩発電機の、ＬＥＤライト玉に接続する電気配線は、銅筒官配線のレアーアース筒の軽水素トリチウム電子入り圧電素子磁石体粒子内蔵配線を、ＬＥＤライト配線装置の電気の通り易い配線を積載した請求項1記載の日本国の全額借金返済と貧困弱者国民自立危機に対応するＬＥＤライト玉接続の高出力銅筒官配線を積載した多機能情報冷暖房無休憩発電機の、ＬＥＤライト玉接続の高出力銅筒官配線は、電気の通り易い軽水素トリチウム電子と圧電素子磁石体粒子を、混合合成した電気配線に成り、家庭の電気配線には、窒素ゴムプラスチックシートを、電気配線に被せる電気配線として、プラス配線とマイナス配線を、別々にした家庭電気配線とする事で、電気加熱電気燃焼を、避けたりする技術の他、アルミニューム官に、電気配線を、通す事で、電気配線の燃焼事故とネズミなどの電気配線ショート加熱燃焼事故を、避ける対策を、行った電気配線にする事で、家庭の高速電気配線を、楽しむ事が出来る。
この他、家電製品の電気配線の他、家の外部電気引き込みブレーカー装置に、圧電素子4電子磁気分割装置を取り付ける事で、家庭内電気配線の熱上がりを防いでいる装置に成り、今後、未来は、電気中の熱抵抗電気を、取り除く装置として、近未来を支える世界最新技術に成り、固形窒素は、零度より、やや上の温度だが、電気の高温を避ける固形材としては、石膏などを、混合して使用する事で、比較的温度上昇を、避ける事の出来る効果的な物質に成り、冷却パネルとして、活躍出来る素材に成る。
【０１８３】
本発明の、請求項56の、多機能情報冷暖房無休憩発電機の、ＬＥＤライトの電気配線に繋ぐ電気中の熱電気抵抗だけを取り除く圧電素子4電子磁気分割装置を積載内蔵した請求項1記載の日本国の全額借金返済と貧困弱者国民自立危機に対応する圧電素子4電子磁気分割装置を積載した多機能情報冷暖房無休憩発電機の、電気中の熱抵抗電気を取り除く
圧電素子4電子磁気分割装置は、確かに、電気を、マイナス二百数十度まで、下げるヘリウムガスを使った電気冷却技術が、超電導技術で有り、配線すべてと装置全てを、冷却
し続けなければ、超電導の電気抵抗ゼロの成立が、出来なかった長年の国際的の、電気中の電気抵抗を、減らす技術に成り、超電導配線によって、若干な電気抵抗が、常温電気でも、取り除く事が、出来る技術は、世界各地に技術存在が有った。
しかしながら、電気中の熱抵抗電気を、常温で、全て取り除く技術が無かったのも、現状で有り、圧電素子磁石体粒子を使用した電気を、磁気電気変換して、弱い電気の熱抵抗電気と電気磁気の強い熱抵抗電気の全く入って無い電気に分ける技術は、日本の特許庁は、特許技術と認めなくても、日本に存在しない技術の為、 実用新案登録第3168043号の高出力発電7連結以上モーターとして、事実上は、日本国に無い技術証明に成り、特許権と同じ技術の値に成って入る。
この技術は、発光ＬＥＤライト玉の、電気消費を抑えたり、携帯電話の電気消費を抑えたり、パソコンの電気消費を抑えたり、液晶テレビの電気消費を抑えたり、ビデオの電気消費を抑えたり、デジタルカメラの電気消費を抑えたり、冷暖房クーラーの電気消費を抑えたり、電気炊飯器の電気消費を抑えたり、電気掃除機の電気消費を抑えたり、電気洗濯機の電気消費を抑えたり、電気乾燥機の電気消費を抑えたり、電気湯沸かし機の電気消費を抑えたり、電子レンジの電気消費を抑えたり、ゲーム機の電気消費を抑えたり、全ての電気製品の電気消費を、抑える事の出来る装置に成る。
【０１８４】
本発明の、請求項57の、多機能情報冷暖房無休憩発電機の、ライトカメラの電気配線は、炭素窒素軽水素トリチウム電子入りプラスチック配線の超軽量配線を積載内臓した請求項1記載の日本国の全額借金返済と貧困弱者国民自立危機に対応する炭素窒素軽水素トリチウム電子入りプラスチック配線を積載した多機能情報冷暖房無休憩発電機の、炭素窒素軽水素トリチウム電子入りプラスチック配線は、回路のレアーアース回路配線の素材が、高い為、古くから使用されている特許権切れのアルミニューム鉛合金の回路配線を、電気回路溝配線として、電気の通りの良い固形窒素炭素または、固形窒素石灰入りの軽水素トリチウム電子入り圧電素子磁石体内臓のプラスチック合成回路配線を、アルミニューム鉛回路配線の溝に流し混んだ回路配線技術は、レアーアース金属より、電気の流れが、速い回路配線に成り、低価格の大量生産出来る技術に成り、レアーアース金属の買い取り戦争に終始を、付ける事の出来るレアーアース金属より、電気の流れを早くする事の出来る回路配線技術に成る為、携帯電話の新しい回路技術に成り、低価格の携帯電話と液晶テレビの回路も、低価格に成る為、50型テレビ及び100型テレビでも、10万円を切る値段の液晶テレビの時代が、来ている事の低価格技術紹介を、しておく事に
すると同時に、日本の液晶テレビ業界全ての業者の真似の出来ない液晶テレビの回路配線新技術に成ります。
【０１８５】
本発明の、請求項58の、多機能情報冷暖房無休憩発電機の、海底地震計は、インプット無線全自動作動の水中ロボットを使用して、角度調整型ドリルネジに、新2連振子型自動充電池内蔵のスクリューソナー波送受信装置とスクリューソナー波送受信アンテナとライトカメラと海底地震計を積載した水中ロボットアタッチメント取り付け構造を備えつけた海底地震計を内蔵した請求項1記載の日本国の全額借金返済と貧困弱者国民自立危機に対応する海底地震計を積載した多機能情報冷暖房無休憩発電機の、海底地震計は、コード式の海底地震計技術に成る為、海底地震計設置地点は、極めて、少ないのが現状で有った為、高出力2連振り子型自動充電池の電源と段数ソナー新技術と海上段数ソナー新技術と山岳ヘリコプターの電波中継基地装置を、複数使用して、世界各地の全ての海底の地震計設置を、可能にした世界初の技術に成り、他社では、真似の出来ない世界最新
技術に成り、水中ロボットの全自動水中インプットロボット及びリモコン水中ロボット及びリモコン水中機械の世界最新技術を可能にした世界最新技術に成り、海底のレアーアース土を、一度に大量に採取出来る真空バキュームロボットアームポンプ内蔵の全自動ヘドロ採取水中機械などの、機械が実現の機械技術を、可能にした世界最新の技術に成り、他社では、絶対の真似の出来ない技術に成り、レアーアース金属の低価格戦争の主役機械に成るのが、間違い無い世界最新の技術説明に成る。
【０１８６】
本発明の、請求項59の、多機能情報冷暖房無休憩発電機の、スピーカーは、木材灰入りプラスチックパネルと電気の通るプラスチックと軽水素トリチウム電子と圧電素子磁石体を混合合成した電気配線に、銅粉を、電気の通る軽水素プラスチック溶液コーテングによって、世界最軽量の銅筒官コイル配線が出来て、圧電素子磁石体と軽水素トリチウム電子入りの軽水素入り圧電素子の高出力圧電素子磁石体に、複数針穴構造の超薄ステンレス磁石シート板を、高出力圧電素子磁石体に被せる様に固定した世界最軽量の永久人工合成磁石技術によって、世界最軽量の電磁石が出来上がり、世界最軽量スピーカーに成り、多機能情報冷暖房装置の世界最軽量スピーカーと世界最小の電気消費の少ないスピーカー新技術を積載内臓した請求項1記載の日本国の全額借金返済と貧困弱者国民自立危機に対応する世界最軽量スピーカーを積載した多機能情報冷暖房無休憩発電機の、
世界最軽量スピーカー新技術は、炭素繊維プラスチックより、更に軽い、木材灰繊維プラスチックパネルに成り、現在、世界最軽量糸の、炭素繊維プラスチック加工繊維より軽い木材灰などの、炭素を燃やした後に産出される灰とプラスチックを、混合合成した繊維を、シート状にしたパネルに成り、世界で一番軽いパネルに成り、発砲スチロールは、壊れやすく糸に成らない物質の為、木材灰入りプラスチック網に、発砲スチロールを練りこんだ場合、更に軽い繊維が、出来る事が事実に成るが、強度に乏しい繊維とパネルに成るが、実用性を、探すのに時間が掛かる素材に成る。
従って、高出力電磁石と木材灰入りプラスチックシートを、組み合わせた防水型の超小型軽量スピーカーが実現する事に成る。
【０１８７】
本発明の、請求項60の、多機能情報冷暖房無休憩発電機の、低価格設定の世界最軽量のプラスチックパネルは、雑草灰及び木材灰及び竹材灰及び燃えるゴミ灰を、液体プラスチック合成する事によって、燃えずらい丈夫なプラスチック板に成り、多機能情報冷暖房無休憩発電機等の家電製品の世界最軽量のプラスチック合成軽量パネル新技術を積載内臓した請求項1記載の日本国の全額借金返済と貧困弱者国民自立危機に対応する世界最軽量の木材灰入りプラスチックパネル新技術を積載した多機能情報冷暖房無休憩発電機の、世界最軽量の木材灰入りプラスチックパネルは、大量生産可能な竹材を、荒れた砂丘に真水をスクリュー官によって引き込んで、竹の人工栽培を、可能にして、竹の燃えカス灰とプラスチック合成の世界最軽量糸と世界最軽量のプラスチックパネルを使用した家電製品パネルに成り、現在、普及している携帯電話の世界最軽量パネルとして、販売出来る近未来時代では、時計の超軽量プラスチックパネル及びテレビのプラスチックパネル及びパソコンのプラスチックパネルなどの、世界最軽量の電気製品時代の先頭に立つ世界最軽量パネルの新技術説明に成る。
【０１８８】
本発明の、請求項61の、多機能情報冷暖房無休憩発電機の、家電製品用の電磁石反発免振装置は、永久磁石鉄球及び円柱電磁石及び圧電素子磁石体粒子入りスプリング入りビニールと高出力電磁石板部品と免振固定クロス棒などを、組み合わせて電磁石反発免振装置を作り、その上に多機能情報冷暖房無休憩発電機を乗せて地震の揺れを防ぐ免振装置を積載内臓した請求項1記載の日本国の全額借金返済と貧困弱者国民自立危機に対応する家電免振装置を積載した多機能情報冷暖房無休憩発電機の、家電免振装置は、電磁石
反発コロ免震技術の、デザインの異なる電磁石反発コロ免震技術紹介に成り、高出力電磁石反発コロ免震技術の応用作品に成り、電磁石コロ反発免震技術の、先技術の著作権者以外が、電磁石反発免震及びエアー力及び水力を、使った免震装置技術の公開は、不正競争に成り、著作権の盗作技術の似た作品に成り、特許技術の意味する浮かす技術の
盗作技術に成り、誰でも、書ける技術の事を、似た作品の著作権盗作技術に成り、特許権及び実用新案権の後登録でも、著作権公開の事実が、有る場合は、商品販売に対しては、著作権盗作と実用新案等の知的所有財産権の盗作と窃盗罪に成るのも、事実に成り、近年では、特許切れのスーパーコンピューターを、日立電気が、製造販売した事件では、特許切れでも、不正競争に当たる事実とは、スーパーコンピューターの特許切れ商品の販売権を、日立電気は、買わないで、製造販売した為、ＮＨＫテレビに、未来永劫の犯罪者として、歴史に名を残したのだが、世界に名の残るバーコードの特許権横領事件では、特許年数の25年の三倍賠償の75年賠償が、世界の自動車のビックファイブまでが、賠償に応じたアメリカ合衆国の特許賠償事件の事実説明が、近年ＮＨＫで、放送されているが、日立電気の刑務所暮らしの無い賠償額の、正確な特許賠償額は、日本国では、放送されない事実には、特許権賠償実例の、事実に成る為で有り、テレビマスコミと新聞マスコミは、株式の株券取得者の営業妨害放送に成るとの事で、賠償額の放送は絶対に行わないのが、日本の裁判所の裁判判決実例に成り、個人及び弱者が、特許権の3倍賠償以上の実例を知る事が、困難にしているのも、弁護士の賠償金吊り上げによる示談説明により、心身の人権無視として、特許権の無断使用の商品販売の賠償額報道は、余り存在しないのも、事実に成り、今まで、日本企業全体で、日本国営の商品と都道府県市町村区の商品に対して、不正競争製品は、絶対に作らして来なかったが、最近では、高額な特許権料金と高額な実用新案登録権料金と高額な著作権料金等の、知的所有財産権料金と事業権を、支払ってまでも、日本国の電気製品業界は、販売しているのが、目立つが、日本の国税庁の、海外所得税の収納不足が、原子力発電の海外売電発電利益
の海外所得税の収納不足に見られる様に、国会議員と日本国の官庁の裏取引無では、不正競争の似た商品の販売に対しての、所得税及び海外所得税の税金収入不足が、目立つ
のも、事実なのは、資本主義国家に、不正競争の作品作りでは、資本主義国家が、潰れるのが事実の為、何かの口約束無の、不正競争に当たる似た商品販売は、弱者国民の払わなくても良かったかも知れない税金を払わされている事が有る為、注意しなければならない時代の様で有る。
【符号の説明】
【０１８９】
1     無給油循環型連続作動発電機
2     空気取り入れ弁 
3     高出力波形形状調整空気電動モーター仕切り弁
4     冷暖房装置
5     モーターパネル型ライトカメラ(非常ライト)
6     エアー注入型高さ調整装置
7     外部高出力波形形状調整空気取り入れ電動モーター仕切り弁
8     軽水素酸素水タンク
9     はめ込み型超薄型画像パネルと光熱瞬間吸収発電パネル
10    無線画像音声連絡装置
11    超高速電波送受信装置
12    防犯ライトカメラ
13    高出力発電回路付き軽水素トリチウム電子入りＬＥＤ増光ライト
14    テレポーテイション画像
15    多画面画像パネル
16    内蔵アンテナパネル
17    無給油循環発電型急速発電装置
18    高出力モーター高さ調節装置
19    土粘土入りプラスチックゴム電気配線表皮
20    銅筒官電気配線
21    軽水素トリチウム電子入り圧電素子磁石体配線
22    窒素ガス内蔵圧電素子磁石体配線
23    3重構造超高速配線
24    円形ハート型風車
25    スクリュー風の当たる場所
26    熱瞬間吸収発電パネル型スクリュー官
2011年4月12日pm18時36分少し寝るまで、書く事にする千葉県の墫野和夫で有る。
27    粘土入りゴム絶縁体
28    永久合成磁石体
29    高出力圧電素子磁石体
30    高出力圧電素子磁石体内臓電磁誘導発電装置
31    高出力発電回路
32    増幅プラス電気
33    増幅マイナス電気
34    新2連振子型機械式発電機発電電力
35    酸化鉄合成セラミック球体内蔵テングステン内蔵二重ニクロム線パネル
36    高出力モーター送風
37    スクリュー熱瞬間吸収発電体
38    高出力ダイナモハートパネル型風車パネル発電装置
39    スクリュー官
40    高出力電磁誘導ダイナモＷ発電装置
41    スクリュー熱瞬間吸収発電体内臓送風増幅装置
42    2次高出力モーター送風装置
43    加湿用及び空気清浄水シャワー装置切換え式
44    室内暖房装置用送風スクリュー風〜ストレート風変換装置
45    波形形状空気調整型スクリュー官仕切り弁
46    複数型高出力発電回路カートリッジボックス
47    電気配線モーターアダプタ
48    モーター軸
49    高出力ＤＣブラシレスレールインバータ制御モーター
50    複数束配線
51    半ナット型Ｗブロックロックナット
52    ナット形状
53    ゴム物質
54    4箇所回転式ポルトゴム
55    画像パネル
56    熱瞬間吸収発電パネル
57    高出力発電回路アダプタ電気取り込みコンセント
58    高出力発電回路アダプタ電気送電コンセント  
59    電波送受信装置
60    圧電素子磁気アンテナ
61    電波速度アップスクリュー電波官
62    電気熱吸収発電反射板
63    ウエッジワイヤボンデイング
64    アノード
65    樹脂レンズ
66    ＬＥＤチップ
67    軽水素入りpn接合ダイオード
68    カソード
69    アウタリード
70    高出力プラス発電回路
71    高出力マイナス発電回路
72    プラス圧電素子4電子磁気分割装置
73    マイナス圧電素子4電子磁気分割装置
74    とつレンズ
75    おおレンズ
76    光
77    軽水素入りプラスチックプラス配線
78    炭素窒素軽水素入りプラスチックマイナス配線
79    軽水素トリチウム電子入りＣＣＤ光認識速度が速く成る
80    通常のＣＣＤ
81    炭素窒素絶縁プラスチックコーテング
82    スクリューソナー波送受信アンテナ装置
83    スクリューソナー波送受信装置
84    海底地震計
85    新2連振子型自動充電池
86    角度調整型ドリルネジ部分
87    ロボットアタッチメント取り付け口
88    海上高度計
89    スクリューソナー波衛生無線変換装置
90    高出力2連結以上モータースクリュー装置
91    レントゲンスコープライトカメラ
92    衛星ＧＰＳ位置確認海上位置認識装置
93    発砲スチロール入りゴムチューブ
94    複数カラーライトライン発射装置
95    スクリュー衛星波送受信アンテナ装置
96    ライトカメラ
97    新2連振子型機械式発電機
98    複数スクリューソナー波送受信アンテナ装置
99    ライトサモーカメラ
100   高出力段数ソナー2連結以上モータースクリュー装置
101   海底ＧＰＳ位置確認装置
102   複数スクリューソナー波送受信アンテナ装置
103   新2連振子型自動充電池
104   水中ロボットライトサモーカメラ
105   モーター水切り羽
106   高出力2連結以上水中モーターロボットスクリュー
107   全自動水中ロボット作動システム貯蔵装置
108   複数スクリューソナー波送受信ロボットアンテナ装置
109   高出力水発電機
110   水中ロボットライトカメラ
111   水中ロボットカラーライトライン発射装置
112   河川湖撮影装置
113   ライト
114   カメラ
115   水車板型高出力モータースクリュー
116   アンテナ
117   推進用高出力モータースクリュー
118   後方サイドライトカメラ
119   サイドライトカメラ
120   浮上用高出力モータースクリュー
121   サイドサモーカメラ
122   後方サイドサモーカメラ
123   推進用高出力モータースクリュー
124   電磁石反発免振装置
125   脱落防止板
126   磁石円球止め突起物
127   電磁石鋼鉄板スイッチ切換え式免振板
128   圧電素子磁石体粒子入りビニール装置
129   鋼鉄永久磁石
130   免振電磁石板固定棒電磁石板
131   電磁石球
132   異なった電磁石反発免振装置
133   高出力電磁石板
134   圧電素子磁石粒子入り樹脂内蔵ビニール
135   高出力電磁石板
136   止めポルトナット
コメント
2011年4月12日pm21時51分寝る時間なのでペンを置く千葉県の墫野和夫で有る。
コメント
2011年4月13日18時35分から寝るまで、書く事にする千葉県の墫野和夫で有る。
137   免振サイド振れ止めスプリング板
138   免振振れ止め鋼鉄棒板
139   免振電磁石反発棒軸
140   免振固定鋼鉄ボルトナット
141   圧電素子磁石粒子入り樹脂シリコン球内蔵ビニール
142   下側電磁石固定板免振装置
143   高出力電磁石板  
144   軽水素トリチウム電子入り樹脂シリコン球圧電素子磁石体粒子内蔵ビニールプラスチック磁気圧弁
145   絶縁津土入りスプリングビニールプラスチック
146   プラススクリュー水
147   マイナススクリュー水
148   絶縁金属
149   インプット全自動木登りデーター送受信ロボット
150   レントゲンスコープカメラ
151   高出力ＬＥＤライト
152   物体認識用高出力カメラモーター
153   サモーカメラ
154   スクリュー携帯衛星無線波送受信装置
155   サイド高出力ＬＥＤライト
156   スクリュー無線型全自動ロボット作動認識認知確認判断連絡システムブロックデーター多層カード装置
157   新2連振子型自動充電池
158   サイドカメラ
159   地滑り予知事前連絡装置
160   スクリュー衛星無線波送受信装置
161   新2連振子型自動充電池
162   水分量全自動感知認識連絡棒装置
163   弱電熱線入り圧電素子磁気粒子入り液体マグネシウム水分吸収装置
164   圧電素子磁気粒子入り水銀液体マグネシウム水分温度感知装置
165   マンホール内増水連絡装置
166   マンホール内増水連絡用送受信アンテナ装置
167   マンホール蓋装置
168   スクリュー弱電波受信連絡装置
169   スクリュー弱電波送信装置  
170   地下配管
171   マンホールコンクリート土台
172   マンホール免振杭
173   高出力2連結以上モーター
174   水中ー情報連絡全自動飛行装置
175   バランスサイドプロペラ
176   浮上用プロペラ
177   衛生ＧＰＳスクリュー携帯波送受信圧電素子磁石体粒子入りアンテナ
178   水中レントゲンスコープカメラ
179   水分計側計
180   スクリュー携帯波送受信装置
181   水銀温度計内蔵発砲スチロール内蔵シリコンゴム水温連絡装置
182   高出力Ｗ自動充電池
183   水中ライトカメラ水の透明度計測装置
184   推進用プロペラ
185   空中計測情報全自動無期限連絡装置
186   全自動空中定位置電波複数位置計測計装置
187   複数スクリュー波送受信装置
188   高出力2連結以上モーター
189   空中位置連絡用複数カラーライトライン装置
190   複数スクリュー波キャッチ圧電素子磁気粒子アンテナ
191   放射能外気計測装置
192   外気取り入れフアーン口
193   外気吐き出し口
194   新2連振子型機械式発電機
195   複数ライト切換え型多機種カメラ
196   空中定位置固定用全自動位置帰還用複数プロペラ装置
197   全自動地盤隆起計測装置
198   衛星ＧＰＳ送受信アンテナ装置
199   新2連振子型自動電池
200   グラスファイバー圧電素子加工アンテナ
201   鋼鉄部分 
202   トリプル人工衛星位置計測計
203   グラス樹脂防腐加工
204   超小型高度計
205   金属矢
206   トリプル人工衛星高さ計測計
207   金属表面グラスファイバーカバー加工
208   全自動地熱温度水分計側装置
209   衛星ＧＰＳ送受信圧電素子磁石粒子芯入りアンテナ
210   高出力自動電池
211   スクリュー衛星無線波送受信装置
212   全自動超小型地熱温度計測装置
213   全自動水分計側装置
214   全自動温度計測装置
215   地下収納型家具
216   半永久保存固形窒素粒子内蔵グラスファイバー板
217   ライトカメラ
218   モーター移動棚
219   スクリュー室内無線波連絡アンテナ
220   高出力棒状ＤＣブラシレスレールインバータ制御モーター
221   非常脱出用扉
222   天上
223   全自動地中探査装置
224   音波振動トーン上下移動スクリュー装置
225   スクリューネジ地中推進機
226   地中温度計
227   高出力2連結以上モーター
228   高出力2連振子型自動充電池
229   地中レントゲンカメラ
230   地中連絡電波コード
231   スクリューテレビ波送受信装置
232   地中装置止め伸縮杭針モーター装置
233   ライトカメラ
コメント
2011年4月13日pm22時2分寝る事にする千葉県の墫野和夫で有る。
コメント
2011年6月26日pm18時45分地震予知説明の為の海底温度計に成る千葉県の墫野和夫で有る。
234   海底温度計
235   海底サモーライトカメラ
コメント
2011年6月16日pm21時05分特許請求項の範囲を、書く事にする千葉県の墫野和夫で有る。
【図１】
2011205895.tif 000003
【図２】
2011205895.tif 000004
【図３】
2011205895.tif 000005
【図４】
2011205895.tif 000006
【図５】
2011205895.tif 000007
【図６】
2011205895.tif 000008
【図７】
2011205895.tif 000009
【図８】
2011205895.tif 000010
【図９】
2011205895.tif 000011
【図１０】
2011205895.tif 000012
【図１１】
2011205895.tif 000013
【図１２】
2011205895.tif 000014
【図１３】
2011205895.tif 000015
【図１４】
2011205895.tif 000016
【図１５】
2011205895.tif 000017
【図１６】
2011205895.tif 000018
【図１７】
2011205895.tif 000019
【図１８】
2011205895.tif 000020
【図１９】
2011205895.tif 000021
【図２０】
2011205895.tif 000022
【図２１】
2011205895.tif 000023
【図２２】
2011205895.tif 000024
【図２３】
2011205895.tif 000025
【図２４】
2011205895.tif 000026
【図２５】
2011205895.tif 000027
【図２６】
2011205895.tif 000028
【図２７】
2011205895.tif 000029
【図２８】
2011205895.tif 000030
【図２９】
2011205895.tif 000031
【図３０】
2011205895.tif 000032
【図３１】
2011205895.tif 000033
【図３２】
2011205895.tif 000034
【図３３】
2011205895.tif 000035
【図３４】
2011205895.tif 000036
【図３５】
2011205895.tif 000037
【図３６】
2011205895.tif 000038
【図３７】
2011205895.tif 000039
【図３８】
2011205895.tif 000040
【図３９】
2011205895.tif 000041
【図４０】
2011205895.tif 000042
【図４１】
2011205895.tif 000043
【図４２】
2011205895.tif 000044
【図４３】
2011205895.tif 000045
【図４４】
2011205895.tif 000046
【図４５】
2011205895.tif 000047
【図４６】
2011205895.tif 000048
【図４７】
2011205895.tif 000049
【図４８】
2011205895.tif 000050
【図４９】
2011205895.tif 000051
【図５０】
2011205895.tif 000052
【図５１】
2011205895.tif 000053
【図５２】
2011205895.tif 000054
【図５３】
2011205895.tif 000055
【図５４】
2011205895.tif 000056
【図５５】
2011205895.tif 000057
【図５６】
2011205895.tif 000058
【図５７】
2011205895.tif 000059
【図５８】
2011205895.tif 000060
【図５９】
2011205895.tif 000061
【図６０】
2011205895.tif 000062
【図６１】
2011205895.tif 000063
【図６２】
2011205895.tif 000064
【図６３】
2011205895.tif 000065
【図６４】
2011205895.tif 000066
【図６５】
2011205895.tif 000067
【図６６】
2011205895.tif 000068
【図６７】
2011205895.tif 000069
【図６８】
2011205895.tif 000070
【図６９】
2011205895.tif 000071